(57)【要約】  ガスの流れを送達する装置は、凹部と、ガスの流れのための出口ポート３２１０’とを有するハウジング２３０２’ を有する。凹部は、凹部からハウジングの出口ポートまでのガス流路以外の実質的に連続した、ガス不透過性のかつ切れ目のない少なくとも１つの壁３２５６、３２６２によって画定される。
2018518297.tif 000002
【特許請求の範囲】
【請求項１】
ガスの流れを送達する装置であって、
凹部を有するハウジングと、
ガスの流れのための出口ポートと、
を備え、
前記凹部が、前記ハウジングの前記凹部から前記出口ポートまでのガス流路以外の実質的に連続的な、ガス不透過性でありかつ切れ目のない少なくとも１つの壁によって画定される、装置。
【請求項２】
前記凹部が、前記ハウジングの外壁に凹部開口部を備え、前記凹部が、前記凹部開口部から前記ハウジング内に延在する、請求項１に記載の装置。
【請求項３】
前記凹部開口部が、前記ハウジングの底部にある、請求項２に記載の装置。
【請求項４】
前記凹部開口部が、前記ハウジングの頂部にある、請求項２に記載の装置。
【請求項５】
前記凹部内に配置されたモータおよび／またはセンサモジュールを備える、請求項１〜４のいずれか一項に記載の装置。
【請求項６】
前記モータおよび／またはセンサモジュールが、サブアセンブリハウジングを形成するように合わせて組み立てられた、基部、検知層およびカバー層を備える、請求項５に記載の装置。
【請求項７】
前記サブアセンブリハウジングが、前記凹部の形状に相補的な形状を有する、請求項６に記載の装置。
【請求項８】
前記モータおよび／またはセンサモジュールが、インペラを有するモータを備え、前記モータが、前記ハウジングの前記出口ポートにガスを送達するように配置される、請求項６または７に記載の装置。
【請求項９】
前記モータが、前記サブアセンブリの前記基部に配置される、請求項８に記載の装置。
【請求項１０】
前記基部が、前記サブアセンブリが前記凹部に配置されると前記凹部開口部を閉鎖するように構成される、請求項６〜９のいずれか一項に記載の装置。
【請求項１１】
前記サブアセンブリが、締結具、クリップまたはクイックリリース機構によって前記凹部の適所に維持される、請求項６〜１０のいずれか一項に記載の装置。
【請求項１２】
前記検知層が、１つまたは複数のセンサを有するガス流路を備える、請求項６〜１１のいずれか一項に記載の装置。
【請求項１３】
前記ガス流路が、前記ハウジングの前記出口ポートにガスを送達するように配置される、請求項１２に記載の装置。
【請求項１４】
前記モータおよび／またはセンサモジュールが、曲がりくねった配置を有するガス流路を備える、請求項５〜１３のいずれか一項に記載の装置。
【請求項１５】
前記ハウジングが、電気部品および／または電子部品を備え、前記凹部が、前記電気部品および／または電子部品を前記モータおよび／またはセンサモジュールを通るガス流から、または前記モータおよび／またはセンサモジュールから隔離するように構成される、請求項５〜１４のいずれか一項に記載の装置。
【請求項１６】
前記ガス流路が、ガス流路チューブによって提供され、前記ガス流路チューブが、前記ハウジングの一部と一体的に形成されている外側チューブを通って延在する、請求項５〜１５のいずれか一項に記載の装置。
【請求項１７】
前記モータおよび／またはセンサモジュールが、前記凹部から取外し可能である、請求項５〜１６のいずれか一項に記載の装置。
【請求項１８】
酸素であるかまたは酸素を含むガスが、前記ガス流路および／または出口ポートを流れる、請求項１〜１６のいずれか一項に記載の装置。
【請求項１９】
前記ガスが、前記ハウジング内の電気部品および／または電子部品から隔離される、請求項１８に記載の装置。
【請求項２０】
ガスの流れを送達する装置であって、
ハウジングおよびレバーであって、前記レバーの一方の側のみが前記ハウジングに移動可能に接続される、ハウジングおよびレバー
を備える装置。
【請求項２１】
ヒータと、液体チャンバを受け入れるチャンバ区画とを備える、請求項２０に記載の装置。
【請求項２２】
前記レバーが上昇位置にあるとき、前記レバーと前記ハウジングとの間の空間を通して液体チューブを送ることができる、請求項２１に記載の装置。
【請求項２３】
前記レバーの前記一方の側が、前記ハウジングに枢動可能に接続される、請求項２１または２２に記載の装置。
【請求項２４】
前記レバーが閉鎖位置にあるとき、前記レバーが前記チャンバ区画の一部を囲む、請求項２１〜２３のいずれか一項に記載の装置。
【請求項２５】
前記レバーの前記一方の側が、前記ハウジングに枢動可能にかつ並進可能に接続される、請求項２０〜２４のいずれか一項に記載の装置。
【請求項２６】
前記ハウジングの一部に固定されているレバー保持部を備え、前記レバー保持部と前記ハウジングの前記一部とが、前記ハウジングに対する前記レバーの枢動および並進移動を提供する、請求項２５に記載の装置。
【請求項２７】
前記レバーが、変化する移動半径で前記ハウジングに対して移動するように構成される、請求項２５または２６に記載の装置。
【請求項２８】
前記レバーが、第１ピボット穴に沿って移動するように構成されている第１ピボットを備え、前記レバーが、第２ピボット穴に沿って移動するように構成されている第２ピボットを備える、請求項２５〜２７のいずれか一項に記載の装置。
【請求項２９】
前記第１ピボット穴が、前記ハウジングに対して実質的に上下の向きに向けられ、かつ／または、前記第１ピボット穴が実質的にまっすぐであり、かつ／または、前記第２ピボット穴が、前記装置の実質的に前後方向に向けられ、かつ／または、前記第２ピボット穴が弓状である、請求項２８に記載の装置。
【請求項３０】
前記レバーを上昇位置で保持するように、前記第２ピボットを前記第２ピボット穴の後端部にまたはそれに隣接して保持する係合機構を備える、請求項２８または２９に記載の装置。
【請求項３１】
前記レバーが、前記レバーの前記一方の側にアームを備え、前記アームが、前記ハウジングに枢動可能に、または枢動可能にかつ並進可能に接続される、請求項２０〜３０のいずれか一項に記載の装置。
【請求項３２】
前記レバーが、前記アームに接続されている横材を備える、請求項３１に記載の装置。
【請求項３３】
前記レバーが上昇位置にあるとき、前記レバーの前記アームとは反対側において前記ハウジングと前記横材との間に空間がある、請求項３１または３２に記載の装置。
【請求項３４】
前記レバーの末端部が、前記レバーが完全上昇位置にあるとき、前記装置の質量中心の概して上方に位置決めされるように配置される、請求項２０〜３３のいずれか一項に記載の装置。
【請求項３５】
前記レバーが、液体チューブを液体チャンバに案内する１つまたは複数の特徴を備える、請求項２０〜３４のいずれか一項に記載の装置。
【請求項３６】
前記レバーが、前記液体チャンバの前記チャンバ区画内の挿入および／または保持および／または前記チャンバ区画からの取外しを補助するように構成される、請求項２１または請求項２１に従属する場合の請求項２２〜３５のいずれか一項に記載の装置。
【請求項３７】
前記レバーが、ガス射出成形されており、かつ／または前記レバーが外部シールを備える、請求項２０〜３６のいずれか一項に記載の装置。
【請求項３８】
前記レバーの一面が、前記レバーの完全下降位置から完全上昇位置までの移動を通して前記ハウジングの一面と当接する、請求項２０〜３７のいずれか一項に記載の装置。
【請求項３９】
前記レバーおよび／またはハウジングが、完全下降位置および／または完全上昇位置で前記レバーを保持する１つまたは複数の磁石を備える、請求項２０〜３８のいずれか一項に記載の装置。
【請求項４０】
ガスの流れを送達する装置であって、
外壁に凹部を有するハウジングと、
前記凹部内に配置されたコネクタ機構であって、１つまたは複数のポートを備え、前記ポートが、垂直軸に対して０度〜９０度の非平行かつ非垂直角度にある、コネクタ機構と、
を備える装置。
【請求項４１】
前記ポートが、前記垂直軸に対して約５度〜約３０度の角度にあり、または、前記ポートが、前記垂直軸に対して約１０度〜約２０度の角度にあり、または、前記ポートが、前記垂直軸に対して約１５度の角度にある、請求項４０に記載の装置。
【請求項４２】
前記凹部の壁が、前記ポートの挿入角度で前記垂直方向に対して角度が付けられる、請求項４０または４１に記載の装置。
【請求項４３】
１つまたは複数のポートが通信ポートを含む、請求項４０〜４２のいずれか一項に記載の装置。
【請求項４４】
１つまたは複数のポートがＵＳＢポートを含む、請求項４３に記載の装置。
【請求項４５】
前記ポートまたは各ポートにリップが設けられる、請求項４０〜４４のいずれか一項に記載の装置。
【請求項４６】
前記凹部の上縁に沿って鋭利な縁または液体デフレクタを備える、請求項４０〜４５のいずれか一項に記載の装置。
【請求項４７】
ガスの流れを送達する装置であって、
上部シャシおよび下部シャシを備えるハウジングと、
前記上部シャシと前記下部シャシとの間で前記ハウジング内に画定されたガス流路と、
前記ハウジング内の電気部品と、
前記電気部品を前記ガス流路から空気的に隔離するように適合された、前記ハウジング内の連続した切れ目のない壁と、
を備える装置。
【請求項４８】
酸素であるかまたは酸素を含むガスが、前記ガス流路を流れる、請求項４７に記載の装置。
【請求項４９】
前記ガスが、前記電気部品から隔離される、請求項４８に記載の装置。
【請求項５０】
前記ガス流路を通してガスを送達する、インペラを有するモータを備え、前記モータが、前記電気部品から空気的に隔離される、請求項４７〜４９のいずれか一項に記載の装置。
【請求項５１】
前記壁が、単独で、または１つもしくは複数の追加の連続した切れ目のない壁と組み合わせて、前記電気部品から空気的に隔離されている凹部を画定し、前記モータが、前記凹部内に配置される、請求項５０に記載の装置。
【請求項５２】
前記モータが、前記凹部から取外し可能である、請求項５１に記載の装置。
【請求項５３】
圧力が、前記モータインペラの上流で相対的に低く、かつ前記モータインペラの下流で相対的に高く、前記モータが、前記低い方の圧力領域に、前記モータインペラの上流に配置されている電気接続部を備える、請求項５０〜５２のいずれか一項に記載の装置。
【請求項５４】
前記電気部品がプリント回路基板を含む、請求項５０〜５３のいずれか一項に記載の装置。
【発明の詳細な説明】
【技術分野】
【０００１】
本開示は、患者にガスを送達する流量治療装置に関する。
【背景技術】
【０００２】
呼吸補助装置は、病院、医療施設、在宅介護または家庭環境等のさまざまな環境において、使用者または患者にガスの流れを送達するために使用される。
【発明の概要】
【発明が解決しようとする課題】
【０００３】
本出願人は、たとえば高濃度酸素等のガスが呼吸補助装置の電気部品および／または電子部品と接触した場合に、火災または爆発の可能性があることを確認した。
【０００４】
本出願人はまた、特に運動制限のある使用者の場合、液体チャンバを呼吸補助装置のチャンバ区画内に挿入しかつ／またはそこで保持しかつ／またはそこから取り外すことが困難である可能性があることも確認した。完全なまたは正確な挿入および／または保持は、液体チャンバとガス流路の一部を形成する他の構成要素との間に十分なシールが得られかつ維持されるのを確実にするために必要である可能性がある。
【０００５】
本出願人はまた、構成要素が呼吸補助装置のハウジング内に固定されるときにそれらの構成要素を清潔な状態および／または滅菌した状態で維持することが困難な可能性があることも確認した。
【０００６】
したがって、電気部品および／または電子部品からガス流を隔離する、ガスの流れを送達する装置を提供することが望ましい。
【０００７】
さらにまたは別法として、液体チャンバをチャンバ区画内に挿入しかつ／またはそこで保持しかつ／またはそこから取り外すのに役立つ１つまたは複数の特徴を有する、ガスの流れを送達する装置を提供することが望ましい。
【０００８】
さらにまたは別法として、ガスの流れを送達する装置であって、装置の使用、機能または構成に役立つ１つまたは複数の取外し可能部品を有する装置を提供することが望ましい。
【０００９】
開示する実施形態のうちの１つまたは複数の目的は、ガスの流れを送達する装置であって、装置の使用、機能または構成に役立つ１つまたは複数の特徴を有し、もしくは装置の安全性を改善し、または、少なくとも公衆もしくは医療専門家に有用な選択肢を提供する装置を提供することである。
【課題を解決するための手段】
【００１０】
したがって、本明細書に開示する実施形態のうちの少なくとも１つのいくつかの特徴、態様および利点によれば、ガスの流れを送達する装置が開示され、装置は、
ハウジングであって、
モータおよび／またはセンサモジュールのための凹部と、
ガスの流れのための出口ポートと、
ガスの流れのための取外し可能エルボと、
を備えるハウジングと、
加湿器であって、
ヒータと、
液体チャンバを受け入れるチャンバ区画と、
液体チャンバの前記チャンバ区画内の挿入および／または保持および／またはチャンバ区画からの取外しに役立つレバーおよび／または戻り止めと、
を備える加湿器と、
を備える装置。
【００１１】
いくつかの構成では、装置は、チャンバ区画内に受け入れられる液体チャンバを備え、液体チャンバは、出口ポートに接続可能な入口ポートと、取外し可能エルボに接続可能な出口ポートとを備える。いくつかの構成では、ポートのうちの少なくとも１つは、そのポートとそれが接続可能なポートとの間に押込み式係合を提供するように構成された１つまたは複数の可撓性フィンガを備える。
【００１２】
いくつかの構成では、装置はユーザインタフェースを備える。
【００１３】
いくつかの構成では、チャンバ区画はハウジング内に形成されている。
【００１４】
さらに、本明細書に開示する実施形態のうちの少なくとも１つのいくつかの特徴、態様および利点によれば、ガスの流れを送達する装置が開示され、装置は、
凹部を有するハウジングと、
ガスの流れのための出口ポートと、
を備え、
凹部は、ハウジングの凹部から出口ポートまでのガス流路以外の実質的に連続的な、ガス不透過性でありかつ切れ目のない少なくとも１つの壁によって画定されている。
【００１５】
いくつかの構成では、凹部は、ハウジングの外壁に凹部開口部を備え、凹部は、前記凹部開口部から前記ハウジング内に延在している。いくつかの構成では、凹部開口部は、ハウジングの底部にある。別法として、凹部開口部は、ハウジングの側部、前部または頂部等、ハウジングの異なる部分にあり得る。いくつかの構成では、凹部開口部はハウジングの頂部にある。
【００１６】
いくつかの構成では、凹部は、モータおよび／またはセンサモジュールを受け入れるためのものである。
【００１７】
いくつかの構成では、装置は、凹部内に配置されたモータおよび／またはセンサモジュールを備える。
【００１８】
いくつかの構成では、装置は、ガスが、凹部を介してハウジングに入りかつ出口ポートを介してハウジングから出るように構成されている。いくつかの構成では、ガスは、それらのハウジングへの入口から出口ポートまでガス通路によって送達される。いくつかの構成では、ガス通路は、モータおよび／またはセンサモジュールによって提供される。
【００１９】
いくつかの構成では、モータおよび／またはセンサモジュールは、サブアセンブリハウジングを形成するように合わせて組み立てられた、基部、検知層およびカバー層を備える。いくつかの構成では、サブアセンブリハウジングは、凹部の形状に相補的な形状を有する。
【００２０】
いくつかの構成では、モータおよび／またはセンサモジュールは、インペラを有するモータを備え、モータは、ハウジングの出口ポートにガスを送達するように配置されている。いくつかの構成では、モータは、サブアセンブリの基部に配置されている。
【００２１】
いくつかの構成では、基部は、サブアセンブリが凹部に配置されると凹部開口部を閉鎖するように構成されている。
【００２２】
いくつかの構成では、サブアセンブリは、締結具、クリップまたはクイックリリース機構によって凹部の適所に維持される。
【００２３】
いくつかの構成では、検知層は、１つまたは複数のセンサを有するガス流路を備える。いくつかの構成では、ガス流路は、ハウジングの出口ポートにガスを送達するように配置されている。いくつかの構成では、ガスは酸素であるかまたは酸素を含む。いくつかの構成では、ガスは、酸素と周囲空気との混合物を含む。
【００２４】
いくつかの構成では、ガス流路は細長いガス流部分を含む。
【００２５】
いくつかの構成では、ガス流路は、細長いガス流部分の入口端部にまたはそれに隣接して位置する接線入口部分を有する。
【００２６】
いくつかの構成では、モータおよび／またはセンサモジュールは、曲がりくねった配置を有するガス流路を備える。
【００２７】
いくつかの構成では、ハウジングは、電気部品および／または電子部品を備え、凹部は、電気部品および／または電子部品をモータおよび／またはセンサモジュールを通るガス流から、またはモータおよび／またはセンサモジュールから隔離するように構成されている。いくつかの構成では、ガス流路は、ガス流路チューブによって提供され、ガス流路チューブは、ハウジングの一部と一体的に形成されている外側チューブを通って延在している。
【００２８】
いくつかの構成では、装置は、モータおよび／またはセンサモジュールのシールのうちのいずれかに漏れが発生した場合、酸素が、電気部品および／または電子部品ではなく周囲環境に漏れるように構成されている。
【００２９】
いくつかの構成では、ハウジングに対してモジュールを封止するために、モータおよび／またはセンサモジュールの一部と凹部の壁との間にシールが設けられる。いくつかの構成では、シールは、Ｏリング等のソフトシールを含む。いくつかの構成では、シールは、モータおよび／またはセンサモジュールの基部と凹部の壁との間に設けられる。いくつかの構成では、基部は、インペラを備えたモータを支持する。
【００３０】
いくつかの構成では、モータおよび／またはセンサモジュールは、凹部から取外し可能である。いくつかの代替構成では、モータおよび／またはセンサモジュールは、凹部から取外し可能ではない場合がある。
【００３１】
いくつかの構成では、モータおよび／またはセンサモジュールは、インペラを有するモータとガス出口ポートとを備え、ガス出口ポートは、可撓性カフによって隣接する構成要素の入口ポートに結合されている。いくつかの構成では、モータおよび／またはセンサモジュールは、カフを支持するように構成されているカフ支持部材を備える。いくつかの構成では、カフ支持部材は、内向きに凹状の形状を有し、かつカフの周縁部を受け入れて支持するように構成されている、直立カフ支持部材を含む。いくつかの構成では、カフのガス出口ポート端部は、カフ支持部材の上端部に載る拡大径を有する。
【００３２】
いくつかの構成では、酸素であるかまたは酸素を含むガスが、ガス流路および／または出口ポートを流れる。いくつかの構成では、ガスは、ハウジング内の電気部品および／または電子部品から隔離されている。いくつかの構成では、ガスは、酸素と周囲空気との混合物を含む。
【００３３】
さらに、本明細書に開示する実施形態のうちの少なくとも１つのいくつかの特徴、態様および利点によれば、装置で使用されるモータおよび／またはセンサモジュールが開示され、モータおよび／またはセンサモジュールは上に記載した特徴を有する。
【００３４】
さらに、本明細書に開示する実施形態のうちの少なくとも１つのいくつかの特徴、態様および利点によれば、ガスの流れを送達する装置が開示され、装置は、
加湿器であって、
ヒータと、
液体チャンバを受け入れるチャンバ区画と、
液体チャンバの前記チャンバ区画内の挿入および／または保持および／またはチャンバ区画からの取外しを補助するレバーと、
を備える加湿器
を備える。
【００３５】
いくつかの構成では、レバーは、液体チャンバの挿入、保持、取外しのうちの１つに役立つように構成されている。いくつかの実施形態では、レバーは、液体チャンバの挿入、保持、取外しのうちの２つに役立つように構成されている。いくつかの構成では、レバーは、液体チャンバの挿入、保持、取外しのうちの３つすべてに役立つように構成されている。
【００３６】
液体チャンバのチャンバ区画内の挿入、保持、またはチャンバ区画からの取外しのうちの１つ、２つまたはすべてに役立つように、異なる構成を構成することができる。
【００３７】
いくつかの構成では、チャンバ区画は、液体チャンバをチャンバ区画の適所に案内するのに役立つ対向するガイド機構を備える。いくつかの構成では、対向するガイド機構は、液体チャンバの外向きの環状フランジと相互作用するように配置されている対向するガイドレールを含む。
【００３８】
いくつかの構成では、レバーは、レバーが第１位置にあるときに、液体チャンバをチャンバ区画内に挿入するかまたはチャンバ区画から取り外すことができるように、かつ、レバーが第２位置にあるときに、液体チャンバのチャンバ区画からの取外しを阻止または防止するように、構成されている。
【００３９】
いくつかの構成では、レバーは、レバーが第２位置に向かって移動するとき、液体チャンバの一部と係合し、液体チャンバをチャンバ区画と係合させる、少なくとも１つの液体チャンバ係合機構を備える。いくつかの構成では、装置は、２つの液体チャンバ係合機構を備え、液体チャンバ係合機構は、内向きの突起を含む。
【００４０】
いくつかの構成では、装置は、ハンドルを第２位置で保持する押込み式係合機構を備える。
【００４１】
いくつかの構成では、レバーは、レバーが上昇位置にあるときに装置を運搬することができるようにするハンドル部分を備える。
【００４２】
いくつかの構成では、レバーは、装置のハウジングに枢動可能に接続されている。いくつかの実施形態では、レバーの一方の側のみがハウジングに枢動可能に接続されている。
【００４３】
いくつかの構成では、レバーは、装置のハウジングに枢動可能にかつ並進可能に接続されている。いくつかの構成では、装置は、ハウジングの一部に固定されているレバー保持部を備え、レバー保持部とハウジングの一部とは合わせて、ハウジングに対するレバーの枢動および並進移動を提供する。
【００４４】
いくつかの構成では、レバーは、変化する移動半径でハウジングに対して移動するように構成されている。
【００４５】
いくつかの構成では、レバーは、第１ピボット穴に沿って移動するように構成されている第１ピボットを備え、レバーは、第２ピボット穴に沿って移動するように構成されている第２ピボットを備える。
【００４６】
いくつかの構成では、第１ピボット穴は、ハウジングに対して実質的に上下の向きに向けられている。いくつかの構成では、第１ピボット穴は実質的にまっすぐである。
【００４７】
いくつかの構成では、第２ピボット穴は、装置の実質的に前後方向に向けられている。いくつかの構成では、第２ピボット穴は弓状である。
【００４８】
いくつかの構成では、装置は、レバーを上昇位置で保持するように、第２ピボットを第２ピボット穴の後端部にまたはそれに隣接して保持する係合機構を備える。
【００４９】
いくつかの構成では、レバーは、チャンバ区画からの液体チャンバの取外しに役立つように構成されている。
【００５０】
さらに、本明細書に開示する実施形態のうちの少なくとも１つのいくつかの特徴、態様および利点によれば、ガスの流れを送達する装置が開示され、装置は、
加湿器であって、
ヒータと、
液体チャンバのためのチャンバ区画と、
を備え、装置は、液体チャンバのチャンバ区画内の挿入および／または保持に役立つ少なくとも１つの戻り止めを備える。
【００５１】
いくつかの構成では、装置は、１つの戻り止めのみを備える。いくつかの構成では、装置は２つ以上の戻り止めを備える。
【００５２】
いくつかの構成では、チャンバ区画は、液体チャンバをチャンバ区画の適所に案内するのに役立つ対向するガイド機構を備える。
【００５３】
いくつかの構成では、ガイド機構のうちの１つに隣接して戻り止めが設けられている。いくつかの構成では、それぞれのガイド機構に２つの戻り止めが隣接して設けられている。
【００５４】
いくつかの構成では、ガイド機構のうちの１つに戻り止めが設けられている。いくつかの構成では、それぞれのガイド機構に２つの戻り止めが設けられている。
【００５５】
いくつかの構成では、ガイド機構は、液体チャンバの外向きの環状フランジと相互作用するように配置されている対向するガイドレールを含み、戻り止めは、ガイドレールのうちの一方または両方に拡大凹部を含む。いくつかの構成では、ガイドレールのうちの一方または両方は、内向きの隆起部を備える。いくつかの構成では、内向きの隆起部は、液体チャンバがガイドレールの間に挿入されかつ／またはガイドレールから取り外される際に変形するのに十分な弾性を有する。
【００５６】
いくつかの構成では、ガイド機構のうちの一方または両方は突起を備え、液体チャンバは、その突起を受け入れる凹部を備える。
【００５７】
さらに、本明細書に開示する実施形態のうちの少なくとも１つのいくつかの特徴、態様および利点によれば、ガスの流れを送達する装置が開示され、装置は、
ハウジングと、
ガスの流れのためのガス流路を画定する取外し可能ガス流チューブと、
取外し可能保持カバーであって、取外し可能カバーがハウジングから取り外された状態では、ハウジングから取外し可能ガス流チューブを取り外すことができ、取外し可能保持カバーがハウジングに接続された状態では、ハウジングから取外し可能ガス流チューブを取り外すことができないように構成されている取外し可能保持カバーと、
を備える。
【００５８】
いくつかの構成では、ハウジングは、取外し可能ガス流チューブを受け入れる保持部を備え、取外し可能保持カバーは、取外し可能カバーがハウジングから取り外された状態では、保持部から取外し可能ガス流チューブを取り外すことができ、取外し可能保持カバーがハウジングに接続された状態では、保持部から取外し可能ガス流チューブを取り外すことができないように構成されている。
【００５９】
いくつかの構成では、保持部から取外し可能ガス流チューブを取り外すために、２つの別個の動作が必要である。いくつかの構成では、取外し可能保持カバーは、取外し可能カバーを第１方向に移動させることにより、ハウジングから取外し可能であり、取外し可能ガス流チューブは、移動の少なくとも一部に対して第１方向に対して実質的に横切る第２方向に取外し可能ガス流チューブを移動させることにより、保持部から取外し可能である。いくつかの構成では、取外し可能ガス流チューブは、ハウジングのチャンバ区画に受け入れられるように配置されている液体チャンバの出口ポートと結合するガスポートを備え、第２方向は、チャンバ区画からの液体チャンバの取外しの方向に対応する。
【００６０】
いくつかの構成では、取外し可能ガス流チューブは、取外し可能ガス流チューブの１つもしくは複数のセンサおよび／または電源コネクタに結合される電気コネクタを備える。いくつかの構成では、電気コネクタは、ガス流チューブの一部から突出するオスコネクタ部分を備え、ハウジングは、ガス流チューブがハウジングに接続されるとオスコネクタを受け入れる相補的なメスコネクタを備える。いくつかの構成では、ハウジングはオスコネクタ部分を備え、取外し可能ガス流チューブは、ガス流チューブがハウジングに接続されるとオスコネクタを受け入れる相補的なメスコネクタを備える。
【００６１】
いくつかの構成では、取外し可能ガス流チューブは、軸を有するポートを備え、電気コネクタは、軸に対して約−１５度〜約＋３０度、いくつかの構成では軸に対して約０度〜約＋３０度、いくつかの構成では軸に対して約０度〜約＋１５度、いくつかの構成では軸に対して約＋１５度の角度で向けられている。いくつかの構成では、電気コネクタは、使用時に非水平角度で向けられるように配置されている。いくつかの構成では、電気コネクタは、軸に対して非平行かつ非同軸角度で向けられている。いくつかの構成では、電気コネクタは、軸に対して約−５度〜約−１５度、または軸に対して約＋５度〜約＋３０度の角度で向けられている。いくつかの構成では、電気コネクタは、軸に対して約＋５度〜約＋３０度、いくつかの構成では軸に対して約＋５度〜約＋１５度、いくつかの構成では軸に対して約１５度の角度で向けられている。
【００６２】
いくつかの構成では、取外し可能ガス流チューブの電気コネクタは、ガス流チューブを流れるガスの温度を求める１つまたは複数のセンサに結合されている。
【００６３】
いくつかの構成では、取外し可能ガス流チューブの電気コネクタは、取外し可能ガス流チューブの電源コネクタに結合され、電源コネクタは、患者呼吸導管のヒータワイヤに結合しかつそれに電力を供給するためのものであり、取外し可能ガス流チューブは、患者呼吸導管が取外し可能ガス流チューブに接続されるとき、１回の動作で患者導管に空気および電気接続を提供するように構成されている。
【００６４】
いくつかの構成では、取外し可能ガス流チューブは取外し可能エルボを含む。
【００６５】
さらに、本明細書に開示する実施形態のうちの少なくとも１つのいくつかの特徴、態様および利点によれば、ガスの流れを送達する装置が開示され、装置は、
上部シャシおよび下部シャシを備えるハウジングと、
上部シャシと下部シャシとの間でハウジング内に画定されたガス流路と、
ハウジング内の電気部品と、
電気部品をガス流路から空気的に隔離するように適合された、ハウジング内の連続した切れ目のない壁と、
を備える。
【００６６】
いくつかの構成では、酸素であるかまたは酸素を含むガスが、ガス流路を流れる。いくつかの構成では、ガスは、電気部品から隔離されている。いくつかの構成では、ガスは、酸素と周囲空気との混合物を含む。
【００６７】
いくつかの構成では、装置は、ガス流路を通してガスを送達する、インペラを有するモータを備え、モータは、電気部品から空気的に隔離されている。いくつかの構成では、壁は、単独で、または１つもしくは複数の追加の連続した切れ目のない壁と組み合わせて、電気部品から空気的に隔離されている凹部を画定し、モータは、凹部内に配置されている。
【００６８】
いくつかの構成では、モータは、凹部から取外し可能である。
【００６９】
いくつかの構成では、圧力は、モータインペラの上流で相対的に低く、かつモータインペラの下流で相対的に高く、モータは、低い方の圧力領域に、モータインペラの上流に配置されている電気接続部を備える。
【００７０】
いくつかの構成では、電気部品はプリント回路基板を含む。
【００７１】
さらに、本明細書に開示する実施形態のうちの少なくとも１つのいくつかの特徴、態様および利点によれば、ガスの流れを送達する装置が開示され、装置は、
ハウジングおよびレバーであって、レバーの一方の側のみがハウジングに移動可能に接続されている、ハウジングおよびレバー
を備える。
【００７２】
いくつかの構成では、装置は、ヒータと、液体チャンバを受け入れるチャンバ区画とを備える。
【００７３】
いくつかの構成では、レバーが上昇位置にあるとき、レバーとハウジングとの間の空間を通して液体チューブを送ることができる。
【００７４】
いくつかの構成では、レバーの前記一方の側は、ハウジングに枢動可能に接続されている。
【００７５】
いくつかの構成では、レバーが閉鎖位置にあるとき、レバーはチャンバ区画の一部を囲む。
【００７６】
いくつかの構成では、レバーの前記一方の側は、ハウジングに枢動可能にかつ並進可能に接続されている。
【００７７】
いくつかの構成では、レバーが閉鎖位置にあるとき、レバーの一部は、チャンバ区画の床の上方に、液体チャンバがチャンバ区画から取り外されるのを防止するのに十分突出する。
【００７８】
いくつかの構成では、レバーの前記一方の側は、ハウジングに枢動可能にかつ並進可能に接続されている。
【００７９】
いくつかの構成では、装置は、ハウジングの一部に固定されているレバー保持部を備え、レバー保持部とハウジングの一部とが、ハウジングに対するレバーの枢動および並進移動を提供する。
【００８０】
いくつかの構成では、レバーは、変化する移動半径でハウジングに対して移動するように構成されている。
【００８１】
いくつかの構成では、レバーは、第１ピボット穴に沿って移動するように構成されている第１ピボットを備え、レバーは、第２ピボット穴に沿って移動するように構成されている第２ピボットを備える。
【００８２】
いくつかの構成では、第１ピボット穴は、ハウジングに対して実質的に上下の向きに向けられている。いくつかの構成では、第１ピボット穴は実質的にまっすぐである。
【００８３】
いくつかの構成では、第２ピボット穴は、装置の実質的に前後方向に向けられている。いくつかの構成では、第２ピボット穴は弓状である。
【００８４】
いくつかの構成では、装置は、レバーを上昇位置で保持するように、第２ピボットを第２ピボット穴の後端部にまたはそれに隣接して保持する係合機構を備える。
【００８５】
いくつかの構成では、レバーは、レバーの前記一方の側にアームを備え、アームは、ハウジングに枢動可能に、または枢動可能にかつ並進可能に接続されている。いくつかの構成では、レバーは、前記アームに接続されている横材を備える。
【００８６】
いくつかの構成では、レバーが上昇位置にあるとき、レバーのアームとは反対側においてハウジングと横材との間に空間がある。
【００８７】
いくつかの構成では、レバーの末端部は、レバーが完全上昇位置にあるとき、装置の質量中心の概して上方に位置決めされるように配置されている。
【００８８】
いくつかの構成では、レバーは、液体チューブを液体チャンバに案内する１つまたは複数の特徴を備える。
【００８９】
いくつかの構成では、レバーは、液体チャンバのチャンバ区画内の挿入および／または保持および／またはチャンバ区画からの取外しを補助するように構成されている。
【００９０】
いくつかの構成では、レバーはガス射出成形されている。
【００９１】
いくつかの構成では、レバーは外部シールを備える。
【００９２】
いくつかの構成では、レバーの一面は、レバーの完全下降位置から完全上昇位置までの移動を通してハウジングの一面と当接する。
【００９３】
いくつかの構成では、レバーおよび／またはハウジングは、完全下降位置および／または完全上昇位置でレバーを保持する１つまたは複数の磁石を備える。
【００９４】
さらに、本明細書に開示する実施形態のうちの少なくとも１つのいくつかの特徴、態様および利点によれば、ガスの流れを送達する装置が開示され、装置は、
外壁に凹部を有するハウジングと、
凹部内に配置されたコネクタ機構であって、１つまたは複数のポートを備え、ポートが、垂直軸に対して０度〜９０度の非平行かつ非垂直角度にある、コネクタ機構と、
を備える。
【００９５】
すなわち、プラグのコネクタへの挿入角度が少なくとも部分的に上向きであるように、ポートは少なくとも部分的に下方に面する。
【００９６】
いくつかの構成では、ポートは、垂直軸に対して約５度〜約３０度の角度にある。いくつかの構成では、ポートは、垂直軸に対して約１０度〜約２０度の角度にある。いくつかの構成では、ポートは、垂直軸に対して約１５度の角度にある。
【００９７】
いくつかの構成では、凹部の壁は、ポートの挿入角度で垂直方向に対して角度が付けられている。
【００９８】
いくつかの構成では、１つまたは複数のポートは通信ポートを含む。いくつかの構成では、１つまたは複数のポートはＵＳＢポートを含む。
【００９９】
いくつかの構成では、ポートまたは各ポートにリップが設けられている。
【０１００】
いくつかの構成では、装置は、凹部の上縁に沿って鋭利な縁または液体デフレクタを備え、液体を、凹部内に進むのではなく鋭利な縁／液体デフレクタから落下するように促進する。
【０１０１】
さらに、本明細書に開示する実施形態のうちの少なくとも１つのいくつかの特徴、態様および利点によれば、ガスの流れを送達する装置が開示され、装置は、
ハウジングと、
ガスの流れのための取外し可能ガス流チューブであって、軸を有するポートと、ガス流チューブがハウジングに接続されると相補的なコネクタに結合する電気コネクタとを備え、電気コネクタは、軸に対して約−１５度〜約＋３０度の角度で向けられている、取外し可能ガス流チューブと、
を備える。
【０１０２】
いくつかの構成では、電気コネクタは、軸に対して約０度〜約＋３０度、いくつかの構成では軸に対して約０度〜約＋１５度、いくつかの構成では軸に対して約＋１５度の角度で向けられている。
【０１０３】
いくつかの構成では、電気コネクタは、使用時に非水平角度で向けられるように配置されている。
【０１０４】
いくつかの構成では、電気コネクタは、軸に対して非平行かつ非同軸角度で向けられている。いくつかの構成では、電気コネクタは、軸に対して約−５度〜約−１５度、または軸に対して約＋５度〜約＋３０度の角度で向けられている。いくつかの構成では、電気コネクタは、軸に対して約＋５度〜約＋３０度、いくつかの構成では軸に対して約＋５度〜約＋１５度、いくつかの構成では軸に対して約１５度の角度で向けられる。
【０１０５】
いくつかの構成では、取外し可能ガス流チューブは取外し可能エルボを含む。
【０１０６】
さらに、本明細書に開示する実施形態のうちの少なくとも１つのいくつかの特徴、態様および利点によれば、ガスの流れを送達する装置が開示され、装置は、
ハウジングと、
ガスの流れのための取外し可能ガス流チューブであって、ガス流チューブがハウジングに接続されると相補的なコネクタに結合する電気コネクタを備え、取外し可能ガス流チューブの本体が電気コネクタの上にオーバーモールドされている、取外し可能ガス流チューブと、
を備える。
【０１０７】
いくつかの構成では、取外し可能ガス流チューブは、オーバーモールドされたガス流チューブ本体の一部に埋め組まれる電源コネクタを備える。いくつかの構成では、電源コネクタは、患者呼吸導管のヒータワイヤに結合しかつそれに電力を供給するための、上方に突出するピンコネクタを備える。いくつかの構成では、ピンコネクタは、エルボのガス出口ポートの長手方向軸に対して実質的に平行に延在している。
【０１０８】
いくつかの構成では、電気コネクタはＰＣＢ電気コネクタを含む。
【０１０９】
いくつかの構成では、取外し可能ガス流チューブは取外し可能エルボを含む。
【０１１０】
さらに、本明細書に開示する実施形態のうちの少なくとも１つのいくつかの特徴、態様および利点によれば、ガスの流れを送達する装置が開示され、装置は、
ハウジングと、
ガスの流れのための取外し可能ガス流チューブであって、ガス流路を画定し、液体のたまりを可能にするようにガス流路と連通する内部プール領域を備える取外し可能ガス流チューブと、
を備える。
【０１１１】
いくつかの構成では、プール領域は、ガス流路内の拡大領域によって提供される。
【０１１２】
いくつかの構成では、拡大領域は、ガス流路の水平部分における凹部である。
【０１１３】
いくつかの構成では、ガス流チューブは、プール領域に隣接して位置する温度センサを備え、温度センサは、ガス流路の典型的なかつ／またはガス特性である温度を求めるように配置されている。
【０１１４】
いくつかの構成では、温度センサは、ガスの湿度を推定するために使用される。
【０１１５】
いくつかの構成では、取外し可能ガス流チューブは取外し可能エルボを含む。いくつかの構成では、プール領域は、エルボの第１ポートおよび第２ポートのインタフェースに設けられている。
【０１１６】
さらに、本明細書に開示する実施形態のうちの少なくとも１つのいくつかの特徴、態様および利点によれば、ガスの流れを送達する装置が開示され、装置は、
ハウジングと、
ガスの流れのためのガス流路を画定する取外し可能ガス流チューブであって、ガス流チューブがハウジングに接続されると相補的なコネクタに結合するＰＣＢ電気コネクタを備える取外し可能ガス流チューブと、
を備える。
【０１１７】
いくつかの構成では、取外し可能ガス流チューブの第１端部は、液体チャンバの出口ガスポートと結合するガスポートを備える。いくつかの構成では、取外し可能ガス流チューブの第２端部は、患者呼吸導管に接続するように構成されている。
【０１１８】
いくつかの構成では、ＰＣＢ電気コネクタ部分は、一端に、メスコネクタの相補的な導体と係合する複数のコネクタ部分を備える。別法として、いくつかの構成では、取外し可能ガス流チューブは、相補的なオスコネクタを受け入れるメスコネクタを備える。
【０１１９】
いくつかの構成では、取外し可能ガス流チューブは、患者呼吸導管のヒータワイヤに結合しかつそれに電力を供給する１つまたは複数の電気コネクタを備える。いくつかの構成では、電気コネクタは、ＰＣＢ電気コネクタのコネクタ部分と電気通信する。
【０１２０】
いくつかの構成では、ＰＣＢ電気コネクタは、表面実装温度センサを備える。温度センサは、たとえば、熱電対、デジタル温度センサまたはサーミスタであり得る。いくつかの構成では、温度センサは、ＰＣＢ電気コネクタのコネクタ部分と電気通信する。いくつかの構成では、温度センサは、ガス流チューブの本体に埋め込まれている。
【０１２１】
いくつかの構成では、取外し可能ガス流チューブは、識別、校正機能または情報取込みのうちの１つまたは複数を含む機能を提供するように構成されているデバイスを備える。いくつかの構成では、デバイスは、追跡データ、取外し可能ガス流チューブがどれくらい使用されたか、取外し可能ガス流チューブが最初に使用されたとき、取外し可能ガス流チューブ寿命の判断（たとえば、製造日に基づく）、取外し可能ガス流チューブが何回使用されたか、取外し可能ガス流チューブの接続／切断の判断およびログ記録、消毒が発生したか否かの判断、取外し可能ガス流チューブが何回消毒されたか、最後の消毒からの使用時間、取外し可能ガス流チューブを消毒するべきとき、電源レベル、一意のＩＤ、校正、取外し可能ガス流チューブを交換するべきときのうちの１つまたは複数を含む情報を提供するように構成されている。いくつかの構成では、取外し可能ガス流チューブは、たとえば製造から最大５年間、デバイスに格納された指定された使用寿命を有することができる。いくつかの構成では、取外し可能ガス流チューブは、取外し可能チューブを交換するべきとなる前の消毒サイクルの指定された最大数を、デバイスに格納することができる。たとえば、消毒サイクルの最大数は、指定された週の数に対して、指定された消毒サイクルの回数／週であり得る。たとえば、１年という最大使用寿命を有する取外し可能ガス流チューブの場合、消毒サイクルの最大数は５２サイクル、すなわち、１年に対して１サイクル／週であり得る。別の例として、５年という最大使用寿命を有する取外し可能ガス流チューブ／エルボの場合、消毒サイクルの最大数は２６０サイクル、すなわち５年に対して１サイクル／週であり得る。
【０１２２】
いくつかの構成では、デバイスは、マイクロプロセッサ、メモリ、またはメモリが組み込まれたマイクロプロセッサのうちの１つまたは複数を含むことができる。いくつかの構成では、デバイスはＥＥＰＲＯＭである。いくつかの構成では、デバイスは、フラッシュメモリまたは他の何らかのタイプのメモリであり得る。いくつかの構成では、デバイスは、機能データを格納するように構成することができ、またはコネクタ部分を介して、または、たとえばＷＩ−ＦＩ、Ｂｌｕｅｔｏｏｔｈ（登録商標）もしくはＧＳＭ（登録商標）等の好適な無線送信プロトコルを介して、装置のコントローラに機能データを通信するように構成することができる。
【０１２３】
いくつかの構成では、取外し可能ガス流チューブのポートは、ＴシールまたはＬシールを備える。いくつかの構成では、取外し可能ガス流チューブの一部はＯリングを備える。
【０１２４】
いくつかの構成では、取外し可能ガス流チューブの電子回路は、液体および／またはガスの侵入から封止されている。いくつかの構成では、電子回路は、ポッティングによって封止されている。
【０１２５】
いくつかの構成では、取外し可能ガス流チューブは取外し可能エルボを含む。いくつかの構成では、温度センサは、エルボの第１ポートおよび第２ポートのインタフェースに隣接して配置されている。
【０１２６】
さらに、本明細書に開示する実施形態のうちの少なくとも１つのいくつかの特徴、態様および利点によれば、ガスの流れを送達する装置が開示され、装置は、
モータおよび／またはセンサモジュールであって、インペラおよびガス出口ポートを有するモータと、出口ガス流路および検知層とを備え、検知層は検知およびガス流路を有し、検知およびガス流路は、ガス流出口ポートからガスを受け取るガス流入口ポートとガス流出口ポートとを備える、モータおよび／またはセンサモジュール
を備え、
ガス出口ポートからガス流路および検知層ガス流出口ポートまでの圧力降下係数は、約５ｍＰａ（Ｌｍｉｎ-1）-2〜約５０ｍＰａ（Ｌｍｉｎ-1）-2である。
【０１２７】
いくつかの構成では、圧力降下係数は、約１０ｍＰａ（Ｌｍｉｎ-1）-2〜約２０ｍＰａ（Ｌｍｉｎ-1）-2である。いくつかの構成では、圧力降下係数は、約１５ｍＰａ（Ｌｍｉｎ-1）-2である。
【０１２８】
いくつかの構成では、ガス出口ポートは、可撓性カフによってガス流入口ポートに結合されている。いくつかの構成では、モータおよび／またはセンサモジュールは、カフを支持するように構成されているカフ支持部材を備える。いくつかの構成では、カフ支持部材は、内向きに凹状の形状を有し、かつカフの周縁部を受け入れて支持するように構成されている、直立カフ支持部材を備える。いくつかの構成では、カフのガス出口ポート端部は、カフ支持部材の上端部に載る拡大径を有する。
【０１２９】
いくつかの構成では、モータおよび／またはセンサモジュールは、凹部から取外し可能である。いくつかの代替構成では、モータおよび／またはセンサモジュールは、凹部から取外し可能ではない場合がある。
【０１３０】
さらに、本明細書に開示する実施形態のうちの少なくとも１つのいくつかの特徴、態様および利点によれば、装置で使用されるモータおよび／またはセンサモジュールが開示され、モータおよび／またはセンサモジュールは上に記載した特徴を有する。
【０１３１】
さらに、本明細書に開示する実施形態のうちの少なくとも１つのいくつかの特徴、態様および利点によれば、ガスの流れを送達する装置が開示され、装置は、
電気部品を受け入れるシュラウドであって、電気部品を少なくとも部分的に包囲しかつ保護するように構成され、電気部品を支持するが、シュラウド内での電気部品の少なくとも１つの次元における移動を可能にするように構成されているシュラウド
を備える。
【０１３２】
いくつかの構成では、シュラウドは、１つの次元における電気部品の移動を可能にするように構成されている。いくつかの構成では、シュラウドは、第１実質的水平次元におけるまたは第２実質的水平な次元における電気部品の移動を可能にするように構成されている。
【０１３３】
いくつかの構成では、シュラウドは、２つの次元における電気部品の移動を可能にするように構成されている。いくつかの構成では、シュラウドは、第１実質的水平次元におけるおよび第２実質的水平次元における電気部品の移動を可能にするように構成されている。
【０１３４】
いくつかの構成では、シュラウドは、３つの次元における電気部品の移動を可能にするように構成されている。いくつかの構成では、シュラウドは、第１実質的水平次元における、第２実質的水平次元における、および実質的垂直次元における電気部品の移動を可能にするように構成されている。
【０１３５】
いくつかの構成では、シュラウドは、少なくとも１つの次元における電気部品の限られた移動を可能にするように構成されており、限られた移動は、部品における許容位置ずれに適応するのに十分である。
【０１３６】
いくつかの構成では、電気部品は電気コネクタである。
【０１３７】
いくつかの構成では、シュラウドは、ガスの流れを送達する装置に設けられている。いくつかの構成では、シュラウドは、モータおよび／またはセンサモジュールに設けられている。
【０１３８】
さらに、本明細書に開示する実施形態のうちの少なくとも１つのいくつかの特徴、態様および利点によれば、ガスの流れを送達する装置が開示され、装置は、
ハウジングと、
ハウジング内のヒータと、
液体チャンバを受け入れるハウジング内のチャンバ区画と、
ハウジングに移動可能に接続されているレバーであって、閉鎖位置にあるとき、チャンバ区画の一部を囲むレバーと、
を備える。
【０１３９】
いくつかの構成では、レバーが閉鎖位置にあるとき、レバーの一部は、チャンバ区画の床の上方に、液体チャンバがチャンバ区画から取り外されるのを防止するのに十分突出する。
【０１４０】
いくつかの構成では、レバーの一方の側のみがハウジングに移動可能に接続されている。
【０１４１】
いくつかの構成では、レバーは、ハウジングに枢動可能に接続されている。
【０１４２】
さらに、本明細書に開示する実施形態のうちの少なくとも１つのいくつかの特徴、態様および利点によれば、ガスの流れを送達する装置が開示され、装置は、
ガスの流れのためのガス流チューブであって、流れ発生器からガス流出口に結合するように構成され、ガス流出口への継手が、ガスの周囲環境への排出を可能にするが連続した切れ目のない壁によって電気部品から空気的に隔離されている外側チューブ内にある、ガス流チューブ
を備える。
【０１４３】
いくつかの構成では、流れ発生器は、インペラを有するモータを備え、モータは、連続した切れ目のない壁によって電気部品から空気的に隔離されている。
【０１４４】
いくつかの構成では、壁は、単独で、または１つもしくは複数の追加の連続した切れ目のない壁と組み合わせて、電気部品から空気的に隔離されている凹部を画定し、モータはその凹部内に配置されている。
【０１４５】
いくつかの構成では、圧力は、モータインペラの上流で相対的に低く、かつモータインペラの下流で相対的に高く、モータは、低い方の圧力領域に、モータインペラの上流に配置されている電気接続部を備える。
【０１４６】
いくつかの構成では、ガス流チューブと導管におけるガス流出口との間の継手は、ガス流チューブ、ガス流出口および／または外側チューブの間の少なくとも１つのシールを備える。いくつかの構成では、少なくとも１つのシールは、外側チューブ内でのガス流出口の横方向移動を可能にする。シールは、たとえば、ガス流出口とガス流チューブとの間の面シールを含むことができる。いくつかの構成では、少なくとも１つのシールは、外側チューブ内のガス流出口の横方向移動および軸方向移動の両方を可能にする。シールは、たとえばベローズシールを含むことができる。したがって、構成に応じて、シールは、たとえばＯリング、Ｔシール、Ｌシール、面シールまたはフォームを含むことができる。
【０１４７】
さらに、本明細書に開示する実施形態のうちの少なくとも１つのいくつかの特徴、態様および利点によれば、ガスの流れを送達する装置が開示され、装置は、
上部シャシおよび下部シャシと、上部シャシと下部シャシとの間の実質的に連続したさねはぎ機構とを備えるハウジング
を備える。
【０１４８】
いくつかの構成では、上部シャシは左側壁および右側壁を備え、下部シャシは左側壁および右側壁を備え、さねはぎ機構は、上部シャシおよび下部シャシの左側壁と右側壁との間に設けられている。
【０１４９】
いくつかの構成では、装置は、液体チャンバを受け入れるチャンバ区画を備え、さねはぎ機構は、チャンバ区画の実質的に周縁部全体にわたって上部シャシと下部シャシとの間に設けられている。
【０１５０】
いくつかの構成では、装置は、面取り縁を有する少なくとも１つのさねはぎを備える。いくつかの構成では、装置は、さねの一部と溝の一部との間に空間がある少なくとも１つのさねはぎ機構を備える。
【０１５１】
さらに、本明細書に開示する実施形態のうちの少なくとも１つのいくつかの特徴、態様および利点によれば、ガスの流れを送達する装置が開示され、装置は、
ハウジングと、
装置をスタンドまたは棒に取り付けるためのマウントと、
装置がスタンドまたは棒に取り付けられたときに、装置をスタンドまたは棒に向かって傾かせるように構成された突出部と、
を備える。
【０１５２】
いくつかの構成では、マウントは舌状部を備え、突出部は舌状部に設けられている。
【０１５３】
いくつかの構成では、出っ張りは、装置を、たとえば１°〜１５°、または１°〜１０°、または１°〜７°、または１°〜５°、または１°〜２°等の好適な角度でスタンドに向かって傾けるように構成されている。
【０１５４】
さらに、本明細書に開示する実施形態のうちの少なくとも１つのいくつかの特徴、態様および利点によれば、ガスの流れを送達する装置が開示され、装置は、
ハウジングと、
装置をスタンドまたは棒に取り付けるためのマウントであって、ハウジングの一部と一体的に形成されているマウントと、
を備える。
【０１５５】
さらに、本明細書に開示する実施形態のうちの少なくとも１つのいくつかの特徴、態様および利点によれば、ガスの流れを送達する装置が開示され、装置は、
ハウジングと、
ガスの流れのためのガス流路を画定するガス流チューブであって、ガス流チューブのポートを別の構成要素に封止するのに役立つＴシールまたはＬシールを備えるガス流チューブと、
を備える。
【０１５６】
さらに、本明細書に開示する実施形態のうちの少なくとも１つのいくつかの特徴、態様および利点によれば、ガスの流れを送達する装置が開示され、装置は、
ハウジングと、
モータおよび／またはセンサモジュールを受け入れるハウジングの凹部と、
装置に機能を提供しかつハウジングに固定可能である構成要素であって、モータおよび／またはセンサモジュールをハウジングの凹部内の適所に維持するようにモータおよび／またはセンサモジュールの基部の下に延在するように配置されている保持機構を備える、構成要素と、
を備える。
【０１５７】
いくつかの構成では、構成要素は、ハウジングに固定可能なバッテリを含む。いくつかの構成では、バッテリは、モータおよび／またはセンサモジュールの基部の下に延在するように配置された基部フランジまたは他の突出機構を備える。いくつかの構成では、構成要素は、異なる機能的構成要素を含む。
【０１５８】
さらに、本明細書に開示する実施形態のうちの少なくとも１つのいくつかの特徴、態様および利点によれば、ガスの流れを送達する装置が開示され、装置は、
ハウジングと、
電気コネクタであって、電源コードのプラグを第１方向におけるプラグの移動によって受け取るように配置されているハウジング内の受電用ソケットを備え、保持部を備え、保持部は、第１方向に対して実質的に横切る第２方向における移動により、プラグをソケットと係合した状態で維持する、電気コネクタと、
を備える。
【０１５９】
いくつかの構成では、第２方向は、第１方向に対して垂直である。いくつかの構成では、第１方向は垂直であり、第２方向は水平である。
【０１６０】
１つまたは複数の実施形態からの特徴を、１つまたは複数の他の実施形態の特徴と組み合わせることができる。さらに、患者の呼吸支援のプロセス中に、２つ以上の実施形態を合わせて使用することができる。
【０１６１】
本明細書で用いる「備える（ｃｏｍｐｒｉｓｉｎｇ）」という用語は、「少なくとも一部には〜からなる」を意味する。「備える」という用語を含む、本明細書における各記述を解釈するとき、その用語の前にくるもの以外の特徴も存在する可能性がある。「備える（ｃｏｍｐｒｉｓｅ）」および「備える（ｃｏｍｐｒｉｓｅｓ）」などの関連する用語は、同様に解釈されるべきである。
【０１６２】
代替実施形態は、本明細書において例示し、記載しまたは言及する部品、要素または特徴のうちの２つ以上の任意のまたはすべての組合せを含むことができることが理解されるべきである。
【０１６３】
本発明はまた、個々にまたはまとめて、本出願の明細書において言及しまたは示す部品、要素および特徴、ならびに任意の２つ以上の前記部品、要素または特徴の任意のまたはすべての組合せにあると広義に言うことも可能である。
【０１６４】
本発明が関連する技術分野の当業者には、添付の特許請求の範囲において定義される本発明の範囲から逸脱することなく、構造の多くの変更ならびに本発明の広く異なる実施形態および応用が浮かぶであろう。本明細書における開示および記載は、単に例示的なものであり、いかなる意味においても限定的であるようには意図されていない。本明細書では、本発明が関連する技術分野において既知の均等物を有する具体的な完全体が言及されている場合、こうした既知の均等物は、個々に示されているかのように本明細書に組み込まれるものとみなされる。
【０１６５】
具体的な実施形態およびその変更形態は、以下の図を参照する本明細書の詳細な説明から当業者には明らかとなろう。
【図面の簡単な説明】
【０１６６】
【図１】流量治療装置の形態の呼吸補助装置を概略形態で示す。
【図２】加湿器チャンバが適所にありハンドル／レバーが上昇している流量治療装置の正面図である。
【図３】図２に対応する上面図である。
【図４】図２に対応する右側面図である。
【図５】図２に対応する左側面図である。
【図６】図２に対応する背面図である。
【図７】図２に対応する正面左斜視図である。
【図８】図２に対応する正面右斜視図である。
【図９】図２に対応する底面図である。
【図１０】流量治療装置の空気および酸素入口機構の第１構成を示す。
【図１１】流量治療装置の空気および酸素入口機構の第２構成を示す。
【図１２】図１１の空気および酸素入口機構のさらなる詳細を示す横断面図である。
【図１３】図１１の空気および酸素入口機構のさらなる詳細を示す別の横断面図である。
【図１４】図１１の空気および酸素入口機構のさらなる詳細を示す縦断面図である。
【図１５】流量治療装置の主ハウジングの上部シャシ構成要素および下部シャシ構成要素の組立分解図である。
【図１６】モータおよび／またはセンサモジュールサブアセンブリを受け入れるハウジングを示す主ハウジングの下部シャシの正面左側斜視図である。
【図１７ａ】モータおよび／またはセンサモジュールサブアセンブリのためのハウジング内部の凹部を示す流量治療装置の主ハウジングの第１下面斜視図である。
【図１７ｂ】モータおよび／またはセンサモジュールサブアセンブリのための凹部を示す流量治療装置の主ハウジングの第２下面斜視図である。
【図１８】流量治療装置を通るガス流路を矢印によって概略的に示す組立分解背面斜視図である。
【図１９】モータおよび／またはセンササブアセンブリ、主ハウジングの下面、および流量治療装置の固定されたエルボの斜視図である。
【図２０】モータおよび／またはセンササブアセンブリの構成要素の組立分解斜視図であり、そのサブアセンブリを通るガス流路を矢印によって概略的に示す。
【図２１】センサの位置を示す、モータおよび／またはセンササブアセンブリのカバーおよび検知ＰＣＢの下面図である。
【図２２ａ】モータおよび／またはセンササブアセンブリを受け入れる凹部を提供する主ハウジングの部分の配置を示す、装置の後縁に隣接して切断された流量治療装置の背面斜視図である。
【図２２ｂ】図２２ａに類似するが装置の正面により近接して切断された図である。
【図２２ｃ】図２２ｂに類似するが装置の正面により近接して切断された図である。
【図２２ｄ】図２２ｃに類似するが装置の正面により近接して切断された図である。
【図２２ｅ】図２２ｄに類似するが装置の正面により近接して切断された図である。
【図２２ｆ】図２２ｅに類似するが装置の正面により近接して切断された図である。
【図２３】流量治療装置で使用される液体チャンバの正面左側斜視図である。
【図２４】流量治療装置の構成要素のうちのいくつかの正面左側斜視図である。
【図２５】図２４に類似するが、取外し可能エルボ保持カバーが主ハウジングから取り外されている図である。
【図２６ａ】図２５の取外し可能エルボ保持カバーの上面斜視図である。
【図２６ｂ】図２５の取外し可能エルボ保持カバーの下面斜視図である。
【図２７】主ハウジングに取り付けられているときの取外し可能エルボの上面斜視図である。
【図２８】取外し可能エルボの斜視図である。
【図２９】電気部品およびガス流路を示す取外し可能エルボの断面図である。
【図３０】主ハウジングの電気コネクタから分離された取外し可能エルボを示す組立分解図である。
【図３１】主ハウジング内で使用される例示的な電気コネクタを示す。
【図３２】図３０および図３１の電気コネクタのコネクタガードを示す組立分解図である。
【図３３】ハンドル／レバーが上昇位置にある、加湿器チャンバを受け入れる第１構成の加湿器区画を示す流量治療装置の正面斜視図である。
【図３４】図３３に類似するが、加湿器チャンバが部分的に加湿器区画内に配置されガイドレールによって位置決められている図である。
【図３５】図３４に類似するが、ハンドル／レバーが部分的に下降して加湿器チャンバを加湿器区画と係合するようにさらに移動させている図である。
【図３６】ハンドル／レバーがさらに下降している、図３５に類似する図である。
【図３７】ハンドル／レバーが略完全に下降している、図３６に類似する図である。
【図３８】ハンドル／レバーが完全に下降して保持機構と係合している、図３７に類似する図である。
【図３９】加湿チャンバを受け入れる第２構成の加湿器区画を示し、加湿器区画内でチャンバを位置決めする戻り止めを備えたガイドレールの代替構成を有し、ハンドル／レバーが、液体チャンバのチャンバ区画からの取外しに役立つように構成されている、流量治療装置の正面上面斜視図である。
【図４０】左側ガイドレールおよび戻り止めの正面上面斜視図である。
【図４１】右側ガイドレールおよび戻り止めの正面上面斜視図である。
【図４２】ハンドル／レバーを下降または閉鎖位置で係合させる保持機構の上面斜視図である。
【図４３】戻り止めと係合している加湿器チャンバを示す、図３９〜図４２の装置の左側の正面上面斜視図である。
【図４４】上昇位置にある代替構成のハンドル／レバーを示す、図３９〜図４３の装置の正面上面斜視図である。
【図４５】下降または閉鎖位置にあるハンドル／レバーを示す、図４４の装置の正面上面斜視図である。
【図４６】ハンドル／レバーの詳細を示す、図４４の装置の左側の正面上面斜視図である。
【図４７】ハンドル／レバーの例示的なピボットの詳細を示す、図４４の装置の左側の正面上面斜視図である。
【図４８】ハンドル／レバーピボットの詳細を示す正面上面斜視図である。
【図４９】ハンドル／レバーが上昇位置にある、図４４の装置の左側の正面上面斜視図である。
【図５０】加湿器区画内に配置されたチャンバを示し、ハンドル／レバーが上昇位置にある、図４４の装置の正面上面斜視図である。
【図５１】図４４の装置内のガイドレールの真下に配置されたチャンバを示す。
【図５２】チャンバがガイドレールの真下に配置され、ハンドル／レバーが完全下降または閉鎖位置にある、図４４の装置の正面上面斜視図である。
【図５３】先行する図のうちの任意の１つの流量治療装置のユーザインタフェースディスプレイの図である。
【図５４】ボタン構成を示す図５３のユーザインタフェースディスプレイの縦断面図である。
【図５５】代替構成のハンドル／レバーを示し、ハンドル／レバーが下降または閉鎖位置にある、流量治療装置の正面上面斜視図である。
【図５６】図５５に対応するが、ハンドル／レバーが部分的上昇位置にある図である。
【図５７】図５５に対応するが、ハンドルが完全上昇または開放位置にあり、液体チャンバがチャンバ区画内に配置されている図である。
【図５８】流量治療装置の右側図であるが、ハンドル／レバーが部分的上昇位置にあり、液体チャンバがチャンバ区画内に配置されている。
【図５９】図５５に対応するが、液体チャンバがチャンバ区画内に配置されている図である。
【図６０】ハンドル／レバーが下降または閉鎖位置にあるときのハンドルレバーの主ハウジングへのピボット取付を示す、図５５〜図５９の流量治療装置の縦断面図である。
【図６１】図６０に対応するが、ハンドル／レバーが部分的上昇位置にある図である。
【図６２】図６０に対応するが、ハンドル／レバーが完全上昇または開放位置にある図である。
【図６３】ハンドル／レバーが図６１の位置にある断面斜視図である。
【図６４】図６３に対応するが、ハンドル／レバーが図６２の完全上昇または開放位置にある図である。
【図６５】図１９〜図２１または図７８〜図１０１のモータおよび／またはセンサモジュールサブアセンブリで使用されるモータの図である。
【図６６】流量治療装置で使用される代替的な取外し可能エルボの側面斜視図であり、エルボは、主ハウジングから取り外された状態で示されている。
【図６７】図６６の取外し可能エルボの正面／側面斜視図である。
【図６８】図６６の取外し可能エルボの背面下面斜視図である。
【図６９】図６６の取外し可能エルボの部分断面図である。
【図７０】図６６の取外し可能エルボのＰＣＢ電気コネクタの上面斜視図である。
【図７１】図７０のＰＣＢ電気コネクタの上面平面図である。
【図７２】流量治療装置で使用される別の代替的な取外し可能エルボの側面斜視図であり、エルボは、主ハウジングから取り外された状態で示されている。
【図７３】図７２の取外し可能エルボの背面下面斜視図である。
【図７４】図７２の取外し可能エルボの正面／側面斜視図である。
【図７５】図７２の取外し可能エルボのＰＣＢ電気コネクタの上面平面図である。
【図７６】ディスプレイおよびユーザインタフェースモジュールのためのキャリアの部分正面上面斜視図であり、キャリアは流量治療装置のうちの１つの主ハウジングの一部であり、エルボ受けが、図６６または図７２の取外し可能エルボを受け入れるように構成されている。
【図７７】図７６のキャリアおよびエルボ受けの正面上面斜視図である。
【図７８】流量治療装置で使用されるモータおよび／またはセンササブアセンブリの斜視図である。
【図７９】図７８のモータおよび／またはセンササブアセンブリの基部の斜視図である。
【図８０】図７９のモータおよび／またはセンササブアセンブリの基部の別の斜視図である。
【図８１】モータ／ブロワユニットと組み立てられた図７９および図８０の基部の上面斜視図である。
【図８２】図８１の基部およびモータ／ブロワユニットの別の上面斜視図である。
【図８３】図７８のモータおよび／またはセンササブアセンブリの基部の底面図である。
【図８４】カバー層の一部は図示されていない、図７８のモータおよび／またはセンササブアセンブリの斜視図であり、結合チューブまたはカフを示す。
【図８５】図７８のモータおよび／またはセンササブアセンブリの中間セクションの斜視図であり、カバー層からのガス流路の上部を概略的に示す。
【図８６】図８５の中間セクションの部分の上面図である。
【図８７】図８６の部分の上面斜視図である。
【図８８】ガス流路の下部を形成する、図７８のモータおよび／またはセンササブアセンブリの出口ガス流路および検知層の上面斜視図である。
【図８９】ガス流路の上部を形成する、図７８のモータおよび／またはセンササブアセンブリのカバー層の下面斜視図である。
【図９０】ＰＣＢが適所にある図７８のモータおよび／またはセンササブアセンブリの中間セクションの背面上面斜視図であり、カバー層からのガス流路の上部を概略的に示す。
【図９１】ＰＣＢが適所にない、図７８のモータおよび／またはセンササブアセンブリの中間セクションの背面上面斜視図である。
【図９２】図７８のモータおよび／またはセンササブアセンブリの出口ガス流路および検知層の下面斜視図である。
【図９３】図７８のモータおよびセンササブアセンブリのカバー層の上面図である。
【図９４】図９２のカバー層の上面斜視図である。
【図９５】図９３のカバー層の下面図である。
【図９６】図７８のモータおよび／またはセンササブアセンブリのガス出口ポートと図１の流量治療装置のハウジングの一部との間の封止機構の概略図である。
【図９７】図７８のモータおよび／またはセンササブアセンブリを通るガス流路を示す。
【図９８】図７８のモータおよび／またはセンササブアセンブリの別の上面斜視図である。
【図９９】図７８のモータおよび／またはセンササブアセンブリのＰＣＢに対する封止機構の概略図である。
【図１００】図７８のモータおよび／またはセンササブアセンブリのＰＣＢの上面斜視図である。
【図１０１】代替構成のハンドル／レバー機構を示し、ハンドル／レバーは下降または閉鎖位置にある、流量治療装置の正面上面斜視図である。
【図１０２】図１０１の装置の構成要素のうちのいくつかの組立分解正面上面斜視図である。
【図１０３】図１０１の装置の構成要素のうちのいくつかの組立分解下面斜視図である。
【図１０４】図１０１の装置の構成要素のうちのいくつかの組立分解上面斜視図である。
【図１０５】図１０１の装置のハンドル／レバー機構の構成要素のうちのいくつかの左側面図である。
【図１０６】図１０５に類似するが、ハンドル／レバーのピボットの移動経路を示す左側面図である。
【図１０７】図１０１の装置のハンドル／レバーを示す上面斜視図である。
【図１０８】ハンドル／レバーが実質的下降または閉鎖位置にある、図１０１の装置の一部の左側面図である。
【図１０９】ハンドル／レバーが部分的上昇位置にある、図１０８に対応する図である。
【図１１０】ハンドル／レバーがさらなる上昇位置にある、図１０８に対応する図である。
【図１１１】ハンドル／レバーが完全上昇位置にある、図１０８に対応する図である。
【図１１２】図１０１のハンドル／レバー機構の一部の詳細図であり、ハンドル／レバー機構の前部ピボットのためのピボット穴における段の特徴の詳細を示す。
【図１１３】図１０１の装置のハンドル／レバー機構の末端部の移動経路を示すプロットである。
【図１１４】図１０６および図１０８〜図１１２のものに対する代替構成の第２ピボット穴を示す図である。
【図１１５】図１０１の装置のハンドル／レバー機構の詳細を示し、ハンドル／レバーは部分的上昇位置にある、左側断面図である。
【図１１６】ハンドル／レバーが完全上昇位置にある、図１１５に対応する図である。
【図１１７】部分的上昇位置にあるハンドル／レバーを示す、図１０１の装置の左正面上面斜視図である。
【図１１８】図１０１の装置のハウジング、エルボ機構および取外し可能保持カバーを示す正面上面斜視図である。
【図１１９】図１１８の取外し可能保持カバーの詳細を示す正面下面図である。
【図１２０】図１０１の装置のハウジングと代替的な取外し可能保持カバーとを示し、保持カバーがハウジングから取り外されている、右正面上面斜視図である。
【図１２１】図１２０に類似するが、ハウジングに係合している保持カバーを示す図である。
【図１２２】図１０１の装置の電気コネクタ機構の上面斜視図である。
【図１２３】図１２２の電気コネクタ機構の別の上面斜視図である。
【図１２４】図１２２の電気コネクタ機構の底面斜視図である。
【図１２５】電源コードをソケットに結合するステップを示す、図１２２の電気コネクタ機構の上面斜視図である。
【図１２６】電源ハーネスガイドを示す、図１０１の装置の内部の一部の斜視図である。
【図１２７】図１２６の電源ハーネスガイドの斜視図である。
【図１２８】図１２７に対して反対側からの電源ハーネスガイドの斜視図である。
【図１２９】電源コードを受け入れる図１０１の装置のハウジングの領域の底面背面斜視図である。
【図１３０】図１２９の領域に対応するハウジングの領域を示す、ハウジングの内部からの上面正面斜視図である。
【図１３１】図１０１の装置のＵＳＢコネクタ機構を通る側面断面図である。
【図１３２】バッテリパックと図１３１のＵＳＢコネクタ機構とを示す、図１０１の装置の背面斜視図である。
【図１３３】装置を棒またはスタンドに取り付ける一体マウントを示す、図１０１の装置の側面斜視図である。
【図１３４】棒またはスタンドに取り付けられた図１０１の装置の概略側面斜視図である。
【図１３５】図１０１の装置のＰＣＢコネクタの斜視図であって、コネクタはオーバーモールドされたカラーを有する。
【図１３６】図１０１の装置の下部シャシの正面上面斜視図であり、図１３５のＰＣＢコネクタの例示的な配置を示す。
【図１３７】図７２の取外し可能エルボの、Ｔシールがエルボ上の適所にある、側面図である。
【図１３８】エルボの上の適所にないときの図１３７に示すＴシールの断面図である。
【図１３９】例示的な寸法を示す、図１３７および図１３８のＴシールの一部の概略断面図である。
【図１４０】流量治療装置で使用される、代替構成の取外し可能エルボおよび代替構成のＴシールの斜視図である。
【図１４１】図１４０の取外し可能エルボおよびＴシールの断面斜視図である。
【図１４２】流量治療装置で使用される、代替構成の取外し可能エルボとＬシールに類似する適合されたＴシールとの斜視図である。
【図１４３】図１４２の取外し可能エルボおよびシールの断面斜視図である。
【図１４４】機械的スタンドオフ機構を示す、液体チャンバの出口ポートに結合された取外し可能エルボの入口ポートを示す。
【図１４５】電気コネクタが位置する領域における図１０１の流量治療装置の下部シャシの代替構成の背面下面斜視図である。
【図１４６】図１４５の電気コネクタの保持部の下面斜視図である。
【図１４７】図１４６の保持部の上面図である。
【図１４８】流量治療装置で使用される代替構成の入口エルボの正面側上面斜視図である。
【図１４９】図１４８の入口エルボの背面下面斜視図である。
【図１５０】一方向弁を示す、図１４８および図１４９の入口エルボの正面斜視図である。
【図１５１】さねおよび／または溝機構を示す、図１０１の流量治療装置の代替的な下部シャシの正面上面斜視図である。
【図１５２】さねおよび／または溝機構を示す、図１５１の下部シャシの別の正面上面斜視図である。
【図１５３】さねおよび／または溝機構を示す、図１０１の流量治療装置の代替的な上部シャシの背面下面斜視図である。
【図１５４】さねおよび／または溝機構を示す、図１５３の上部シャシの正面下面斜視図である。
【図１５５】さねはぎ機構の位置を示す、図１５１〜図１５４の上部シャシおよび下部シャシを備えた図１０１の流量治療装置の側面部分断面図である。
【図１５６】バッテリの領域におけるさねはぎ機構を示す詳細Ｄ１５６の図である。
【図１５７】さねはぎ機構を示す詳細Ｄ１５７の図である。
【図１５８】さねはぎ機構を示す詳細Ｄ１５８の図である。
【図１５９】さねはぎ機構を示す詳細Ｄ１５９の図である。
【図１６０】通信コネクタ機構の領域におけるさねはぎ機構の詳細Ｄ１６０の図である。
【図１６１】流量治療装置で使用されるさねはぎ機構の一構成の概略図である。
【図１６２】流量治療装置で使用されるさねはぎ機構の別の構成の概略図である。
【図１６３】装置の背面の適所にあるより大型のバッテリを示す、図１０１の装置の背面図である。
【図１６４】バッテリの基部フランジとモータおよび／またはセンサモジュールとの間の重なりを示す、図１６３に示すバッテリを備えた装置の下面背面斜視図である。
【図１６５】流量治療装置で使用される代替的な取外し可能エルボの側面斜視図である。
【図１６６】図１６５の取外し可能エルボの下面図である。
【図１６７】図１６６の取外し可能エルボのＰＣＢ電気コネクタの上面斜視図である。
【図１６８】図１６７のＰＣＢ電気コネクタの平面図である。
【図１６９】ＰＣＢ電気コネクタのいくつかの詳細を示す、図１６５の取外し可能エルボの部分透視上面斜視図である。
【図１７０】ＰＣＢ電気コネクタの代替的な詳細を示す、図１６５の取外し可能エルボの部分透視上面斜視図である。
【図１７１】ＰＣＢ電気コネクタの代替的な詳細を示す、図１６５の取外し可能エルボの部分透視上面斜視図である。
【図１７２】ＰＣＢ電気コネクタの代替的な詳細を示す、図１６５の取外し可能エルボの部分透視上面斜視図である。
【図１７３】ディスプレイおよびユーザインタフェースモジュールのためのキャリアの上面斜視図であり、キャリアは、流量治療装置のうちの１つの主ハウジングの一部である。
【図１７４】図１７３のキャリアの下面斜視図である。
【図１７５】図１７３および図１７４のキャリアと使用される取外し可能保持カバーの下面斜視図である。
【図１７６】図１７３および図１７４のキャリアに図１７５の取外し可能保持カバーを結合する可撓性テザーの斜視図である。
【図１７７】流量治療装置で使用されるモータおよび／またはセンササブアセンブリの斜視図である。
【図１７８】モータおよび／またはセンサアセンブリの基部の上面斜視図である。
【図１７９】モータおよび／またはセンササブアセンブリの基部および中間セクションの上面斜視図である。
【図１８０】モータおよび／またはセンササブアセンブリの中間セクションの下面図である。
【図１８１】モータおよび／またはセンササブアセンブリの中間セクションの斜視図である。
【図１８２】モータおよび／センササブアセンブリのカバー層の上面斜視図である。
【図１８３】モータおよび／またはセンササブアセンブリの構成要素のうちのいくつかの部分組立分解図である。
【図１８４】ＴシールまたはＬシールを利用する患者呼吸導管機構の斜視図である。
【図１８５】図１８４の患者呼吸導管機構のコネクタの内部を示す。
【図１８６】図１８４および図１８５の患者呼吸導管機構のコネクタの部分透視図である。
【発明を実施するための形態】
【０１６７】
１．概論
図１に、流量治療装置１０を示す。一般的に、装置１０は、モータ／インペラ配置構成の形態の流れ発生器１１と、任意選択的な加湿器１２と、コントローラ１３と、ユーザＩ／Ｏインタフェース１４（たとえば、ディスプレイ、およびボタン、タッチスクリーン等の入力デバイスを含む）を収容する主ハウジング１００を備える。コントローラ１３は、患者に送達するガスの流れ（ガス流）を生成するように流れ発生器１１を動作させること、生成されたガス流を加湿しかつ／または加熱するように加湿器１２（存在する場合）を動作させること等、装置の構成要素を制御し、装置１０の再構成および／またはユーザ定義動作に対してユーザインタフェース１４からユーザ入力を受け取り、ユーザに情報を（たとえば、ディスプレイに）出力するように構成されるかまたはプログラムされている。ユーザは、患者、医療専門家、または装置の使用に関心のある別の人であり得る。
【０１６８】
流量治療装置１０のハウジング１００内のガス流出力口３４４に、患者呼吸導管１６が結合されており、それは、マニホールド１９および鼻プロング１８を備えた鼻カニューレ等の患者インタフェース１７に結合されている。さらにまたは別法として、患者呼吸導管１６は、フェイスマスクに結合することができる。さらにまたは別法として、患者呼吸導管は、鼻ピローマスクおよび／または鼻マスクおよび／または気管切開インタフェース、または他の任意の好適なタイプの患者インタフェースに結合することができる。流量治療装置１０によって生成される、加湿することができるガス流は、患者呼吸導管１６を介してカニューレ１７を通して患者に送達される。患者呼吸導管１６は、通過して患者まで流れるガス流を加熱するヒータワイヤ１６ａを有することができる。ヒータワイヤ１６ａは、コントローラ１３によって制御される。患者呼吸導管１６および／または患者インタフェース１７は、流量治療装置１０の一部、または別法としてその周辺装置とみなすことができる。流量治療装置１０、呼吸導管１６および患者インタフェース１７は、合わせて流量治療システムを形成する。
【０１６９】
流量治療呼吸装置１０の全体的な動作は、当業者には既知となるため、ここでは詳細に記載する必要はない。しかしながら、一般的に、コントローラ１３は、所望の流量のガス流を生成するように流れ発生器１１を制御し、空気および酸素または他の代替ガスの混合を制御するように１つまたは複数の弁を制御し、適切なレベルまでガス流を加湿しかつ／またはガス流を加熱するように加湿器１２（存在する場合）を制御する。ガス流は、患者呼吸導管１６およびカニューレ１７を通って患者の体内に出るように向けられる。コントローラ１３はまた、所望のレベルの治療および／または患者に対する快適さを達成する所望の温度までガスを加熱するように、加湿器１２の加熱素子および／または患者呼吸導管１６の加熱素子１６ａを制御することも可能である。コントローラ１３をガス流の好適な目標温度でプログラムすることができ、または、コントローラ１３がガス流の好適な目標温度を決定することができる。
【０１７０】
流量治療装置１０および／または患者呼吸導管１６および／またはカニューレ１７のさまざまな位置に、流量センサ、温度センサ、湿度センサおよび／または圧力センサ等の動作センサ３ａ、３ｂ、３ｃ、２０、２５を配置することができる。センサからの出力は、コントローラ１３が受け取り、コントローラ１３が最適な治療を提供するように流量治療装置１０を動作させるのに役立つことができる。いくつかの構成では、最適な治療を提供することは、患者の呼吸要求を満たすことを含む。装置１０は、コントローラ１３が、センサから信号を受け取り８、かつ／または限定されないが流れ発生器１１、加湿器１２およびヒータワイヤ１６ａを含む流量治療装置１０のさまざまな構成要素、もしくは流量治療装置１０に関連する付属装置もしくは周辺装置を制御することができるように、送信器および／または受信器１５を有することができる。さらにまたは別法として、送信器および／または受信器１５は、リモートサーバにデータを送出するかまたは装置１０の遠隔制御を可能にすることができる。
【０１７１】
流量治療装置１０は、任意の好適なタイプの装置であり得るが、いくつかの構成では、患者に（たとえば、空気、酸素、他の混合ガスまたはそれらの何らかの組合せの）高ガス流量またはハイフローセラピー（高流量療法）を送達して、呼吸を補助しかつ／または呼吸疾患を治療することができる。いくつかの構成では、ガスは酸素であるかまたは酸素を含む。いくつかの構成では、ガスは、酸素および周囲空気の混合物を含む。本開示で用いる「ハイフローセラピー」は、約１０リットル／分（１０ＬＰＭ）より高いかまたはそれに等しい流量での患者へのガスの送達を指すものとする。いくつかの構成では、「ハイフローセラピー」は、約１０ＬＰＭ〜約１００ＬＰＭ、または約１５ＬＰＭ〜約９５ＬＰＭ、または約２０ＬＰＭ〜約９０ＬＰＭ、または約２５ＬＰＭ〜約８５ＬＰＭ、または約３０ＬＰＭ〜約８０ＬＰＭ、または約３５ＬＰＭ〜約７５ＬＰＭ、または約４０ＬＰＭ〜約７０ＬＰＭ、または約４５ＬＰＭ〜約６５ＬＰＭ、または約５０ＬＰＭ〜約６０ＬＰＭの流量での患者へのガスの送達を指すものとする。送達されるガスは、ある割合の酸素を含むことができる。いくつかの構成では、送達されるガスにおける酸素の割合は、約２０％〜約１００％、または約３０％〜約１００％、または約４０％〜約１００％、または約５０％〜約１００％、または約６０％〜約１００％、または約７０％〜約１００％、または約８０％〜約１００％、または約９０％〜約１００％、または約１００％、または１００％であり得る。
【０１７２】
ハイフローセラピーは、患者の呼吸要求を満たすかまたは上回り、患者の酸素供給を増大させ、かつ／または呼吸の努力を低減させるのに有効であることが分かった。さらに、ハイフローセラピーは、鼻咽頭内のフラッシング効果を発生させることができ、それにより、上気道の解剖学的死腔が、入ってくる高流量のガス流によってフラッシングされる。これにより、呼吸毎に利用可能な新鮮なガスの貯蔵部が生成され、一方で、二酸化炭素、窒素等の再呼吸が最小限になる。
【０１７３】
患者インタフェースは、気圧障害（たとえば、気圧に対する圧力の差による肺または呼吸系の他の器官に対する組織損傷）を防止する非封止インタフェースであり得る。患者インタフェースは、マニホールドおよび鼻プロングを備えた鼻カニューレ、および／またはフェイスマスク、および／または鼻ピローマスク、および／または鼻マスク、および／または気管切開インタフェース、または他の任意の好適なタイプの患者インタフェースであり得る。
【０１７４】
図２〜図５４に示しかつ後述するように、流量治療装置１０は、装置１０の機能、使用および／または構成に役立つさまざまな特徴を有する。
【０１７５】
２．主ハウジングの説明を含む概説
図２〜図１８に示すように、流量治療装置１０は主ハウジング１００を備える。主ハウジング１００は、主ハウジング上部シャシ１０２および主ハウジング下部シャシ２０２を有する。
【０１７６】
主ハウジング上部シャシ１０２は、周壁配置構成１０６を有する。周壁配置構成は、取外し可能液体チャンバ３００を受け入れる、加湿器または液体チャンバ区画１０８を画定する。取外し可能液体チャンバ３００は、患者に送達されるガスを加湿するために水などの好適な液体を収容する。
【０１７７】
図示する形態では、主ハウジング上部シャシ１０２の周壁配置構成１０６は、主ハウジング１００の前後方向に向けられる実質的に垂直な左側外壁１１０と、主ハウジング１００の前後方向に向けられる実質的に垂直な左側内壁１１２と、左側内壁１１２および左側外壁１１０の上端部の間に延在しかつそれらを相互接続する相互接続壁１１４とを備える。主ハウジング上部シャシ１０２は、主ハウジング１００の前後方向に向けられる実質的に垂直な右側外壁１１６と、主ハウジング１００の前後方向に向けられる実質的に垂直な右側内壁１１８と、右側内壁１１８および右側外壁１１６の上端部の間に延在しかつそれらを相互接続する相互接続壁１２０とをさらに備える。相互接続壁１１４、１２０は、主ハウジング１００のそれぞれの外縁に向かって角度が付けられているが、別法として、実質的に水平とするかまたは内向きに角度を付けることができる。
【０１７８】
主ハウジング上部シャシ１０２は、実質的に垂直な後部外壁１２２をさらに備える。主ハウジング上部シャシ１０２の上部は、前方角度付き面１２４を備える。面１２４は、図５３および図５４により詳細に示すディスプレイおよびユーザインタフェースモジュール１４を受け入れるための凹部１２６を有する。後部外壁１２２の上端部と面１２４の後縁との間に、相互接続壁１２８が延在し、それらを相互接続する。
【０１７９】
実質的に垂直な壁部分１３０が、面１２４の前端部から下方に延在している。実質的に水平な壁部分１３２が、壁部分１３０の下端部から前方に延在して棚状突起を形成している。実質的に垂直な壁部分１３４が、壁部分１３２の前端部から下方に延在し、液体チャンバ区画１０８の実質的に水平な床部分１３６で終端している。左側内壁１１２、右側内壁１１８、壁部分１３４および床部分１３６は、合わせて、液体チャンバ区画１０８を画定している。液体チャンバ区画１０８の床部分１３６は、ヒータプレート１４０、または加湿プロセス中に使用される液体チャンバ３００内の液体を加熱する他の好適な加熱素子等のヒータ機構を受け入れる凹部１３８を有する。
【０１８０】
液体チャンバ区画１０８の床部分１３６は、左側内壁１１２および右側内壁１１８の前縁の手前で終端して、下方に延在するリップ１４２を形成している。リップ１４２は、さらに後述するように、液体チャンバ３００の挿入に役立つように使用されるレバー５００のハンドル部分５０６を受け入れる凹部の一部を形成する。液体チャンバ区画１０８は、左側の水平に延在するガイドレール１４４および右側の水平に延在するガイドレール１４６の形態の対向するガイド機構をさらに備え、それらは、左側内壁１１２および右側内壁１１８から区画１０８の中心に向かって延在して、詳細に後述するように、液体チャンバ３００の区画１０８の適所への案内に役立つ。
【０１８１】
主ハウジング下部シャシ２０２は、たとえばクリップ等、好適な締結具または一体化した取付機構のいずれかにより、上部シャシ１０２に取り付け可能である。主ハウジング下部シャシ２０２は、主ハウジング１００の前後方向に向けられかつ上部シャシ１０２の左側外壁１１０と連続する、実質的に垂直な左側外壁２１０と、主ハウジング１００の前後方向に向けられかつ上部シャシ１０２の右側外壁１１６と連続する、実質的に垂直な右側外壁２１６とを備える。主ハウジング下部シャシ２０２は、上部シャシ１０２の後部外壁１２２と連続する実質的に垂直な後部外壁２２２をさらに備える。
【０１８２】
下部ハウジングシャシ２０２は、上部ハウジングシャシ１０２のリップ１４２と連続するリップ２４２を有し、それもまた、レバー５００のハンドル部分５０６を受け入れる凹部の一部を形成する。下部リップ２４２は、レバー５００のハンドル部分５０６のための保持部として作用する前向きの突起２４３を備える。
【０１８３】
下部ハウジングシャシ２０２の下側は、底壁２３０を備える。それぞれの相互接続壁２１４、２２０、２２８は、実質的に垂直な壁２１０、２１６、２２２と底壁２３０との間に延在しかつそれらを相互接続する。底壁２３０は、液体チャンバ３００からの（たとえば、こぼれた液体からの）漏れがある場合に液体の排出を可能にする複数の開口部を備えたグリル２３２を備える。底壁２３０は、細長い前後に向けられたスロット２３４をさらに備える。スロット２３４は、さらに、液体チャンバ３００からの漏れがある場合に、液体が電子回路ハウジングに入らずに液体の排出を可能にする。例示する構成では、ヒータプレート１４０は、底壁２３０の外側部分によって支持されておらず、そのため、スロット２３４は、液体の排出を最大限にするようにグリル２３２の開口部に対して広くかつ細長くすることができる。
【０１８４】
図１７ａ〜図２２ｆに示すように、下部シャシ２０２は、図１９〜図２１に示しかつさらに詳細に後述する取外し可能なモータおよび／またはセンサモジュール４００を受け入れるためのモータ凹部２５０を有する。図１９および図２１ならびに図２２ｂ〜図２２ｆに示しかつさらに詳細に後述する取外し可能なモータ／センサモジュール４００を受け入れるために、底壁２３０の後縁に隣接して凹部開口部２５１が設けられている。連続的なガス不透過性の切れ目のない周壁２５２が、下部シャシ２０２の底壁２３０と一体的に形成され、開口部２５１の周辺から上方に延在している。周壁２５２の後方部分２５４が第１高さを有し、周壁２５２の前方部分２５６が、第１高さより大きい第２高さを有する。周壁２５２の後方部分２５４は、実質的に水平の段２５８で終端し、それはさらに、周壁２５２の上部補助後方部分２６０で終端する。前方部分２５６および上部補助後方部分２６０は、天井２６２で終端する。壁および天井２６２のすべてが、ガス流路を除いて連続的であり、ガス不透過性でありかつ切れ目がない。図２２ｆにおいて最も明確に分かるように、ガス流路を形成するチューブ２６４は、天井２６２と一体的に形成されており、天井はチューブ２６４を包囲しかつチューブ２６４から外向きに延在している。したがって、モータ凹部２５０全体が、ガス流路を除いてガス不透過性であって切れ目がない。
【０１８５】
図２２ｆに示すように、ガス流路を形成するチューブ２６４は、上部ハウジングシャシ１０２内の棚状突起１３２と一体的に形成されている下方外側伸長チューブまたは導管１３３を通って上方に延在している。チューブ２６４は、少なくとも棚状突起１３２まで延在し、棚状突起１３２より垂直方向に高い箇所まで延在することができる。Ｏリングシール（図示せず）等のソフトシールが、ガス流路チューブ２６４の外部と下方外側伸長チューブ１３３の内部との間に位置して、組み立てられたときに構成要素の間にシールを提供する。他の構成では、ガス流路チューブ２６４および下方伸長チューブ１３３は、締まりばめまたは圧入機構を介して互いに取り付けられるとともに、依然として、組み立てられたときに構成要素の間にシールを提供するように構成することができる。限定されないが、ガス流路チューブ２６４と下方伸長チューブ１３３との間のラッチ／キャッチ型取付具およびバヨネット型取付具を含むさらに他の構成が企図される。チューブ２６４は、さらに詳細に後述するカバー１５０の真下で終端する。
【０１８６】
この構成により、任意のシールを介してモータまたはモータに続くガス流路からガスの何らかの漏れがある場合、ガスは、後述するように制御基板および他の電気部品を収容する主ハウジングの内部に侵入するのではなく、周囲環境に排出される。ハウジング内の電気部品および電子回路基板は、ガス流から空気的に隔離されている。ガスが電子回路基板および他の電気部品を収容する主ハウジング１００の部分内に漏れる唯一の方法は、ハウジング１００または別の物理的構成要素に物理的な亀裂がある場合となる。インペラの上流におけるモータおよび／またはセンサモジュール４００のモータ内の圧力は、電気／電子部品を収容する主ハウジング１００の部分における圧力より低い可能性があり、それもまた、いかなるガス漏れも周囲環境に排出されるのに役立つ。
【０１８７】
ガス流がガス乱流の形成によりかつ摩擦によりシステムを通して移動する際（たとえば、ガスがガス通路を画定する壁に沿って移動する際）、ガス流に圧力降下がある。
【０１８８】
モータおよび／またはセンサモジュール４００を画定するハウジングに破損部（たとえば、亀裂）がある場合、その破損部における（周囲環境への）漏れにより、下流の（例えば、電気／電子部品を収容する主ハウジング１００の部分におけるガスの）圧力がより大幅に低下し、それにより、下流において更なる破損が発生する場合に、電気／電子部品への漏れの確率または重大度が軽減する。
【０１８９】
モータおよび／またはセンサモジュール４００において、圧力は、モータインペラの前／上流の方が低く、圧力は、モータインペラの後／下流の方が高い。圧力が低い方の領域において、モータインペラの上流でモータに対して電気接続が設けられる。電気接続の近くの部分においてハウジング内に破損部がある場合、空気は、低圧力側に吸い込まれる。
【０１９０】
代替構成では、要素２５２、２５４、２５６、２５８、２６０、２６４を含むモータ凹部を、下部シャシ２０２とは別個に形成することができる。凹部を含むモータアセンブリは、凹部開口部２５１内に挿入可能であり、下部シャシ２０２に取付可能であり得る。モータアセンブリおよび凹部を下部シャシ２０２に挿入すると、ガス流路チューブ２６４は、下方伸長チューブ１３３を通って延在し、ソフトシールによって封止される。
【０１９１】
図示する形態では、凹部２５０は、ハウジングの底壁に凹部開口部を備える。別法として、凹部開口部は、ハウジングの側部、正面または頂部等、ハウジングの異なる部分にあり得る。
【０１９２】
記載する構成は、図１９および図２０を参照して後述するように、取外し可能モータおよび／またはセンサモジュール４００を受け入れるような形状のチャンバを提供する。（限定されないが周壁２５２の一部を含む）凹部２５０の内壁に、凹部２５０にモジュール４００を位置決めしかつ／または取り付けるのに役立つようにガイドおよび／または取付機構を設けることができる。取外し可能モータおよび／またはセンサモジュール４００は、流れ発生器であり、液体チャンバ３００を介して患者インタフェース１７にガスを送達するブロワとして動作するインペラを備えたモータ４０２を備える。チャンバの形状は、モータ／センサモジュール４００の形状に応じて変更することができることが理解されよう。しかしながら、主ハウジング１００内の電気部品および電子部品からガス流を隔離するために、チャンバに、連続的な、ガス不透過性の切れ目のない壁および天井が設けられる。
【０１９３】
図２３を参照すると、取外し可能液体チャンバ３００は、液体リザーバを画定する外側ハウジング３０２と、液体リザーバと流体連通する液体チャンバガス入口ポート３０６と、液体リザーバと流体連通する液体チャンバガス出口ポート３０８とを備える。液体チャンバ３００を通るガスの流路を画定するために、液体リザーバの内部にバッフル３０４が設けられる。液体チャンバ３００の下縁が、チャンバ区画１０８内に液体チャンバ３００を位置決めしかつ保持するチャンバ区画１０８内のガイドレール１４４、１４６と相互作用する、外向きの環状フランジ３１０を備える。フランジ３１０は、液体チャンバ３００の周壁３１２の基部から外向きに延在している。液体チャンバ３００の底壁は、熱伝導性であり、液体チャンバ３００内の液体を加熱するようにヒータプレート１４０の上に載るように適合されている。
【０１９４】
装置１０は、装置１０に液体チャンバ３００を流体結合するための接続マニホールド機構３２０を備える。液体チャンバ３００は、ハウジング１００の後部に向かう方向においてハウジング１００の正面の位置から、チャンバ区画１０８内への液体チャンバ３００の後方方向における直線状の摺動運動で装置１０に流体結合することができる。接続マニホールド機構３２０は、モータ／インペラユニット４０２からのガス流路と、固定されたＬ字型エルボ３２４を介して流体連通する、マニホールドガス出口ポート３２２を備える。図２２ｆに示すように、エルボのガス流入口ポートを形成するエルボ３２４の下方部分３２５は、ガス流路チューブ２６４の内部に、好ましくはガス流路チューブ２６４の下端部の下方の位置まで、下方に延在する。Ｏリングシール等のソフトシールが、下方部分３２５の外部とガス流路チューブ２６４の内部との間に設けられて、これらの部品の間を封止する。
【０１９５】
接続マニホールド機構３２０は、取外し可能エルボ３４２に組み入れられるマニホールドガス入口ポート３４０（加湿ガス戻り）をさらに備える。取外し可能エルボ３４２は、Ｌ字型であり、患者インタフェース１７にガスを送達するために患者呼吸導管１６に結合する患者出口ポート３４４をさらに備える。マニホールドガス出口ポート３２２、マニホールドガス入口ポート３４０および患者出口ポート３４４は、各々、装置１０、液体チャンバ３００および患者呼吸導管１６の間に封止されたガス通路を提供する。
【０１９６】
液体チャンバガス入口ポート３０６は、接続マニホールドガス出口ポート３２２と相補的であり、液体チャンバガス出口ポート３０８は、接続マニホールドガス入口ポート３４０と相補的である。それらのポートの軸は、液体チャンバ３００が直線状の動きでチャンバ区画１０８内に挿入されるのを可能にするように、好ましくは平行である。
【０１９７】
装置１０は、モータ４０２が液体チャンバ３００に、それにより患者に空気、酸素またはそれらの好適な混合物を送達するのを可能にするように、モータ４０２と流体連通する空気および酸素（または代替的な補助ガス）入口を有する。いくつかの構成では、ガスは、酸素および周囲空気の混合物を含む。図１０に示すように、装置１０は、結合された空気／酸素（又は代替的な補助ガス）入口機構３５０を有することができる。この機構は、ハウジング１００内への結合された空気／酸素ポート３５２と、フィルタ３５４と、酸素源と流体連通している横方向に延在する酸素チューブ３５８を有するカバー３５６とを備える。ポート３５２は、モータ４０２と流体結合されている。たとえば、ポート３５２は、ポート３５２とモータおよび／またはセンサモジュール４００の入口開口部またはポートとの間のガス流路（モータに至る）を介して、モータおよび／またはセンサモジュール４００に結合することができる。この機構は、米国特許出願公開第２０１４／０３４５６１５号明細書に記載されているタイプとすることができ、その明細書の内容は、参照により全体として本明細書に組み込まれる。
【０１９８】
別法として、装置１０は、モータ４０２が空気、酸素（または代替的な補助ガス）またはそれらの好適な混合物を液体チャンバ３００に、それにより患者に送達することを可能にする、図１１〜図１４に示す配置構成を有することができる。この配置構成は、ハウジング１００の下部シャシ２０２の後壁２２２に空気入口３５６’を備える。空気入口３５６’は、開口部および／またはスロットの好適なグリル機構を備えた剛性プレートを備える。プレートの内側においてプレートに隣接して消音フォームを設けることができる。主ハウジング１００の内部に空気入口３５６’に隣接して、空気フィルタボックス３５４’が配置され、それは、ろ過された空気を、モータおよび／またはセンサモジュール４００の空気入口ポート４０４を介してモータ４０２に送達するように、空気出口ポート３６０を備える。空気フィルタボックス３５４’は、ガス流から粒子（たとえば、塵埃）および／または病原体（たとえば、ウイルスまたは細菌）を除去するように構成されたフィルタを備えることができる。Ｏリングシール等のソフトシールが、空気出口ポート３６０と空気入口ポート４０４との間に設けられて、それらの部品の間を封止する。装置１０は、ハウジング１００の後端部においてその１つの面に隣接して配置された別個の酸素入口ポート３５８’を備え、酸素ポート３５８’は、管で運ばれる酸素のタンクまたは供給源等の酸素源から酸素を受け取るためのものである。酸素入口ポート３５８’は、比例酸素弁３６２と流体連通している。酸素弁３６２は、好適には、液体チャンバ３００に送達されるガス流に追加される酸素の量の制御を可能にするソレノイド弁となる。代替構成では、酸素ポート３５８’および比例酸素弁３６２を他の補助ガスと用いて、他の補助ガスのガス流への追加を制御することができることが理解されるべきである。他の補助ガスは、限定されないがヘリオックスおよび一酸化窒素を含む、ガス療法に対して有用な複数のガスのうちの任意の１つまたは複数を含むことができる。
【０１９９】
図１３〜図１６および図２２ｂ〜図２２ｆに示すように、下部ハウジングシャシ２０２は、プリント回路基板等の好適な電子回路基板２７２を支持する。電子回路基板は、下部ハウジングシャシ２０２のそれぞれの外側側壁２１０、２１６に隣接して配置されている。電子回路基板２７２は、限定されないが、マイクロプロセッサ、コンデンサ、抵抗、ダイオード、オペアンプ、比較器およびスイッチ等の好適な電気部品または電子部品を含むか、またはそれらと電気通信する。センサを使用することができる。電子回路基板２７２のコンポーネント（限定されないが、１つまたは複数のマイクロプロセッサ等）は、装置のコントローラ１３として作用する。
【０２００】
電子回路基板２７２の一方または両方は、ディスプレイユニットおよびユーザインタフェース１４、モータ４０２、酸素弁３６２およびヒータプレート１４０を含む、装置１０の電気部品と電気通信して、所望の流量のガスを提供するようにモータ４０２を動作させ、ガス流を適切なレベルまで加湿し加熱するように加湿器１２を動作させ、かつガス流に適切な量の酸素（または、代替構成では、大量の代替的な補助ガス）を供給する。
【０２０１】
電子回路基板２７２は、上部ハウジングシャシ１０２の後壁１２２から突出しているコネクタ機構２７４と電気通信する。コネクタ機構２７４は、ナースコール、パルスオキシメトリポートおよび／または他の好適な付属品に結合することができる。電子回路基板２７２はまた、電気コネクタ２７６と電気通信し、電気コネクタ２７６もまた、装置１０の構成要素に商用電源またはバッテリ電力を提供するように上部ハウジングシャシ１０２の後壁１２２に設けられている。電子回路基板２７２はまた、取外し可能エルボ３４２のための電気コネクタ２７８とも電気通信し、その目的についてはより詳細に後述する。
【０２０２】
上述したように、流量治療装置１０および／または患者呼吸導管１６および／またはカニューレ１７のさまざまな位置に、流量センサ、温度センサ、湿度センサおよび／または圧力センサ等の動作センサを配置することができる。電子回路基板２７２は、それらのセンサと電気通信する。センサからの出力は、コントローラ１３が受け取り、吸気要求を満たす等の最適な治療を提供するように、コントローラ１３が流量治療装置１０を動作させるのに役立つことができる。
【０２０３】
上で概説したように、電子回路基板２７２ならびに他の電気部品および電子部品は、ガス流路から空気的に隔離されており、それにより、その隔離がない場合に発生した可能性があるあらゆる火災または爆発の危険が低減しまたは回避される。
【０２０４】
ここで、装置のさまざまな態様についてより詳細に説明する。
【０２０５】
３．モータおよび／またはセンサモジュール
図１９〜図２２ｆは、取外し可能なモータおよび／またはセンサモジュールまたはサブアセンブリ４００をより詳細に示す。上述したように、下部シャシ２０２は、モータおよび／またはセンサモジュール４００を受け入れる凹部２５０を備える。
【０２０６】
図１９〜図２１に示す形態では、モータおよび／またはセンサモジュール４００は、以下の３つの主な構成要素の積層配置を備える。すなわち、サブアセンブリ４００の基部４０３（その上にモータ４０２が配置される）、基部４０３の上方に配置された出口ガス流路および検知層４２０、ならびにカバー層４４０である。基部４０３、検知層４２０およびカバー層４４０は、集合してサブアセンブリハウジングを形成し、それは、サブアセンブリ４００を凹部２５０内に受け入れることができるように凹部２５０の形状と相補的な形状を有する。基部４０３は、サブアセンブリ４００が凹部２５０内に配置されたときに凹部開口部２５１を閉鎖するように構成されている。サブアセンブリ４００は、たとえば締結具、クリップまたはクイックリリース機構等、任意の好適な方法で凹部内の適所に維持することができる。
【０２０７】
検知層は、１つまたは複数のセンサを含むガス流路を備え、ガス流路は、ハウジングの出口ポートにガスを送達するように配置されている。
【０２０８】
モータ４０２は、インペラを収容するインペラチャンバを画定する本体４０８を有する。モータ４０２は、任意の好適なガスブロワモータとすることができ、たとえば、公開ＰＣＴ出願、国際公開第２０１３／００９１９３号パンフレットに記載されかつたとえば図６５に示すタイプのモータおよびインペラアセンブリであり得る。その明細書の内容は、参照により全体として本明細書に組み込まれる。
【０２０９】
本体４０８の周縁部の間隔があけられた位置に、複数の振動隔離構造体４１２が位置している。振動隔離構造体４１２は、動作中にインペラまたはモータの他の構成要素の動きによってもたらされる振動を吸収するように構成されている。振動の吸収により、サブアセンブリハウジング内部のモータ４０２のラットリングを軽減することができ、それにより、モータ４０２によって発せられる雑音を低減させることができる。振動の吸収はまた、サブアセンブリ４００のさまざまな構成要素における材料疲労も軽減することができる。振動隔離構造体４１２は、シリコーン材料から構成することができる。他の構成では、限定されないがアクリル樹脂およびポリウレタン樹脂を含む他の弾性材料を使用することができる。図示する形態では、振動隔離構造体４１２は、直立プラスチックポストを備え、ポストの上には弾性円筒状スリーブが配置されている。振動隔離構造体は、本体４０８に取り付けられており、基部およびセンサ層の凹部に受け入れられる。別法として、配置を反転させることができる。別の代替形態では、基部およびセンサ層の各々に取付ポストを設けることができ、ポストは、弾性スリーブにおいて互いに嵌合するかまたは接続する。他の構成では、振動隔離構造体４１２は、異なる形態とすることができる。たとえば、代替構成では、振動隔離構造体４１２は、本体４０８に１つまたは複数のオーバーモールドされた特徴を備えることができる。さらに他の代替構成では、振動隔離構造体４１２は、本体４０８の１つまたは複数の側面に取り付けられた、１つまたは複数のばね、弾性構造体（たとえば、ニップル、突起、ブロック、シート等）または発泡構造体（たとえば、封入、本体４０８の周縁部の「リング」状取付具等）を備えることができる。さらに他の構成では、基部４０３および／または検知層４２０の内壁は、本体４０８を振動的に隔離する振動隔離構造体を備えることができる。
【０２１０】
ガス出口４０６が、モータの上に積層される出口ガス流路および検知層４２０のガス入口と流体連通している。この層４２０は、本体４２２を基部４０３に固定するように基部４０３の複数の取付スロット（図示せず）に挿入することができる複数の取付脚部４２５を備える本体４２２を備える。他の構成では、限定されないが、締結具、クリップまたはクイックリリース機構を含む他の構造またはまたは配置を用いて、基部４０３に本体４２２を固定することができる。一構成では、本体４２２は、ガス出口４０６をガス流路および検知層４２０のガス入口に結合するガス流路を画定する。限定されないが結合チューブ等の代替構成を用いて、ガス出口４０６をそのガス入口に結合することができる。
【０２１１】
本体４２２は、検知およびガス流路の下方部分４２６を画定する。カバー層４４０は、検知およびガス流路の上方部分４４６を画定する本体４４２を有し、上方部分４２６および下方部分４４６の形状は、実質的に互いに対応している。
【０２１２】
図２０および図２１に示すように、ガス流路は、直線状の細長いガス流部分４２８、４４８を備える。入口は、ガス流路の接線入口部分４３０、４５０と流体連通しており、それは、ガス流路の直線状の細長い部分４２８、４４８の入口端部にまたはそれに隣接して位置している。凹部４３３、４５３および４３４、４５４は、ガス流路の直線状の細長い部分の両端部に設けることができる。
【０２１３】
ガス流出口ポート４５２が、カバー層４４０の本体４４２を通って垂直に延在し、ガス流路の直線状の細長い部分４２８、４４８の反対側の出口端部にまたはそれに隣接して位置している。たとえば図２２ｄおよび図２２ｅに示すように、ガス出口ポート４５２は、モータ凹部２５０の上方部分と流体連通しており、モータ凹部２５０の上方部分は、ガス流路と流体連通している。この場合もまた、凹部２５０の壁２５２および天井２６２構成により、モータ／センサモジュール４００からのガス漏れがある場合、それは、電子回路および制御機器の大部分を収容する主ハウジング１００の部分に入るのではなく、周囲環境に排出される。凹部２５０は、ガス出口ポート４５２および凹部２６２の天井からのガス流に対する好適な間隔を維持するように、図１７ｂに示すように天井２６２から下方に突出する突出部等のスペーサを備えることができる。
【０２１４】
図２０から、モータおよび／または検知モジュール４００を通りかつそこから出るガス流路の少なくとも一部が、蛇行するまたは曲がりくねった形態を有することが分かる。たとえば、細長い部分４２８、４４８を通るガス流移動の方向は、ガス出口ポート４５２からエルボ３２４を通るガス流路の入口へのガス流移動の方向に対して概して反対である。
【０２１５】
図２１に示すように、カバー層４４０は、検知プリント回路基板（ＰＣＢ）４５６を備える。カバー層４４０はまた、ガス流路の細長い部分４２８、４４８に位置するサーミスタ等の１つまたは複数の温度センサも備えることができる。１つのセンサがガス温度を測定し、他のセンサが、冗長温度センサとして作用することができる。別法として、サーミスタのうちの１つを（たとえば、定温サーミスタとしての使用を介して）参照流量センサとして使用することができ、測定された温度を用いて、ガス流路の部分４２８、４４８を通るガス流量を求めることができる。１つまたは複数の温度センサは、ガス流に面する検知ＰＣＢ４５６の部分に位置することができる。検知ＰＣＢ４５６は、限定されないが、圧力センサ、湿度センサおよび露点センサを含む他のセンサをさらに備えることができる。
【０２１６】
電子回路基板２７２の一方または両方は、センサから受け取られる情報を処理し、センサから受け取られる情報に基づいて装置１０を動作させるように、センサと電気通信するかまたはセンサに結合される。
【０２１７】
検知層４２０およびカバー層４４０は、互いに対して層を正確に位置決めするための相補的な位置決め機構４３８、４５８を備える。図示する形態では、位置決め機構は、突起４３８および相補的な凹部４５８を備えるが、他の機構を設けることができる。サブアセンブリ４００の構成要素の開口部を通って延在する締結具（たとえば、ねじ）を用いて、基部４０３、検知層４２０およびカバー層４４０（および任意選択的にモータ４０２）を合わせて締結することができる。別法として、異なる締結機構を用いることができる。たとえば、層４０３、４２０、４４０を互いに接着するかまたは融着することができる。
【０２１８】
カバー層４４０は、固定エルボ３２４からの水の漏れがある場合に水の侵入を最小限にするように、その上面に垂直壁の格子配置を有している。したがって、格子配置は、（たとえば、チャンバ区画１０８内で、充填された液体チャンバ３００が偶発的に傾くことにより）サブアセンブリ４００に入った水が、ガス流出ポート４５２に入り、サブアセンブリ４００の電気部品を妨害するのを防止するのに役立つことができる。代替構成では、カバー層４４０の上面は、水を受け取るように、ガス流出ポート４５２の上方部分より低い底壁を有する水溜めを画定することができる。
【０２１９】
代替構成では、モータ／インペラユニットは、装置１０から遠隔に設けることができる。その構成では、凹部２５０に受け入れられるモジュールは、ガスを固定エルボ３２４に、それにより液体チャンバ３００に送達するように、単に、ガス流路およびさまざまなセンサを備えるのみであり得る。代替構成では、凹部２５０に受け入れられるモジュールは、モータおよびガス流路のみを備えることができ、センサは備えていない。
【０２２０】
別の代替構成では、モータおよび／またはセンサモジュール４００は、凹部２５０から取外し可能ではない場合があり、代わりに、その中に永久的に取り付けることができる。その構成において、電気／電子部品からのガス隔離の利益は、依然として提供される。
【０２２１】
取外し可能なモータおよび／またはセンサモジュールにより、モジュールを洗浄し、かつ／または何らかの欠陥がある場合は交換することができる。取外し可能なモジュールにより、より小型の流路および距離が縮小した流路が可能になる。これにより、流れが遠くまで移動する必要がないため、流れに対する抵抗が低下する。
【０２２２】
流路は小型であり、湾曲部／急な湾曲部が低減し、それにより、流れの分離が低減し、流れに対する抵抗が低下する。
【０２２３】
モータおよび流路の配置により、壁の配置のために別の隔離層が提供される。
【０２２４】
モジュール式モータおよび／またはセンサモジュールを有することにより、モジュールのさまざまな部品を、洗浄および／または修理に必要な場合に分解することができる。
【０２２５】
有利には、モータおよび／またはセンサモジュールに漏れ経路がない。モータおよび／またはセンサモジュールはあり得る漏れ箇所である可能性があるが、その領域における漏れにより、酸素が周囲環境にまたは液体チャンバ内に排出されることになる。
【０２２６】
４．取外し可能なガス流チューブまたはエルボ
上述したように、装置１０は、液体チャンバ３００から加湿ガスを受け取り、患者呼吸導管１６を通して患者インタフェース１７の方に加湿ガスを向ける、取外し可能エルボ３４２の形態の取外し可能ガス流チューブを備える。ここで、図２４〜図３２を参照して、エルボ３４２および関連する特徴について説明する。取外し可能チューブを有する利益は、あり得る結露と接触する部品が、洗浄、消毒および／または滅菌のために取外し可能であるということである。
【０２２７】
取外し可能エルボ３４２は、実質的にＬ字型であり、マニホールドガス入口ポート３４０（加湿ガス戻り）と、患者インタフェース１７にガスを送達するために患者呼吸導管１６と結合する患者出口ポート３４４とを有する。図２９に示すように、エルボ３４２は、エルボを通って入口ポート３４０から出口ポート３４４まで延在するガス流路３６４を備える。
【０２２８】
上部シャシ１０２は、壁１３０から前方に延在するエルボ保持部１６０を備える。保持部１６０は、基礎壁１６１と２つの間隔を空けて配置された直立側壁１６２とを備える。内向きのフランジ１６３が、側壁１６２の上端部から互いに向かって延在しており、フランジ１６３間の間隔は、患者出口ポート３４４がそれらの間を上方に延在するのを可能にするのに十分大きい。図２８、図３０および図３２に示すように、エルボ３４２の本体は、その両側から横方向外向きに延在する細長いリブ３６５を備える。リブ３６５およびフランジ１６３は、有利には、ともに実質的に水平方向に向けられている。リブ３６５およびフランジ１６３は、エルボ３４２を水平方向において後方に移動させることにより、エルボ３４２をエルボ保持部１６０と係合させることができるように、サイズが決められかつ構成されている。しかしながら、エルボ３４２がエルボ保持部１６０と係合すると、エルボ３４２は、水平方向において前方に移動させることによってのみ取り外すことができる。エルボ３４２は、リブ３６５およびフランジ１６３がその移動を阻止するため、エルボ保持部１６０から分離するように上方に持ち上げることができない。
【０２２９】
上部ハウジングシャシ１０２は、図２５〜図２６ｂに示すように取外し可能保持カバー１５０を備えている。取外し可能保持カバー１５０が上部シャシ１０２から取り外された状態では、エルボ保持部１６０からエルボ３４２を取り外すことができる。取外し可能保持カバー１５０が上部シャシ１０２に接続された状態では、エルボ保持部１６０からエルボ３４２を取り外すことができない。
【０２３０】
保持カバー１５０は、断面が概してＬ字型であり、上部天井部分１５１と、その前縁部から下方に延在する実質的に垂直な壁部分１５２とを有する。天井部分１５１は、取外し可能エルボ３４２の患者出口ポート３４４を受け入れる凹部１５３を備える。壁部分１５２は、２つの凹部１５４、１５５、すなわち、マニホールドガス出口ポート３２２を受け入れるためのものと、マニホールドガス入口ポート３４０を受け入れるためのもの（加湿ガス戻り）とを備える。
【０２３１】
保持カバー１５０は、エルボ３４２の取外しおよび挿入方向に対して少なくとも一部には実質的に横切る方向に移動させることによってのみ、ハウジング１００の上部シャシ１０２から取り外すことができるように、構成されている。その目的で、保持カバー１５０の両側は、上部シャシ１０２の内壁１１２、１１８から内向きに延在する相補的な保持機構１７０と協働する保持機構１５６を備える。図示する形態では、カバー１５０の保持機構１５６は、実質的に垂直に延在する細長い凹部を含み、上部シャシ１０２の保持機構１７０は、実質的に垂直に延在する細長いスラットを含む。別法として、カバー１５０がスラットを備え、上部シャシ１０２が凹部を備えるように、構成を反転させることができる。別法として、構成要素のうちの一方は、スラット以外の複数の突起を有することができる。好ましくは、スラットおよび凹部は、凹部およびスラットの上端部がそれらの下端部より幅が狭いようにテーパ状であって、カバー１５０および上部シャシ１０２の押込み式係合を可能にする。
【０２３２】
カバー１５０がハウジング１００の適所にあり、エルボ３４２がエルボ保持部１６０の適所にある場合、保持カバー１５０と上部シャシ１０２との間の保持機構１５６、１７０間の係合のために、エルボ３４２を前方に引っ張る試みはうまくいかない。保持機構１５６、１７０が互いを通過するようにハウジング１００に対してカバー１５０を上方に持ち上げる必要があり、通過した時点で、カバー１５０を取り外すことができ、エルボ保持部１６０からエルボ３４２を分離することができる。取外し可能エルボ３４２を洗浄した後、エルボ保持部１６０にエルボ３４２を再係合させることができ、ハウジング１００に対してカバー１５０を下方に移動させてハウジング１００と再係合させ、ハウジング１００の適所にエルボ３４２を保持することができる。
【０２３３】
この構成には、ハウジング１００からエルボ３４２を取り外すために２つの別個の動作が必要であり、ハウジング１００からカバー１５０を解除するようにカバー１５０を第１方向に移動させ、続いて、エルボ保持部１６０からエルボ３４２を取り外すように、第１方向に対して横切る第２方向にエルボ３４２を移動させる。その結果、使用者は、エルボ３４２を偶発的に分離する可能性が低いが、この配置構成により、締結具または大きい力を用いることなくエルボ３４２を容易に取り外しかつ再接続することができ、それは、特に運動制限のある使用者に有益である。この配置構成はまた、液体チャンバ３００の主ハウジング１００（およびポート）との接続および分離の方向が、エルボ３４２およびハウジング１００の接続および分離の方向に対応する場合にも有益である。記載した配置構成により、液体チャンバ３００がチャンバ区画１０８から取り外される際に取外し可能エルボ３４２の偶発的な取外しが防止される。
【０２３４】
保持カバー１５０の移動方向が、エルボ３４２の移動方向に対して垂直であるものとして示されているが、同じ結果は、２つの移動の間のより小さい相対角度で、それらの移動が移動の少なくとも一部に対して互いに少なくとも実質的に横切るものである場合、達成することができる。さらに、保持カバー１５０の移動の第１方向は必ずしも垂直である必要はないことが理解されよう。たとえば、保持カバー１５０は、主ハウジング１００から取外し可能であり、それを横方向または横向き方向に移動させることによって主ハウジング１００に再接続可能であり得る。
【０２３５】
電気コネクタ３６６が、ガス入口ポート３４０の方向とは反対の方向においてエルボ３４２の後部から突出している。電気コネクタ３６６は、好適には、エルボから外向きに突出しかつ上部シャシ１０２のメス電気コネクタ２７８の受け入れられるように適合されているオスコネクタを形成する、プリント回路基板である。電気コネクタ３６６は、有利には、エルボ３４２における空間制約の困難を回避し、過電流を防止するように電気安全性のための、オスコネクタ部分である。別法として、電気コネクタ３６６は、相補的なオスコネクタを受け入れるメスコネクタであり得るかまたはそれを備えることができる。電気コネクタ３６６は、電気コネクタ２７６と同じ供給源から商用電源またはバッテリ電力を受け取るように、上部ハウジングシャシ１０２の後壁１２２に設けられている電気コネクタ２７６と電気通信するように構成されている。代替構成では、電気コネクタ３６６は、別個の商用電源またはバッテリ電力源に接続することができる。
【０２３６】
コネクタ３６６は、ガス入口ポート３４０を流れるガスの温度を求める１つまたは複数の温度センサに結合されている。一構成では、温度センサは、電気コネクタ３６６に結合されるサーミスタ３６７を含むことができる。代替構成では、取外し可能エルボ３４２の少なくとも一部は、赤外線波長に対して透過性の材料（たとえば、透明ポリカーボネート）とすることができ、温度センサ３６７は、赤外線温度センサを含むことができる。これにより、ワイヤの数の低減およびより正確な検知を可能にすることができる。いくつかの代替構成では、取外し可能エルボ３４２の一部が、赤外線波長に対して透過性の材料からなる場合、赤外線温度センサ３６７は、代わりに、エルボ３４２の壁内の別の場所に位置することができ、または、エルボ３４２に対して基端側のハウジング１００の部分内に位置することができる。代替構成では、サーミスタの代わりにデジタル温度センサを用いることができる。
【０２３７】
一構成では、電気コネクタ３６６はまた、患者呼吸導管内のヒータワイヤ３ｃと結合しかつそれに電力を供給するように、ピンコネクタまたは誘導性電源コネクタ３６８を備える電源コネクタにも結合される。コネクタ３６８は、煙突状部分の形態である。コネクタ３６８は、ガス流出口３４４に隣接して上方に延在し、保持カバー１５０の頂部の上方に配置され、患者呼吸導管１６がガス流出口に空気的に結合されたときに、ヒータワイヤ３ｃが同じ単一動作でコネクタ３６８に電気的に結合するように構成されている。
【０２３８】
エルボは、ガス流出口３４４の一部に、加熱された患者インタフェースチューブ１６に接続された摺動ロックカラーの相補的な突起と係合するくぼみ３７０を備える。
【０２３９】
電気コネクタ３６６は、メス電気コネクタ２７８と、着脱可能コネクタ２８０によって電子回路基板のうちの１つに接続されるケーブル２７９とを介して、電子回路基板２７２の一方または両方に電気的に結合される。これにより、電子回路基板２７２は、取外し可能エルボ３４２のセンサおよび電気コネクタ３６６に電力を供給し、センサからデータを受け取りかつそれを処理することができる。
【０２４０】
コネクタのピンを曲げる可能性を最小限にし、使用者の指がコネクタ２７８の通電部分に触れるのを防止し、かつメスコネクタを適所に維持するのに役立つように、コネクタガード２７８ａ（図３２）を設けかつメスコネクタ２７８に締結することができる。
【０２４１】
取外し可能エルボ３４２は、ガス入口ポート３４０の上にまたはそれに隣接して、液体チャンバガス出口ポート３０８と押込み式に係合する保持機構３７２を備える。ガス出口ポートは、たとえばリップおよび／またはＯリングシール等の保持機構３７２を受け入れるかまたはそれとインタフェースするように適合されている機構（図示せず）を有することができる。図示する形態では、保持機構３７２は、Ｏリングシールを受け入れる凹部に隣接する入口ポート３４０の部分に複数の弾性フィンガを備える。弾性フィンガは、入口ポート３４０の周縁部の分離した位置に配置されている。図示する構成では、入口ポート３４０の周縁部に４つの弾性フィンガがあり、フィンガの間に一様な角度間隔がある。別法として、２つ以上の弾性フィンガを任意の好適な角度間隔で配置することができる。
【０２４２】
弾性フィンガは、各々、ガス入口ポート３４０の外端部に向かって配置された相対的に狭い部分３７２ａと、ガス入口ポート３４０の外端部からより遠くに配置された拡大頭部３７２ｂとを備える。図２８から、少なくとも拡大頭部３７２ｂは、フィンガに隣接するガス入口ポート３４０の部分を越えて横方向に外向きに突出することが分かる。液体チャンバガス出口ポート３０８は、内径が、フィンガに隣接するガス入口ポート３４０の部分の外径よりわずかに大きい、円筒状領域を有する。ガス入口ポート３４０が液体チャンバガス出口ポート３０８内に挿入されると、Ｏリングシールが、最初に、ガス出口ポート３０８の内部に対して封止する。さらに挿入すると、フィンガ３７２は、ガス出口ポート３０８の内部に対してその内部のリップを通過するまで内向きに変形し、リップを通過した時点で、フィンガ３７２は、外向きに移動してリップに対して押込み式に係合し、液体チャンバ３００が偶発的に取り外される可能性を最小限にする。液体チャンバ３００が装置１０から取り外されるとき、チャンバ３００は、フィンガ３７２に対して内向きに強制的にリップを通過させるのに十分な力で、外向きに移動させることが必要になる。
【０２４３】
フィンガ３７２は、内向きにまたは外向きに液体チャンバ３００の移動に対して十分な抵抗を提供することができる。いくつかの構成では、チャンバ３００がハウジング１００と係合するかまたは係合解除する移動は、使用者が液体チャンバ３００を直接押すことにより、完全に手動であり得る。代替構成では、後述するように、液体チャンバ３００のハウジング１００との係合および／またはハウジング１００からの分離に役立つように、装置１０にハンドル／レバー機構を設けることができる。
【０２４４】
図示する形態では、マニホールドガス出口ポート３２２もまた、弾性フィンガ３７２を有するように示されている。弾性フィンガ３７２の液体チャンバガス入口ポート３０６との係合および動作は、上述したものと同じとなる。いくつかの構成では、マニホールドガス出口ポート３２２およびマニホールドガス入口ポート３４０は、ともに、弾性フィンガを有する。他の構成では、それらのポートのちの一方のみが弾性フィンガを有することができ、それは、液体チャンバ３００の偶発的な分離の可能性を最小限にするのに十分である可能性があるためである。
【０２４５】
代替構成では、ハウジング３２２、３４０のポートは、液体チャンバ３００のポート３０６、３０８より大きく、それにより、ポート３２２、３４０内にポート３０６、３０８が受け入れられるようにすることができる。ポートの間を封止するために、この場合もまたＯリングシール等のソフトシールが設けられる。その構成では、弾性フィンガが設けられる場合、それらは、ポート３０６、３０８の一方または両方に設けられる。別法として、弾性フィンガは、大きい方のポートの一方または両方に設けることができ、小さい方のポートの外面と相互作用するように内向きにすることができる。装置１０は、これらの代替形態の任意の組合せを有することができる。
【０２４６】
代替構成では、弾性フィンガの代わりに、スナップフィット機構、バヨネット接続または他の機構を設けることができる。
【０２４７】
装置の構成に応じて、ガス流チューブは、エルボの形態であるのではなく、他の任意の好適な構成を有することができる。たとえば、ガス流チューブは、実質的に直線状または非直線状の構成とすることができ、チューブの端部にマニホールドガス入口ポート３４０および患者出口ポート３４４がある。入口ポートおよび出口ポートは、典型的には、互いに角度をなす。ガス流チューブを保持部１６０に挿入しかつ保持部１６０から取り外す方向（たとえば、前方および後方）は、上述したように保持カバー１５０の移動方向に対して角度をなす。保持部１６０は、ガス流チューブの構成に応じて、必要に応じて変更することができる。
【０２４８】
５．加湿器／液体チャンバ区画
ここで、図３３〜図５２を参照して、液体チャンバ区画１０８およびハンドル／レバー機構についてより詳細に説明する。
【０２４９】
考察したように、液体チャンバ区画１０８は、対向する左側ガイドレール１４４および右側ガイドレール１４６を備え、それらは、それぞれの左側内壁１１２および右側内壁１１８から区画１０８の中心に向かって延在している。ガイドレール１４４、１４６は、液体チャンバ３００を区画１０８内の適所に案内するのに役立つ。ガイドレール１４４、１４６は、液体チャンバ３００の床１３６に対してかつ／またはヒータプレート１４０の上面と平行であって、液体チャンバ３００のフランジ３１０がそれらの間を摺動するのを可能にする。図３４〜図３８に、液体チャンバ３００の区画１０８内への挿入を示す。
【０２５０】
主ハウジング１００は、液体チャンバ３００のチャンバ区画１０８内の挿入および／または保持および／またはチャンバ区画１０８からの取外しに役立つハンドル／レバー５００を備える。液体チャンバ３００のチャンバ区画１０８内の挿入、保持、チャンバ区画１０８からの取外しのうちの１つ、２つまたはすべてに役立つように、種々の構成を構成することができる。図４４〜図５２を参照して、一構成例について説明する。
【０２５１】
ハンドル／レバー５００は、主ハウジング１００に枢動可能に取り付けられ、たとえば図３３に示す第１の上昇または開放位置から、たとえば図３８に示す第２の下降または閉鎖位置まで移動可能である。ハンドル／レバーは、上部シャシ１０２の左内側壁１１２に枢動可能に取り付けられる左側アーム５０２と、上部シャシ１０２の右内側壁１１８に枢動可能に取り付けられる右側アーム５０４と、左側アーム５０２および右側アーム５０４の自由端を相互接続し、使用者の指が把持するための係合領域を形成する、横材ハンドル部分５０６とを有する。ハンドル５００が上昇位置にあるとき、横材５０６は、装置１０用の運搬用ハンドルとして作用することができる。ハンドル／レバー５００が上昇すると、液体チャンバ３００をチャンバ区画１０８内に挿入するかまたはチャンバ区画１０８から取り外すことができる。ハンドル／レバー５００が下降位置にあるとき、それは、液体チャンバ３００のチャンバ区画１０８からの取外しを阻止するかまたは防止する。レバーが閉鎖または完全下降位置にあるときに、ハンドル／レバーはチャンバ区画の一部を囲むため、ハンドル／レバーが完全上昇位置にあるとき、ハンドル／レバーの横材と装置のハウジングとの間に、チャンバ区画の正面にかつ液体チャンバの周囲に大きい開口部を含む、広い空間が生成され、使用者の指がハウジング壁と液体チャンバとの間に容易に適合することができるため、容易な液体チャンバのチャンバ区画への挿入およびチャンバ区画からの取外しが可能になる。
【０２５２】
ハンドル／レバー５００のピボット機構例については、図４４〜図５１を参照して後述する。ピボット機構により、ハンドル／レバー５００の枢動が可能になるが、ハンドル／レバーの並進移動は阻止される。
【０２５３】
ハンドル／レバー５００の左側アーム５０２および右側アーム５０４は、内向きの突起５１０、５１２の形態の液体チャンバ係合機構を備える。アーム５０２、５０４間の間隔は、フランジ３１０の上方の液体チャンバ３００の本体３０２の最も広い部分がそれらの間に受け入れられるのを可能にするのに十分である。しかしながら、突起５１０、５１２間の間隔は、液体チャンバ３００の本体３０２の最も広い部分がそれらの間に受け入れられるのを可能にするには十分ではない。
【０２５４】
いくつかの構成では、突起５１０、５１２の縁に対して斜角をつけるか、湾曲させるかまたは角度を付けることができ、それにより、それらは、より容易にチャンバ３００とともに進み、かつチャンバ３００を押すことができる。
【０２５５】
いくつかの構成では、突起５１０、５１２は、ハンドル５００がチャンバ３００の上で強すぎる力で閉鎖された場合に発生する可能性がある、チャンバ３００に対する損傷を防止するように、軟質の（または、少なくともハンドル５００より軟質の）弾性材料または構成要素から形成するかまたはそれを含むことができる。
【０２５６】
チャンバ区画１０８に液体チャンバ３００を挿入するために、最初に、図３３に示すように、ハンドル／レバー５００は上昇位置にある。図３４に示すように、液体チャンバ３００は、区画１０８内に部分的に挿入され、その底面は加熱プレート１４０の上に載り、そのフランジ３１０はガイドレール１４４、１４６の真下に配置されている。チャンバ３００は、ポート３２２、３４０、３０６、３０８が少なくとも部分的に係合する十分な量、ハウジング内で後方に手動で動かされる。たとえば、ポート３２２、３４０、３０６、３０８の間のＯリングシールを係合させることができるが、弾性フィンガ３７２を係合させることはできない。
【０２５７】
次いで、図３５に示すように、ハンドル／レバー５００をその下降位置に向かって下方に枢動させることができる。この中間位置では、突起５１０、５１２は、液体チャンバ３００のハウジング３０２の最も広い部分と係合している。さらに、図３６、図３７および図３８に示す位置を通るハンドル／レバー５００の下方の移動により、弾性フィンガ３７２（存在する場合）が液体チャンバ３００のポート３０６、３０８のリップと係合するまで、液体チャンバ３００が徐々に、装置１０のポート３２２、３４０とさらに係合するように後方に動かされる。
【０２５８】
図３８に示すハンドル／レバー５００の閉鎖または完全下降位置では、横材５０６は、上部シャシ部および下部シャシ部の正面で、リップ１４２、２４２の正面の凹部内に位置し、チャンバ区画の一部を囲む。下部シャシ２０２の前向きの突起２４３は、横材の相補的な凹部５０７内に位置し、下降位置でハンドル／レバー５００と押込み式に係合する押込み式係合機構として作用する。ハンドル／レバー５００が下降位置にある状態で、横材５０６の一部は、液体チャンバ３００が液体チャンバ区画１０８に向かって摺動し液体チャンバ区画１０８から取り外されるのを防止するのに十分、チャンバ区画１０８の床の上方にかつ液体チャンバのフランジ３１０の上方に突出する。ガイドレール１４４、１４６は、液体チャンバ３００が液体チャンバ区画１０８から垂直に持ち上げられかつ取り外されるのを阻止する。
【０２５９】
ハンドル／レバーの横材５０６は、突起２４３が凹部または開口部５０７内に挿入されるかまたはそこから取り外されるのを可能にするように十分たわむことができるように、弾性がある。
【０２６０】
チャンバ区画１０８から液体チャンバ３００を取り外すためには、図３３〜図３８に示すステップが逆に行われる。ハンドル／レバー５００が十分な量持ち上げられると、突起５１０、５１２は液体チャンバ３００を通過し、それにより、液体チャンバ３００のフランジ３１０がガイドレール１４４、１４６を通過し、ポート３２２、３４０、３０６、３０８が分離するまで、液体チャンバ３００を前方に摺動させることができる。そして、ハウジング１００から液体チャンバ３００を取り外すことができる。
【０２６１】
ハンドル／レバー５００の代替構成では、突起５１０、５１２を有するのではなく、単一の突起のみまたは他の液体チャンバ係合機構を設けることができる。別の代替構成では、横材５０６の一部を、液体チャンバ３００を押し、液体チャンバ係合機構として作用するように構成することができる。
【０２６２】
代替構成では、横材５０６は、上昇位置にあるときの装置に対して運搬用ハンドルとして作用するのに十分なサイズではない場合がある。
【０２６３】
ハンドル／レバー５００は、ハンドル／レバーの洗浄に役立つように平滑な外面を有するように、ガス射出成形することができる。ハンドル／レバーは、ハンドル／レバーとハウジングとの間を封止するように外部シールを備えることができる。ハンドルとハウジングとの間の封止は、ハンドル保持部内の、ハンドルが上昇／下降するときに出入りする開口部（図１１７における要素４４９８の領域にある）の周囲にあり得る。シールを用いて、ハンドルと上部シャシとの間を封止することができる。
【０２６４】
図３９〜図４３は、チャンバ区画１０８内に液体チャンバ３００を挿入しかつ／また保持するのに役立つ代替的なガイドレール構成を示す。この構成では、ガイドレール１４４’、１４６’は戻り止め１４４ａ、１４６ａを備える。戻り止め１４４ａ、１４６ａは、典型的には液体チャンバ３００の本体３０２の最大寸法に実質的に対応するサイズおよび構成を有する、拡大凹部を含む。戻り止め１４４ａ、１４６ａは、位置が、チャンバ区画１０８の液体チャンバ３００の完全挿入位置、およびポート３２２、３４０、３０６、３０８の完全拡大位置に対応する。
【０２６５】
戻り止め１４４ａ、１４６ａとチャンバ区画１０８の正面との間に位置する各ガイドレール１４４’、１４６’の部分１４４ｂ、１４６ｂは、内向きの隆起部を形成し、隆起部は、間に、液体チャンバ３００の本体３０２の最大寸法より小さい間隔を有する。少なくともガイドレール１４４’、１４６’の隆起部１４４ｂ、１４６ｂは、液体チャンバ３００が、そのフランジ３１０がガイドレール１４４’、１４６’の真下にある状態でガイドレール１４４’、１４６’の間に挿入される際、チャンバ３００がガイドレール１４４’、１４６’の間の戻り止め１４４ａ、１４６ａ内に完全に係合するまで、（主ハウジング１００に対して）外向きに変形するかまたはたわみ、それに続いて、隆起部１４４ｂ、１４６ｂが内向きに戻るようにたわんでいるように、十分な弾性を有する。別法としてまたはさらに、液体チャンバ３００は、幾分か弾性を有することができ、隆起部１４４ｂ、１４６ｂを通過するように変形することができ、液体チャンバが戻り止め１４４ａ、１４６ａ内に完全に係合すると、その元の形状に「素早く」戻る（ｐｏｐ  ｂａｃｋ）ことができる。同様に、チャンバ３００が戻り止め１４４ａ、１４６ａから取り外される際に、隆起部１４４ｂ、１４６ｂは、外向きに変形するかまたはたわみ、かつ／または液体チャンバ３００は内向きに変形する。ガイドレール、特に戻り止め１４４ａ、１４６ａおよび隆起部１４４ｂ、１４６ｂは、使用者が、液体チャンバ３００がチャンバ区画１０８内に完全に係合したときを容易に判断することができるように、使用者に対して触覚フィードバックを提供する。戻り止め１４４ａ、１４６ａおよび隆起部１４４ｂ、１４６ｂは、ポートの弾性フィンガに加えて設けることができ、または弾性フィンガの代わりとして設けることができる。
【０２６６】
ヒータプレート１４０は、たとえばばね等の付勢装置に、弾性的に取り付けられる。弾性取付により、ヒータプレートは、チャンバ区画内に液体チャンバを収容するために下方に移動することができる一方で、チャンバがチャンバ区画に挿入されると、ヒータプレート１４０と液体チャンバの基部との間に十分な接触を維持することができる。
【０２６７】
ガイドレールと組み合わされたハンドル／レバー機構により、液体チャンバは正確な位置に位置決めされかつ保持される。ガイドレールにより、液体チャンバに対し、そのポートを主ハウジングのポートと位置合わせするように方向を変えるかまたは回転させることも可能である。
【０２６８】
ガイドレール１４４’、１４６の後部は、チャンバ区画１０８内の液体チャンバ３００の正確な位置決めを可能にする、図示するような隆起部を有することができる。しかしながら、ガイドレールがチャンバ区画１０８内で液体チャンバ３００の最後部位置を画定するのではなく、チャンバ区画１０８内の液体チャンバ３００の最後部位置は、代わりに、ポート３２２、３４０、３０６、３０８の係合によって、または液体チャンバ３００の一部のハウジング１００の一部との係合、たとえば、フランジ３１０の後方部分のハウジング１００の壁との係合によって、画定することができる。
【０２６９】
ガイドレールに凹部を有するのではなく、戻り止めを異なるように構成することができる。たとえば、ガイドレールは突起を備えることができ、液体チャンバは、液体チャンバがチャンバ区画内に完全に係合したときに突起を受け入れる凹部を有する。
【０２７０】
代替構成では、戻り止めは、ガイドレールに組み込むのではなく、ガイドレールに隣接して設けることができる。たとえば、突起または凹部は、ガイドレールに隣接する（たとえば、ガイドレールの上方または下方の）主ハウジングのチャンバ区画１０８の部分に設けることができ、液体チャンバは、チャンバ区画１０８内に挿入されると戻り止めと係合するように構成されている。戻り止めは、液体チャンバのチャンバ区画への挿入およびチャンバ区画からの取外しの方向と位置合わせされてその係合を可能にする。たとえば、液体チャンバがチャンバ区画内に垂直に挿入されるように配置されている場合、戻り止めはそれに従って構成される。
【０２７１】
代替構成では、単一の戻り止めのみを設けることができる。たとえば、１つのガイドレールのみが凹部および隆起部を有することができる。別法として、１つのガイドレールのみが、液体チャンバの凹部に受け入れられる突出部を有することができる。別法として、ガイドレールのうちの１つのみに隣接して単一の戻り止めを設けることができる。
【０２７２】
この構成はまた、下部シャシ２０２の正面に突起２４３が設けられるのではなく、主ハウジング内に凹部２４３’が設けられるという点で、上述した構成とは異なる。ハンドル／レバー５００’の横材５０６’に、凹部２４３’内に係合するフックまたは突出部（図示せず）を設けることができる。
【０２７３】
この構成はまた、ハンドル／レバー５００’の左側アーム５０２’および右側アーム５０４’が、液体チューブを上方から液体チャンバ３００内に案内するための開口部５０２ａ、５０４ａを備え、液体チャンバ３００が要求に応じて再充填されかつ／または空にされるのを可能にするという点でも、異なる。開口部５０２ａ、５０４ａは、後述するプッシャ５０３、５０５のボス内に設けられるが、ハンドル／レバー５００’の別の場所に設けることができる。
【０２７４】
ハンドル／レバー５００’はまた、チャンバ区画１０８から液体チャンバ３００を分離するのにも役立つ。ハンドル／レバー５００’は、その分離に役立つ左側プッシャ５０３および右側プッシャ５０５を備える。左側プッシャ５０３は、左側アーム５０２’に接続されかつそこから内向きに延在し、右側プッシャ５０５は、右側アーム５０４’に接続されかつそこから内向きに延在し、それにより、プッシャ５０３、５０５は互いに向かって延在している。図４５に示すように、プッシャ５０３、５０５は、ハンドル／レバー５００’がその下降または閉鎖位置にあるとき、プッシャ５０３、５０５が垂直壁部分１３４に隣接するチャンバ区画１０８の後部に位置するように、側部アーム５０２’、５０４’に配置されている。
【０２７５】
プッシャ５０３、５０５は、各々、ハンドル／レバー５００’が下降または閉鎖位置にあるときに実質的に水平であるプラットフォーム部分５０３ａ、５０５ａを備える。各プッシャ５０３、５０５はまた、少なくとも１つの係合部材５０３ｂ、５０３ｃ、５０５ｂ、５０５ｃも備え、それは、液体チャンバ３００と係合し、ハンドル／レバー５００’が下降または閉鎖位置から持ち上げられると、ガイドレール１４４’、１４６’の戻り止め１４４ａ、１４６ａから係合解除されるように液体チャンバ３００を押すように配置されている。図４５に示すように、係合部材５０３ｂ、５０３ｃ、５０５ｂ、５０５ｃは、ハンドル／レバー５００’が下降または閉鎖位置にあるとき、プラットフォーム部分５０３ａ、５０５ａからら垂直方向下方に延在する。
【０２７６】
いくつかの構成では、係合部材５０３ｂ、５０３ｃ、５０５ｂ、５０５ｃの縁に対して面取りするか、湾曲させるかまたは角度を付けることができ、それにより、それらは、より容易に液体チャンバに沿ってその上を進み、かつ液体チャンバを押すことができる。
【０２７７】
いくつかの構成では、係合部材５０３ｂ、５０３ｃ、５０５ｂ、５０５ｃは、ハンドルが強すぎる力で動かされた場合に発生する可能性がある、液体チャンバ３００に対する損傷を防止するように、軟質の（または、少なくともハンドル５００’より軟質の）弾性材料または構成要素から形成するかまたはそれを（たとえば、オーバーモールドされた層として）含むことができる。
【０２７８】
液体チャンバ３００の中心に向かって配置された各内部係合部材５０３ｂ、５０５ｂは、ハウジング１００の側壁１１２、１１８に向かって配置された外部係合部材５０３ｃ、５０５ｃの深さＤ２より短い前部／後部深さＤ１を有する（図４９）。液体チャンバ３００の中心に向かって配置された各内部係合部材５０３ｂ、５０５ｂは、ハウジング１００の側壁１１２、１１８に向かって配置された外部係合部材５０３ｃ、５０３ｄの高さＨ２より小さい高さＨ１を有する（図４９）。各係合部材５０３ｂ、５０３ｃ、５０５ｂ、５０５ｃは、ハンドル／レバー５００’が持ち上げられる際に液体チャンバ３００と係合する弓状係合面５０３ｂ’、５０３ｃ’、５０５ｂ’、５０５ｃ’を有する。内部係合面５０３ｂ’、５０５ｂ’は、それぞれの外部係合面５０３ｃ’、５０５ｃ’より急峻な、より垂直な角度とより大きい曲率半径とを有する。
【０２７９】
外部係合部材５０３ｃ、５０５ｃは、液体チャンバ３００のフランジ３１０と係合するように配置され、内部係合部材５０３ｂ、５０５ｂは、ハンドル／レバー５００’が下降／閉鎖位置から持ち上げられる際に液体チャンバ３００のハウジング３０２と係合するように配置されている。それは、ガイドレール凹部１４４ａ、１４６ａから係合解除されるように液体チャンバ３００を押し、ガイドレール隆起部１４４ｂ、１４６ｂの力に打ち勝って、使用者が、チャンバ区画１０８から液体チャンバ３００を容易に取り外すことができるようにする。係合部材５０３ｂ、５０３ｃ、５０５ｂ、５０５ｃの形状、特に湾曲により、それらは、ハンドル／レバー５００’が液体チャンバ３００をチャンバ区画１０８内に挿入するためにその上昇／開放位置から下降する際に、チャンバ区画１０８内への液体チャンバ３００の挿入を妨げない。
【０２８０】
各プッシャプラットフォームの内部前縁５０３ｄ、５０５ｄが、液体チャンバ３００のハウジング３０２の湾曲に少なくとも全体的に対応する湾曲を有する弓状面として設けられている。縁５０３ｄ、５０５ｄは、ハンドル／レバー５００’が下降／閉鎖位置にあるときに、液体チャンバ３００用の後方止め具として作用する。
【０２８１】
図示する形態では、各プッシャ５０３、５０５は２つの係合部材５０３ｂ、５０３ｃ、５０５ｂ、５０５ｃを有するが、各プッシャに単一の係合部材のみを設けることができる。ハンドル／レバー５００’は単一のプッシャのみを有することができるが、２つの間隔を空けて配置されたプッシャは、ガイドレール１４４’、１４６’から液体チャンバ３００をより一様に分離する。
【０２８２】
この構成では、液体チャンバ３００を強制的にチャンバ区画１０８内に完全に係合させる内向きの突起はないが、それらの突起または液体チャンバ係合機構の一方または両方を設けることができる。別法として、先の構成に対して上述したように、このハンドル／レバー５００’は、内向きの突起を有するのではなく、その横材５０６に、液体チャンバ３００をチャンバ区画１０８内に係合させる特徴を有することができる。
【０２８３】
同様に、このハンドル５００’に、液体チャンバ３００の戻り止め１４４ａ、１４６ａからの分離に役立つ特徴を設けることができる。
【０２８４】
戻り止め１４４ａ、１４６ａは、別法として上述した構成のハンドル／レバー５００を備えた構成で使用することができることが理解されよう。
【０２８５】
図４５〜図４８は、ハンドル５００に対して使用することも可能であるハンドル５００’のピボット機構の詳細を示す。各側部アーム５０２’、５０４’の後方部分が、棚状突起１３２のピボット穴５０２ｃ、５０４ｃ内に受け入れられる、内向きのピボット突起５０２ｂ、５０４ｂを備える。アーム５０２’、５０４’は、棚状突起１３２とそれぞれの内側壁１１２、１１８との間に横方向に捕捉され、それにより、ピボットは横方向に移動することができないが、アーム５０２’、５０４’は水平ピボット軸を中心に枢動することができる。ピボットが垂直方向に持ち上げられないように、相互接続壁１１４、１２０から内向きに棚状突起１１４ａ、１２０ａが延在している。
【０２８６】
図５３および図５４は、装置１０のディスプレイおよびユーザインタフェースモジュール１４を示す。モジュール１４は、装置１０の使用者に、装置１０の状態、提供されている治療の状態、患者の状態、および／または装置１０に関連する付属品または周辺装置の状態に関する情報を提供する、タッチスクリーンディスプレイ６００を備える。ディスプレイ６００は、１つまたは複数の表示６０２ａ、６０２ｂ、６０２ｃを含むことができ、それらは各々、治療のそれぞれの態様に関する情報、たとえば、ガス温度、酸素濃度、ガス流量、血中酸素濃度（ＳｐＯ2）および心拍数を提供する。他の表示を設けることも可能である。表示はまた、タッチスクリーン「ボタン」として作用することも可能であり、その場合、表示のうちの１つを押すことにより、使用者は、装置１０のかつ／または装置１０に関連する付属品または周辺装置の治療の態様の設定を変更することができ、それにより、コントローラ１３は、装置１０または付属品もしくは周辺装置をその新たな設定に調整する。
【０２８７】
タッチスクリーン６００は、インタフェースプリント回路基板６０４と電気通信することができ、インタフェースプリント回路基板６０４は、電子回路基板２７２のうちの一方または両方と電気通信する。
【０２８８】
インタフェース１４はまた、使用者が、装置１０に電源を投入するかもしくは電源を落とし、または設定を変更するのを可能にする、１つまたは複数の物理的なボタンも有することができる。上壁１２４は、有利には、装置１０の正面に向かって、たとえば水平面に対して１０度の角度で、角度が付けられている。これにより、装置１０の正面からのインタフェースの使いやすさが可能になる。
【０２８９】
上壁１２４の一部が、一体的に形成された空洞６０６を画定し、それは、外側円筒状部分６０８と、内側円筒状部分６１０と、２つの円筒状壁部分６０８、６１０の底縁の間に延在しかつそれらを相互接続する環状壁６１２とを備える。円筒状部分６０８、６１０の軸方向は、構成要素が射出成形されるのを可能にするように射出成形型の開閉方向に対応する。
【０２９０】
外側円筒状壁部分６０８の頂部に隣接して可撓性ボタン６１４が配置され、それは、上壁１２４と実質的に位置合わせされている。ボタン６１４の下側は細長いプッシャ６１６を備え、それは、内側円筒状壁部分６１０を通って延在し、ＰＣＢ６０４のマイクロスイッチ６１８と相互作用する。外側円筒状壁部分６０８、環状壁６１２および内側円筒状壁部分６１０は、連続した、切れ目のない、液体不透過性構成を形成し、それは、可撓性ボタン６１４の周囲のボタン機構に入る可能性があるいかなる液体も捕捉する液体リザーバとして作用し、液体が下にあるＰＣＢ６０４に達するのを防止する。
【０２９１】
インタフェース１４は、この構成を有する１つ、２つまたはそれより多くのボタンを備えることができる。別法として、インタフェース１４は、単にタッチスクリーン制御され、ボタンを有していない場合もある。
【０２９２】
図５５〜図６４は、代替構成のハンドル／レバー１５００を示す代替構成の流量治療装置１０’を示す。流量治療装置１０’は、上記異なる構成に関連して記載した特徴および機能を有し、それらの特徴については、簡単のためにここでは繰り返さない。図示する特徴に対して、同様の数字は、大部分の構成要素の場合はダッシュ（’）を追加し、ハンドル／レバーの場合は１５００を加算して、同様の部品を指す。
【０２９３】
この構成は、ハンドル／レバー１５００が片側構成であるという点で、上述した構成とは異なる。すなわち、ハンドル／レバー１５００の一方の側のみが流量治療装置１０’の主ハウジングに枢動可能に接続されており、ハンドル／レバー１５００の他方の側の主ハウジングへのピボット接続はない。図示する形態では、ハンドル／レバー１５００の左側は、主ハウジングに枢動可能に接続されている。しかしながら、代替構成では、主ハウジングに右側のみを枢動可能に接続することができる。
【０２９４】
ハンドル／レバー１５００および主ハウジングは、上述したものから、その取付を提供するように変更される。
【０２９５】
ハンドル／レバーは、上部シャシ１０２’の左内側壁１１２’に枢動可能に取り付けられる左側アーム１５０２を有する。左側アーム１５０２は、ハンドル１５００が図５５の下降または閉鎖位置にあるときに、相互接続壁１１４’と実質的に同一平面であるように構成されている。右側アームではなく、ハンドル／レバーは、左側アーム１５０２より短く、かつ上部シャシ１０２’の右内側壁１１８’に枢動可能に取り付けられていない、右側部材１５０４をさらに備える。右側部材１５０４は、ハンドル１５００が図５５の下降または閉鎖位置にあるときに相互接続壁１２０’と実質的に同一平面であるように構成されている。主ハウジングには、左側アーム１５０２および右側部材１５０４が相互接続壁と実質的に同一平面であり得るように凹部が設けられている。右側相互接続壁１２０’は、右側部材１５０４の方が短いため、左側相互接続壁１１４’より装置１０’の正面に向かってさらに延在している。
【０２９６】
横材ハンドル部分１５０６は、左側アーム１５０２および右側部材１５０４の前端を相互接続し、使用者の指が把持するための係合領域を形成している。ハンドル１５００が、たとえば図５７に示すように上昇位置にある場合、横材１５０６は、装置１０’用の運搬用ハンドルとして作用することができる。ハンドル／レバー１５００が上昇すると、液体チャンバ３００’をチャンバ区画１０８’内に挿入するかまたはチャンバ区画１０８’から取り外すことができる。ハンドル／レバー１５００は、下降位置にあるとき、チャンバ区画１０８’から液体チャンバ３００’が取り外されるのを阻止しまたは防止する。
【０２９７】
右側部材１５０４を有するのではなく、ハンドル／レバー１５００は、横材１５０６の右側で終端することができる。しかしながら、後向きの部材１５０４を有することが好ましく、それは、それによって、装置１０’が運搬されている間に落とされる可能性が低減するためである。
【０２９８】
図５５に示すハンドル／レバー１５００の閉鎖または完全下降位置では、横材１５０６は、主ハウジングの正面で凹部２４２’内に位置し、チャンバ区画の一部を囲む。図には接合部は示されていないが、主ハウジングを上部シャシ部１０２’および下部シャシ部２０２’とともに形成することができ、凹部２４２’は、適切なシャシ部に形成される。ハンドル／レバー１５００および／または凹部２４２’は、ハンドル／レバー１５００を下降または閉鎖位置で押込み式に係合させるように、上述したもののうちの１つ等、押込み式係合機構を有することができる。ハンドル／レバー１５００が下降または閉鎖位置にある状態では、横材１５０６の一部は、チャンバ区画１０８’の床の上方に、かつ液体チャンバ３００’のフランジ３１０’の上方に、液体チャンバ３００’が前方に摺動して液体チャンバ区画１０８’から取り外されるのを防止するのに十分突出する。この構成では図示しないが、ハンドル／レバー１５００が下降または閉鎖位置にあるときに、液体チャンバ３００’が液体チャンバ区画１０８’から垂直方向に持ち上げられ取り外されるのを防止するガイドレールを備える。ハンドル／レバーは、レバーが閉鎖または完全下降位置にあるときにチャンバ区画の一部を囲むため、ハンドル／レバーが完全上昇位置にあるとき、ハンドル／レバーの横材と装置のハウジングとの間に、チャンバ区画の正面にありかつ液体チャンバの周囲の大きい開口部を含む、広い空間が生成され、それにより、使用者の指がハウジング壁と液体チャンバとの間に容易に適合することができるため、容易な液体チャンバのチャンバ区画への挿入およびチャンバ区画からの取外しが可能になる。
【０２９９】
図５５、図５６および図６０〜図６４は、ハンドル／レバー１５００のピボット機構の詳細を示す。左側アーム１５０２の後方部分が、ピボットアーム１５０２ｄに接続されている。ピボットアームは、ハンドルが下降または閉鎖位置にあるときに左側アーム１５０２から下方にかつ後方に延在する前方弓状部分１５０２ｅを備える。その前方弓状部分１５０２ｅの後方部分が、ハンドルが下降または閉鎖位置にあるときにそこから上方にかつ前方に延在する直線状部分１５０２ｆに接続されている。直線状部分１５０２ｆの上端が、内向きのかつ／または外向きのピボット突起１５０２ｂに結合されており、ピボット突起１５０２ｂは、棚状突起１３２’に対応するハウジングの部分のピボット穴１５０２ｃにかつ／または左内側壁１１２’に受け入れられる。アーム１５０２は、棚状突起１３２’と内側壁１１２’との間に横方向に捕捉され、それにより、ピボット突起１５０２ｂは横方向に移動することができないが、アーム１５０２は水平ピボット軸を中心に枢動することができる。
【０３００】
図５６、図６１および図６２に示すように、左内側壁１１２’に、ピボットアーム１５０２ｄを受け入れる成形凹部１１２ａ’が設けられている。凹部１１２ａ’により、ピボットアーム１５０２ｄは、液体チャンバ区画１０８’内の空間に著しく侵入することなく、図６０に示す位置から図６２に示す位置までその動きの範囲を通して移動することができる。
【０３０１】
主ハウジングの上部前方部分が、プラットフォーム１５０’を備える。プラットフォーム１５０’はまた、開口部も備えることができ、構成に対して上述したように取外し可能エルボのための取外し可能保持カバーとして作用するように取外し可能であり得る。プラットフォームの上部１５１’が、前方角度付き面１２４’の実質的連続部分を形成し、その面１２４’から前方にかつ下方に延在する。上部１５１’の前縁１５１ａ’が、上部１５１’の残りの部分より水平または上方の向きに延在している。
【０３０２】
この構成は、可撓性液体バッグから充填される液体チャンバ３００’と使用するのに好適である。病院および医療施設は、一般に、液体バッグを支持するバッグスタンドを有するが、人々は、通常、家庭環境では好適なバッグスタンドを有していない。この構成により、主ハウジングの頂部に、特にプラットフォーム１５０’に、液体バッグを載せることができる。前縁１５１ａ’は、バッグがハウジングから前方に滑り落ちる可能性を低減させる。片側ハンドル／レバー１５００により、ハンドル／レバー１５００を上昇させかつ下降させることができる一方で、ハンドル／レバー１５００が上昇位置にあるとき、液体バッグおよび／または液体バッグから液体チャンバ３００に液体を送達する液体チューブを、ハンドル／レバー１５００の右側部材１５０４と主ハウジングとの間の空間を通して供給することができる。長いチューブを設ける必要はない。
【０３０３】
ハンドル／レバー１５００は、液体チューブを上方から液体チャンバ内に案内するために、たとえば図５２に示すような開口部５０２ａ、５０４ａ等、１つまたは複数の特徴を備えることができる。チューブは、液体チャンバに結合される。液体チャンバは、チューブから液体チャンバ内への液体の流れを制御するフロート弁を備えることができる。
【０３０４】
図５７〜図５９に示すように、前縁１５１ａは、好ましくは、液体チャンバ区画１０８’内に完全に係合したときの液体チャンバ３００’の後部上縁を受け入れる凹部も形成する。
【０３０５】
ハンドル／レバー１５００には、液体チャンバ３００’のチャンバ区画１０８’内の挿入、保持および／またはチャンバ区画１０８’からの取外しに役立つ１つまたは複数の特徴が設けられる。それらの特徴は、構成に関連して上述した特徴のうちの任意の１つまたは複数であり得る。
【０３０６】
液体チャンバのチャンバ区画内の挿入および／または保持および／またはチャンバ区画からの取外しに役立つハンドル／レバーを設けることにより、使用者は、液体チャンバがチャンバ内に完全に挿入されることを容易に確実にする一方で、依然として望ましい場合にチャンバ区画から液体チャンバを容易に取り外すことができる。これは、運動制限のある使用者に特に有利である。同様に、液体チャンバのチャンバ区画内の挿入および／または保持に役立つ戻り止めを設けることにより、使用者は、液体チャンバがチャンバ区画内に完全に挿入されることを容易に確実にすることができる。完全なまたは正確な挿入および／または保持は、液体チャンバとガス流路の一部を形成する他の構成要素との間に十分なシールが得られかつ維持されるのを確実にするために必要である可能性がある。
【０３０７】
６．取外し可能ガス流チューブまたはエルボおよび受け−代替構成
図６６〜図７１および図７２〜図７５は、それぞれ、本明細書に記載する流量治療装置で使用することができる、２つの代替的なガス流チューブまたはエルボ１３４２および２３４２を示す。後述しない限り、ガス流チューブまたはエルボ１３４２および２３４２は、取外し可能エルボ３４２に関連して上述した特徴および機能を有し、同様の参照数字は、各参照数字にそれぞれ１０００および２０００を加算して同様の部分を示す。
【０３０８】
図６６〜図７１の取外し可能エルボ１３４２には、ガス流路内において、実質的にＬ字型の２つのアームのインタフェースに、すなわち、マニホールドガス入口ポート１３４０のガス流路（加湿ガス戻り）および患者出口ポート１３４４のガス流路のインタフェースに、内部プール領域１３７１が設けられている。図６９に示すように、プール領域１３７１は、ガス流路内の拡大領域によって提供される。プール領域は、マニホールドガス入口ポートの隣接する基礎壁部分１３４０ａより垂直方向に低く配置されており、それにより、液体は、プール領域１３７１内で隣接する基礎壁部分１３４０ａの深さまでたまることができる。プール領域１３７１により、液体がたまることが、ＰＣＢコネクタ１３６６のサーミスタ１３６６ｄ（後述する）が、ガス流路１３６４の典型的な／ガス特性である温度を求めるのに役立つことができる。これは、エルボ１３４２を通過するガスの湿球温度を求めるのに役立つことができる。
【０３０９】
取外し可能エルボの本体に、相対的に浅い角度で、下方にかつ隣接する基礎壁部分１３４０ａから離れる方向に延在する、弓状遷移領域１３７２が設けられている。弓状遷移領域１３７２は、プール領域１３７１の前方部分を形成する。遷移領域１３７２の最後部は、第２の相対的に急峻な角度で下方にかつ後方に延在する壁部分１３７３の上端部において終端する。壁部分１３７３は、本体の支持部分１３７４の前壁を形成する。支持部分１３７４の上方内部が、プール領域１３７１の後方部分を形成し、それは、遷移領域１３７２とのそのインタフェースから上方にかつ後方に延在する。
【０３１０】
支持部分１３７４の下部角度付き外縁１３７５が、前壁１３７３の基部から上方にかつ後方に延在している。エルボの支持部分１３７４は、２つの目的を満たす。第１目的は、後述するように、取外し可能エルボ１３４２へのＰＣＢ電気コネクタ１３６６の取付を可能にすることである。第２目的は、装置の主ハウジング内の適所への取外し可能エルボの挿入中にＰＣＢコネクタ１３６６を位置合わせするのに役立つ支持面を提供することである。
【０３１１】
図６９からもっとも明確に分かるように、下部角度付き外縁１３７５は、マニホールドガス入口ポート１３４０の長手方向軸１３４０Ａに対して非平行かつ非同軸角度αで向けられている。この角度は、長手方向軸１３４０Ａに対して約−１５度（下向き）〜約＋３０度（上向き）であり得る。一形態では、角度は、長手方向軸１３４０Ａに対して約０度〜約３０度上向きである。有利には、上限は３０度であり、それは、ＰＣＢ電気コネクタ１３６６に対して傾斜が大きすぎることにより、エルボが、エルボを通る望ましくない浅い流路を提供することになり、有用なたまり領域の提供が妨げられる可能性があるためである。一形態では、角度は、長手方向軸１３４０Ａに対して約０度〜約１５度上向きである。一形態では、角度は、長手方向軸１３４０Ａに対して約１５度上向きである。これらの範囲内で、角度は、長手方向軸に対して非平行かつ非同軸とすることができ、長手方向軸１３４０Ａに対して少なくとも＋／−５度に向けることができる。代替形態では、角度は、長手方向軸１３４０Ａに対して平行または同軸であり得る。ＰＣＢ電気コネクタ１３６６は、下部角度付き外縁１３７５と同一線上であるかまたはそれに対して平行であるように、支持部分１３７４に取り付けられる。したがって、ＰＣＢコネクタはまた、有利には、長手方向軸１３４０Ａに対して、約−１５度〜約＋３０度の角度で、一形態では約０度〜約＋３０度、一形態では約０度〜約＋１５度、一形態では約＋１５度で、上方にかつ後方に延在する。この場合もまた、これらの範囲内で、角度は、長手方向軸に対して、非ゼロとすることができ、たとえば、少なくとも＋／−５度とすることができる。電気コネクタ部分の基礎部分１３６８ｂを、下壁部分１３７５と位置合わせすることができる。この場合、ＰＣＢ電気コネクタのエルボ本体とのインタフェースは、図２９に示すものより低いことが分かる。
【０３１２】
図７６および図７７は、取外し可能エルボ１３４２または２３４２と組み合わせて、上述した流量治療装置で使用することができる主ハウジングの代替構成の上部主シャシ／ディスプレイおよびユーザインタフェースキャリア２１０２を示す。後述しない限り、特徴および機能は、流量治療装置に対して上述したものと同じとなり、同様の参照数字は、各参照数字に２０００を加算して同様の部分を示す。
【０３１３】
上部シャシ／キャリア２１０２は、壁２１３０から前方に延在するエルボ保持部２１６０を備える。保持部２１６０は、基礎壁２１６１と２つの間隔を空けて配置された直立側壁２１６２とを備える。内向きのフランジ２１６３は、側壁２１６２の上端部から互いに向かって延在し、フランジ２１６３の間の間隔は、患者出口ポート１３４４がそれらの間で上方に延在するのを可能にするのに十分大きい。各フランジ２１６３の内縁における実質的に垂直な壁部分によって、直立隆起部２１６３ａが形成されている。フランジ２１６３および隆起部２１６３ａは、患者出口ポート１３４４を受け入れる口部を形成するように弓状である。直立隆起部は、取外し可能エルボが保持部２１６０内に受け入れられるときに、患者出口ポート１３４４の周縁部と密接に接触するように配置されている。保持部の後部２１６４は、患者出口ポート１３４４の寸法より小さい寸法を有し、本体の電源コネクタ部分１３６８ａがそこを通って上方に突出するのを可能にするように設けられている。
【０３１４】
壁２１６２、フランジ２１６３および隆起部２１６３ａは、エルボ保持部内に挿入されるときの取外し可能エルボ１３４２、２３４２の形状と実質的に一致する、フード領域を形成する。フード領域は、エルボを適所に保持するのに役立ち、エルボまたはＰＣＢコネクタへの液体の侵入を低減させるのに役立ち、かつＰＣＢコネクタを封入する。隆起部２１６３ａは、さらに、ＰＣＢコネクタとコネクタ２７８との間の接続部から離れるように液体を向けるのにさらに役立つ。
【０３１５】
保持部２１６０内にエルボを挿入するために、エルボは、支持部分の下壁部分１３７５が保持部の基礎壁２１６１の上に載っているように向けられる。エルボは、患者出口ポート１３４４がフランジの間に位置するように後方に動かされ、コネクタ１３６６は、保持部２１６０の後部で上部シャシ内に配置されるメスコネクタ２７８内に挿入することができるように、保持部内のスロットを通って延在するように挿入される。保持部は、ＰＣＢコネクタが基礎壁２１６１と平行であるように、ＰＣＢコネクタの角度αに対応する角度に向けられる。ＰＣＢコネクタに対するマニホールドガス入口ポート１３４０の向きは、液体チャンバとの水平接続を可能にする。したがって、ＰＣＢコネクタは、達成するためにエルボを傾けるかまたは調整する必要なしに、保持部２１６０内に直接挿入することができる。代替構成では、ＰＣＢコネクタおよびエルボ保持部２１６０は、エルボに関連して上述したもの等、異なる角度で向けることができる。
【０３１６】
使用時にＰＣＢコネクタを非水平角度にすることにより、主ハウジング内に侵入する可能性のあるいかなる液体も、コネクタから排出されるべきである。この場合もまた、ハウジング内の適所に取外し可能エルボを維持するのに役立つように、取外し可能保持カバー１５０が使用され、カバーの動作ならびにエルボおよび液体チャンバの相互作用については上述した通りとなる。フードは、図３０に示すものより低い輪郭の保持部２１６０を提供し、フードは、マニホールドガス入口ポートの全高さではなく、ＰＣＢコネクタを収容するエルボ１３４２の下部のみを受け入れるようなサイズである。
【０３１７】
この構成では、ポート１３４４は、図２４の装置より液体チャンバに近接して配置され、それは、呼吸導管１６が、図２４の装置よりユーザディスプレイおよびユーザインタフェースモジュールを閉塞させないことを意味する。その結果、エルボは、図２８のエルボより長さが短い。
【０３１８】
図７０および図７１は、取外し可能エルボ１３４２のＰＣＢ電気コネクタ１３６６の詳細を示す。コネクタ１３６６は、複数の導電性トラック１３６６ｂが埋め込まれているプラスチック基板１３６６ａを備える。エルボから突出する端部であるＰＣＢの一端に、複数の導電性コネクタ部分またはピン１３６６ｃが設けられている。それらのトラックは、メスコネクタ２７８の相補的な導体と係合して、ＰＣＢコネクタの装置の他の構成要素に対する電気的かつ／または通信結合を提供するように構成されている。コネクタ部分１３６６ｃおよびトラック１３６６ｂは、すべて、ＰＣＢコネクタの一方の側に設けることができ、または、短絡の危険を低減させるように、ＰＣＢコネクタの両側にいくつかを設けることができる。
【０３１９】
図７１に示す形態では、導電性コネクタ部分１３６６ｃのうちの４つが、ＰＣＢコネクタの反対側の端部にまたはそれに隣接して配置されかつエルボ本体に埋め込まれている、サーミスタ１３６６ｄと電気通信する。残りの２つのコネクタ部分１３６６ｃは、患者呼吸導管内のヒータワイヤ３ｃと結合しかつそれに電力を供給するように、２つの実質的に剛性の上方に突出するピンコネクタ１３６８の基部を受け入れる継手１３６６ｅと、電気接続する。図７０に示すように、ピンコネクタ１３６８は、ＰＣＢの頂部から非垂直角度で延在する剛性部材とすることができ、非垂直角度は、長手方向軸１３４０Ａ（図６９）に対するＰＣＢコネクタの角度αに対応する。ピンコネクタは、ＰＣＢコネクタに対して、垂直を含む任意の好適な角度であり得る。ピンコネクタは、有利には、患者出口ポート１３４４の長手方向軸に対して実質的に平行に延在する。
【０３２０】
２つのサーミスタ１３６６ｄは、ＰＣＢコネクタの正面に表面実装され、取外し可能エルボの本体に埋め込まれている。それらは、プール領域１３７１に近接して、およそ図６９に示す位置１３６６ｄに配置される。それらをプール領域に近接して配置することにより、それらは、より典型的なガス測定値を提供することができる。サーミスタの代わりにデジタル温度センサを用いることができる。
【０３２１】
ＰＣＢコネクタは、エルボ本体に任意の好適な方法で取り付けることができる。一例では、ＰＣＢコネクタにおいて表面実装サーミスタ１３６６ｄが使用される場合、製造を簡略化するために、ＰＣＢコネクタの上にエルボを製造するためにシングルショットオーバーモールディングを用いることができる。シングルショットオーバーモールディングはまた、煙突状部分１３６８ａにおいて細長いピンコネクタ１３６８を包囲することも可能である。ＰＣＢにおける孔１３６６ｇにより、オーバーモールド材料がＰＣＢを通って流れることができ、それにより、成形圧力によって本来発生する可能性がある、ＰＣＢコネクタのたわみが低減するかまたは防止される。ＰＣＢコネクタの下の電気コネクタ部分の真下のエルボ本体の下部１３６８ｂは、ピンコネクタの基部においてはんだ箇所を覆うように作用する。
【０３２２】
プール領域および周囲のエルボ本体の形状は、サーミスタの周囲から可能な限り多くの質量を除去してそれらの性能を向上させるように構成されている。プール領域はまた、ガスが内壁に堅く「くっつく」のを抑制することにより、取外し可能エルボを通るガス流に役立つことも可能である。
【０３２３】
取外し可能エルボ１３４２に、好適なシールが設けられる。たとえば、マニホールドガス入口ポート１３４０にＴシールを設けて、そのポートと液体チャンバガス出口ポート３０８との間を封止することができ、患者出口ポート１３４４にＯリングシールを設けることができる。
【０３２４】
上述したエルボ１３４２と同様に、取外し可能エルボ２３４２に支持部分２３７４が設けられ、それは、実質的Ｌ字型の２つのアームのインタフェースの基部において、すなわち、実質的に、マニホールドガス入口ポート１３４０および患者出口ポート１３４４のインタフェースにおいて、エルボ本体から概して後方に延在する。支持部分は、前壁２３７３と、そこから後方に延在する下部角度付き外縁２３７５とを有する本体部分を備える。本体部分は、ＰＣＢ電気コネクタ２３６６を受け入れるような形状でありかつそのように構成されている。
【０３２５】
下部角度付き外縁２３７５は、前壁２３７３の基部から上向きにかつ後方に延在している。エルボの支持部分２３７４は、２つの目的を満たす。第１目的は、後述するように、取外し可能エルボ２３４２に対するＰＣＢ電気コネクタ２３６６のための取付および支持を提供することである。第２目的は、装置の主ハウジングの適所に取外し可能エルボを挿入する間にＰＣＢコネクタを位置合わせするのに役立つように支持面を提供することである。
【０３２６】
支持部分２３７４は、ＰＣＢコネクタを封入するようにＰＣＢコネクタの周囲にさらなるプラスチックを提供する。エルボ２３４２が保持部２１６０に接続されると、支持部分２３７４はフードの下側と相互作用して、エルボの垂直移動および軸１３４０を中心とする回転を低減させるかまたは防止する。
【０３２７】
図７２からもっとも明確に分かるように、下部角度付き外縁２３７５は、マニホールドガス入口部分２３４０の長手方向軸２３４０Ａに対して非平行かつ非同軸角度αで向けられる。この角度は、長手方向軸１３４０Ａに対して約−１５度（下向き）〜約＋３０度（上向き）であり得る。一形態では、角度は、長手方向軸２３４０Ａに対して約０度〜約３０度上向きである。有利には、上限は３０度であり、それは、ＰＣＢ電気コネクタ２３６６に対して傾きが大きすぎることにより、エルボが、エルボを通る望ましくない浅い流路を提供することになり、有用なプール領域の提供が阻止される可能性があるためである。一形態では、角度は、長手方向軸２３４０Ａに対して約０度〜約１５度上向きである。一形態では、角度は、長手方向軸１３４０に対して上向きに１５度上向きである。これらの範囲内で、角度は、長手方向軸に対して非平行かつ非同軸とすることができ、長手方向軸２３４０Ａに対して少なくとも＋／−５度で向けることができる。代替形態では、角度は、長手方向軸２３４０Ａに対して平行であるかまたは同軸であり得る。ＰＣＢ電気コネクタ２３６６は、下部角度付き外縁２３７５に対して平行であるように支持部分２３７４に取り付けられる。したがって、ＰＣＢコネクタはまた、有利には、長手方向軸２３４０Ａに対して、約−１５度〜約＋３０度の、一形態では約０度〜約＋３０度、一形態では約０度〜約＋１５度、一形態では約＋１５度の角度で上方にかつ後方に延在する。この場合もまた、これらの範囲内で、角度は、非ゼロとすることができ、たとえば、長手方向軸に対して少なくとも＋／−５度であり得る。
【０３２８】
これにより、取外し可能エルボ２３４２を、エルボ１３４２に対して上述したものと同様に図７６および図７７の上部主シャシのエルボ保持部２１６０内に挿入することができる。
【０３２９】
図７２〜図７５の取外し可能エルボ２３４２は、内部プール領域なしに示されているが、図６６〜図７１のエルボに対して概説したように、プール領域を設けることができる。一構成では、エルボの外部の形状を変更することなく、エルボ２３４２の内部にプール領域を設けることができる。プール領域を含めないことにより、エルボの内面はより平滑とする（たとえば、図２９に示すように構成する）ことができる。これによって、より一様な壁厚さも可能になり、それによってエルボを強化することができる。
【０３３０】
図７５は、取外し可能エルボ２３４２のＰＣＢ電気コネクタ２３６６の詳細を示す。コネクタ２３６６は、複数の導電性トラック２３６６ｂが埋め込まれているプラスチック基板２３６６ａを備える。複数の導電性コネクタ部分またはピン２３６６ｃは、使用時にエルボから突出する端部である、ＰＣＢの端部に設けられている。それらのコネクタ部分は、ＰＣＢの装置の他の構成要素への電気的かつ／または通信結合を提供するように、メスコネクタ２７８の相補的な導体と係合するように構成されている。図示する形態では、コネクタ部分２３６６ｃのうちのいくつかは、ＰＣＢコネクタの反対側の端部にまたはそれに隣接して配置されかつエルボ本体に埋め込まれているサーミスタ２３６６ｄと、電気通信する。各サーミスタは、コネクタ部分２３６６ｃからサーミスタまで延在する２つのトラックを有し、サーミスタまで延在する２つのトラックは、トラックの間の短絡の危険を低減させるように、ＰＣＢの両側に配置されている。２つのコネクタ部分２３６６ｃは、患者呼吸導管内のヒータワイヤに結合しかつそれに電力を供給するように、２つの上方に突出する実質的に剛性のピンコネクタ２３６８を受け入れる継手２３６６ｅと、電気通信する。この場合もまた、短絡の危険を低減させるように、ＰＣＢの両側にこれらのトラックを設けることができる。ピンコネクタは、図７０に示すように構成されかつ角度が付けられる。さらなるコネクタ部分２３６６ｃを用いて、他の構成要素に電力を供給するかまたは他の構成要素の通信結合を提供することができる。
【０３３１】
トラックのうちの２つはデバイス２３６６ｆに結合され、デバイス２３６６ｆは、識別、校正機能、ならびに、たとえば使用時間、電力レベルおよび消毒等の情報取込みのうちの１つまたは複数を含むことができる機能を提供するように構成されている。たとえば、デバイス２３６６ｆは、取外し可能ガス流チューブ／エルボの使用／寿命情報を格納しかつ／または通信するように構成することができる。情報例としては、追跡データ、取外し可能ガス流チューブ／エルボがどれくらい使用されたか、取外し可能ガス流チューブ／エルボが最初に使用されたとき、取外し可能ガス流チューブ／エルボ寿命の判断（たとえば、製造日に基づく）、取外し可能ガス流チューブ／エルボが何回使用されたか、取外し可能ガス流チューブ／エルボの接続／切断の判断およびログ記録、消毒が発生したか否かの判断、取外し可能ガス流チューブ／エルボが何回消毒されたか、最後の消毒からの使用時間、取外し可能ガス流チューブ／エルボを消毒するべきとき、電源レベル、一意のＩＤ、校正、取外し可能ガス流チューブ／エルボを交換するべきときのうちの１つまたは複数を挙げることができる。エルボは、製造から最大５年間、またはたとえば１年寿命等より短い期間等、デバイス２３６６ｆに格納された指定された使用寿命を有することができる。いくつかの構成では、取外し可能ガス流チューブ／エルボは、取外し可能チューブ／エルボを交換するべきとなる前の消毒サイクルの指定された最大数を、デバイス２３６６ｆに格納することができる。たとえば、消毒サイクルの最大数は、所定の週の数に対して、消毒サイクルの回数／週で指定することができる。たとえば、１年という最大使用寿命を有する取外し可能ガス流チューブ／エルボの場合、消毒サイクルの最大数は５２サイクル、すなわち、１年に対して１サイクル／週であり得る。別の例として、５年という最大使用寿命を有する取外し可能ガス流チューブ／エルボの場合、消毒サイクルの最大数は２６０サイクル、すなわち５年に対して１サイクル／週であり得る。
【０３３２】
デバイス２３６６ｆは、たとえば、マイクロプロセッサ、メモリ、またはメモリが組み込まれたマイクロプロセッサのうちの１つまたは複数を含むことができる。一形態では、デバイス２３６６ｆはＥＥＰＲＯＭである。いくつかの構成では、デバイス２３６６ｆは、フラッシュメモリまたは他の何らかのタイプのメモリであり得る。デバイス２３６６ｆは、機能データを格納するように構成することができ、またはコネクタ部分を介して、もしくは、たとえばＷＩ−ＦＩ、ＢｌｕｅｔｏｏｔｈもしくはＧＳＭ等の好適な無線送信プロトコルを介して、装置のコントローラ１３に機能データを通信するように構成することができる。
【０３３３】
取外し可能エルボの電子回路は、ポッティングによって液体またはガスの侵入に対して封止することができる。
【０３３４】
ＰＣＢ電気コネクタに、エルボ本体へのＰＣＢコネクタの取付に役立ち、かつ／またはＰＣＢへの液体侵入を低減させる、１つまたは複数の開口部２３６６ｇを設けることができる。図示する形態では、ＰＣＢに、２組の開口部、すなわち、サーミスタ尾２３６６ｄに隣接するＰＣＢの狭い端部の近くの１つの相対的に大きい開口部と、コネクタ２３６６ｃを備えたＰＣＢの広い方の端部の方に近いように配置された５つの相対的に小さい開口部とが設けられている。小さい方の開口部のうちの２つはまた、大きい方の開口部と小さい方の開口部との間に配置されている。しかしながら、この構成は変更することができる。
【０３３５】
２つのサーミスタ２３６６ｄは、ＰＣＢコネクタの正面に表面実装され、取外し可能エルボの本体に埋め込まれている。それらは、ガス流路２３６４に近接して、およそ図７２に示す位置２３６６ｄに位置している。サーミスタを覆うプラスチックを薄くして温度測定を促進することができ、それにより、図示するものからエルボの内部湾曲がわずかに変化する可能性がある。
【０３３６】
ＰＣＢコネクタ２３６６は、任意の好適な方法でエルボ本体に取り付けることができる。一例では、ＰＣＢコネクタに表面実装サーミスタ２３６６ｄが使用される場合、製造を簡略化するために、シングルショットオーバーモールドを用いてＰＣＢコネクタにエルボを製造することができる。シングルショットオーバーモールドはまた、煙突状部分２３６８ａにおいて細長いピンコネクタ２３６８を包囲することも可能である。ＰＣＢの孔により、オーバーモールド材料はＰＣＢを通って流れることができ、成形圧力によって本来発生する可能性のあるＰＣＢのたわみを低減させるかまたは防止することができる。
【０３３７】
サーミスタの代わりにデジタル温度センサを用いることができる。
【０３３８】
支持部分２３７４は、ＰＣＢに対して保護を提供する。それは、望ましいかまたは必要な場合に任意選択的なシールとともに、ＰＣＢコネクタと主制御基板との間の接続部に栓をすることにより、ＰＣＢに対する液体の侵入を低減させる役割を果たすことができる。支持部分２３７４は、エルボ保持部に結合されたときにＰＣＢを受け入れるスロットを充填するのに役立つ。したがって、液体が結合領域に滴下した／はね返った場合、支持部分は、スロットを包囲する保持部のプラスチックに当接し、液体が内部のＰＣＢコネクタに達する可能性を低減させる。支持部分が存在しなかった場合、ＰＣＢおよび保持部が結合されたときにＰＣＢと保持部スロットとの間の間隙を通して液体が入ることができる可能性が高くなる。
【０３３９】
これはまた、エルボ保持部内の電気コネクタおよび／または制御基板に水を入れないことに関しても有用である。
【０３４０】
シールは、支持部分２３７４の追加のプラスチックに、挿入されたときにエルボ保持部スロットを押圧するＰＣＢコネクタ／支持部分の部分の周囲に、またはＰＣＢコネクタと保持部のコネクタとの間の封止に役立つようにスロット内にある電気コネクタの周囲に位置することができる。
【０３４１】
シールの組合せを用いることができる。
【０３４２】
使用時にＰＣＢコネクタの非水平角度と組み合わされたこれらの特徴は、ＰＣＢコネクタから液体を引き出すのに役立つ。プラスチックは、ＰＣＢとエルボとの間に液体が侵入する可能性がある接合部がないように、ＰＣＢの側部および上部を包囲する。支持部分２３７４はまた、部分２３６８ａの基部において薄壁部分に対する保護も提供し、支持部分のプラスチックは、ＰＣＢコネクタを封入する。それはまた、エルボ保持部へのＰＣＢコネクタの挿入中に位置合わせに役立つように平坦な基部も提供する。
【０３４３】
ＰＣＢコネクタは、ＰＣＢとオーバーモールドエルボとの間の結合に役立つように、プラズマ処理するかまたはコンフォーマルコーティングでコーティングすることができる。
【０３４４】
取外し可能エルボ２３４２に、好適なシールが設けられる。たとえば、マニホールドガス入口ポート２３４０にＴシールを設けて、そのポートと液体チャンバガス出口ポート３０８との間を封止することができ、患者出口ポート２３４４に、Ｏリングシールまたは他のシールを設けることができる。Ｔシールは、製造に対してより容易な対称シールを提供することができる。Ｔシールは、広範囲の高さ（挿入／取外し部品がシールに接触する場所）にわたって、挿入方向および取外し方向の両方において偏向することができ、それにより、ＴシールはＯシールより汎用性があるものとなる。
【０３４５】
図１３７は、取外し可能エルボ２３４２のマニホールドガス入口ポート２３４０の適所における例示的なＴシール２３４２Ｔを示す。Ｔシール２３４２Ｔは、マニホールドガス入口ポート２３４０の外端部に隣接する環状凹部２３４０Ｒに受け入れられる。図１３８に示すように、Ｔシールは、エルボ２３４２の環状凹部に受け入れられるようにサイズが決められかつ構成される比較的幅の広い環状基部または本体２３４２Ｔ１を有する。本体２３４２Ｔ１は、エルボ２３４２の環状凹部の環状本体部分に適合する凹部２３４２Ｔ２を画定する。本体２３４２Ｔ１の半径方向厚さは、凹部の半径方向厚さよりわずかに薄いようなサイズとすることができる。
【０３４６】
環状封止突起２３４２Ｔ３が、本体２３４２Ｔ１から半径方向外側に、かつマニホールドガス入口ポート２３４０の周縁部を越えて突出して、液体チャンバガス出口ポート３０８の内面に対して封止する。環状封止突起２３４２Ｔ３は、本体から半径方向外側に延在する相対的に幅の狭い弾性環状リブ２３４２Ｔ４と、液体チャンバガス出口ポート３０８の内面に対してシールを提供するように球状断面形状を有する、相対的に幅の広い小玉先端（ｂｏｂｂｌｅ  ｔｉｐ）または環状頭部２３４２Ｔ５とを備える。
【０３４７】
小玉先端２３４２Ｔ５は、平滑な／連続的な封止面を提供し、有利には、偏向する方向を変化させる際にシールの詰まりまたは折れを低減させる。小玉先端はまた、回路内のガス圧から発生する吹き飛びに対する抵抗も提供する。製造後に小玉先端に何らかのバリが残っている場合、このバリによる有効な封止に対する影響は低減させるべきであり、それは、バリ位置は、Ｔシールが偏向したときに、液体チャンバガス出口ポート３０８の接触面になくなるためである。Ｔシールは、バリが封止に影響を与えないように、軸方向に成形することができる。小玉先端２３４２Ｔ５は、それが封止する表面にくっつかないように非粘着性表面仕上げを有することができる。
【０３４８】
以下、図１３９を参照して、液体チャンバと取外し可能エルボとの間の位置決めおよび封止を改善することが分かった、取外し可能エルボ２３４２Ｔのマニホールドガス入口ポート２３４０で使用される、Ｔシールの選択された例示的な寸法およびパラメータについて概説する。例示的な寸法およびパラメータは、記載する具体的な実施形態に対して選択されており、異なる実施形態、応用および／または材料に対して、寸法およびパラメータの異なる値または組合せを使用することができる。
【０３４９】
基部幅２３４２Ｔ１’：２．３ｍｍ〜６ｍｍ、たとえば６ｍｍ
シール基部の持上りを最小限にするために、特定の応用に対して基部幅を最大限にすることが概して好ましい。基部の幅は、シールの安定性に対して最適化することができる。基部幅は、シールを損なう可能性がある、使用時の基部の巻上げまたは持上りを防止するのに十分に厚いように選択される。
【０３５０】
基部厚さ２３４２Ｔ’’：０．５ｍｍ〜０．９ｍｍ、たとえば０．９ｍｍ
基部の持上りを最小限にすることと、組み立てられたときにＴシールが偏向する空間を可能にすることとの間のバランスとして選択される。基部厚さが過度に大きいことにより、組み立てられたとき、基部２３４２Ｔ１と小玉先端２３４２Ｔ５との間に圧縮嵌合がもたらされる可能性がある。基部が厚すぎる場合、Ｔの偏向は制限される可能性があり、偏向シールではなく基部との圧縮シールがもたらされる可能性がある。これにより、経時的に形状が変形したままとなる可能性があり、それにより、シールを作製するための力が大きくなり、経時的に破損に至る可能性がある。Ｔが偏向するときに巻き上がるかまたは持ち上がる可能性がより低いため、厚い基部は、よりＴ偏向を可能にする。
【０３５１】
伸縮性：たとえば１０％
この構成は、マニホールドガス入口ポート２３４０の凹部２３４２Ｒ上へのＴシール２３４２Ｔの伸張を可能にするように選択される。シールは、過度に伸ばされる場合、増大した応力を有することになり、それによって引き裂かれる可能性があり、シールの高さが低減する可能性があり、それにより封止の問題に至る可能性がある。シールは、十分に伸ばされない場合、部品の上に十分に保持されない可能性がある。伸縮性は、基部の厚さによって決まり、シールを最適化するために任意の好適な範囲を選択することができる。
【０３５２】
Ｔセクション／環状リブ厚さ２３４２Ｔ４’’：０．３５ｍｍ〜０．７ｍｍ、たとえば０．７ｍｍ
比較的厚い厚さを有することは、シールの剛性を低減させ、シール基部の持上りを防止するのに役立つ。Ｔが厚いほど、使用時に基部が持ち上がるかまたは巻き上がるのを防止するために必要な基部の厚さが厚くなる。他の材料を使用することができ、異なる結果が得られる。
【０３５３】
小玉先端直径２３４２Ｔ５’：０．６ｍｍ〜０．９ｍｍ、たとえば０．９ｍｍ
この寸法は、依然として、許容可能な使用者の挿入力を提供し、かつ組み立てられるときにシール基部２３４２Ｔ１に対する圧縮嵌合を回避しながら、「吹き飛び」に対する最大の抵抗の組合せとして選択された。ガスが、小玉先端が封止位置を越えて封止面と接触しなくなるようにする可能性がある場合、吹飛びが発生する。この「小玉」形状により、平滑な封止面が提供され、シールが偏向する方向を変化させるときの詰まりまたは折りが低減する。
【０３５４】
ショアＡ硬度：たとえば６０ショアＡ
Ｏリングの試験では、これは、「粘着性があり」かつシールを挿入時にその凹部から押し出す、比較的軟質な材料と、非常に可塑性であり、かつ組み立てられるときに容易に裂ける、比較的硬質な材料との間の最適なトレードオフを提供することが分かった。所与の材料（シリコーン）に対する６０ショアＡは、滑らかな挿入感覚を提供した。この材料はまた、等価な７０ショアＡグレードと比較した場合、より高い破断伸度および引裂き抵抗も有する。非粘着性表面仕上げにより、経時的にシールが液体チャンバポートにくっつくことが抑制される。ショア硬度は、材料選択に特定であるため、たとえば、ニトリル、ＰＴＦＥ、ＥＰＤＭ、ゴム、フルオロカーボン等の異なる材料に対して異なるショア硬度が好適となることが理解されよう。所望の特性に応じて、異なるショア硬度もまた好適である可能性がある。
【０３５５】
Ｔシールに対して、伸縮性、非粘着性および靭性は、望ましい材料特性である。
【０３５６】
取外し可能エルボ２３４２のマニホールドガス出口ポート２３４０の凹部２３４０ＲにＴシールの基部２３４２Ｔ１を挿入することにより、使用中に、ガス流がシールの下に入り、エルボからシールの基部２３４２Ｔ１を持ち上げることが防止される。凹部のいずれかの端部において端壁によって提供される隆起部は、液体チャンバが取外し可能エルボと組み立てられるときにシールの基部が持ち上がるかまたは損傷する可能性を最小限にし、シールを正確に位置決めし、シールの移動を防止するのに役立つ。シールのＴ形状は、漏れに対して優れた抵抗を提供する。
【０３５７】
Ｔシール２３４２Ｔは、必要な場合にシールを交換することができるようにエルボ２３４２から取外し可能であり得る。
【０３５８】
代替構成では、シールは、取外し可能エルボ２３４２または他の好適な構成要素の上にオーバーモールドすることができる。構成要素の上にシールをオーバーモールドすることにより、上述した寸法を変更するためにより大きい範囲が提供される。たとえば、基部幅２３４２Ｔ１’を大幅に低減させることができる。Ｔシールは、取外し可能エルボ２３４２の凹部２３４０Ｒ内に載らなくなる可能性があり、それは、エルボのマニホールドガス入口ポート２３４０が液体チャンバガス出口ポート３０８内にさらに押し込まれる必要なしに、マニホールドガス出口ポート２３４０の外端部のより近くで封止が発生する可能性があり、かつ／またはシールの基部２３４２Ｔ１は、挿入／取外し中にまたはシールの真下の流れにより持ち上げられないことを意味する。
【０３５９】
図１４０および図１４１は、変更された取外し可能エルボ２３４２’のガス入口ポート２３４０の適所にある代替構成のＴシール２３４２Ｔ’を示す。後述しない限り、特徴および機能は上述した通りであり、同様の参照数字は同様の部分を示す。
【０３６０】
この構成は、Ｔシール２３４２Ｔ’が非対称形状を有し、基部２３４２Ｔ１の一方の側が基部２３４２Ｔ１の他方の側より幅が狭いという点で異なる。図示する構成では、入口ポート２３４０の外端部に隣接するシールの側の基部２３４２Ｔ１の幅は、入口ポートの外端部からさらに離れて位置するシールの側における基部２３４２Ｔ１の幅より短い。寸法およびパラメータは、他の点では上述したものと同じであり得る。入口ポートに凹部２３４０Ｒが設けられているが、それは、片側凹部である。凹部は、入口ポート２３４０の外端部に通じており、凹部２３４０Ｒの内縁は、Ｔシール２３４２Ｔ’の縁に対して肩部を形成する。入口ポート２３４０上へのＴシールのオーバーモールドは、Ｔシール２３４２Ｔ’の基部２３４２Ｔ１が、液体チャンバガス出口ポート３０８内への出口ポート２３４０の取外しまたは挿入中に、入口ポート２３４０から持ち上げられないことを意味する。別法として、入口ポートに凹部２３４０Ｒが設けられていない場合があり、Ｔシールは、ポートの外部に直接オーバーモールドすることができる。
【０３６１】
図１４２および図１４３は、変更された取外し可能エルボ２３４２’’のガス入口ポート２３４０の適所にある代替構成のシール２３４２Ｔ’’を示す。後述しない限り、特徴および機能は上述した通りであり、同様の参照数字は同様の部分を示す。
【０３６２】
このシール２３４２Ｔ’’は、Ｌシールに類似する適合されたＴシールであり、概してＬ字型の形態を有し、シールの環状基部２３４２Ｔ１は、半径方向に延在する環状リブ２３４２Ｔ３の一方の側のみから延在している。図示する構成では、基部２３４２Ｔ１は、入口ポート２３４０の縁から離れる方向においてリブ２３４２Ｔ３からのみ延在する。この構成により、封止は、入口ポート２３４０の正確に外縁で発生することができる。寸法およびパラメータは、他の点では上述したものと同じであり得る。入口ポートに凹部２３４０Ｒが設けられているが、それは片側凹部である。凹部は、入口ポート２３４０の縁に通じており、凹部２３４０の内縁は、Ｔシール２３４２Ｔ’’の縁に対して肩部を形成する。入口ポート２３４０上へのＴシール２３４２Ｔ’’のオーバーモールドは、シール２３４２Ｔ’’の基部２３４２Ｔ１が、液体チャンバガス出口ポート３０８内への出口ポート２３４０の取外しまたは挿入中に、入口ポート２３４０から持ち上げられないことを意味する。別法として、入口ポートに凹部２３４０Ｒが設けられていない場合があり、Ｔシールは、ポートの外部に直接オーバーモールドすることができる。
【０３６３】
液体チャンバガス出口ポート３０８および／またはガス入口ポート２３４０に、２つのポートの間の偏心性を制限し、それによりシールに対する荷重を低減させるように、１つまたは複数の位置合わせ機構を設けることができる。図１４４は、位置合わせ機構が、ガス入口ポート２３４０に位置する機械的スタンドオフを備える一例を示す。図示する形態では、機械的スタンドオフは、シール凹部２３４０Ｒの内部肩部２３４０ＲＳによって提供され、それは、シールが、ポートを位置合わせするかまたはポートからの著しい荷重に適応するのではなく、封止するだけでよいように、挿入中にポートの位置を特定しかつ位置合わせする。機械的スタンドオフは、シールの封止面の正面にまたは後方に位置することができ、任意の好適な形態を有することができる。
【０３６４】
可撓性ＴシールまたはＬシールを利用することにより、液体チャンバを取外し可能エルボに結合するために高い力を必要とすることなく優れたシールが提供される。有効なシールを経時的に維持することができ、一方で、Ｏリングシール等の他のタイプのシールは、経時的にクリープするかまたは封止を低減させる可能性があり、圧縮嵌合を必要とする可能性がある。
【０３６５】
エルボの形態ではなく、ガス流チューブ１３４２、２３４２、２３４２’、２３４２’’は、装置の構成に応じて、他の任意の好適な構成を有することができる。たとえば、ガス流チューブは、実質的に直線状または非直線状の形態とすることができ、チューブの端部にマニホールドガス入口ポートおよび患者出口ポートがある。入口ポートおよび出口ポートは、典型的には、互いに角度をなす。ガス流チューブの保持部への挿入および保持部からの取外しの方向（たとえば、前方および後方）は、長手方向軸１３４０Ａ、２３４０Ａに対して角度をなすことができ、それにより、エルボは、液体チャンバに結合するために所望の向きで接続部を形成することができる。ガス流チューブの構成に応じて、保持部を要求通りに変更することができる。
【０３６６】
７．モータおよび／またはセンサモジュール−代替構成
図７８〜図１００は、本明細書に記載する流量治療装置において流れ発生器として使用することができる、代替構成の取外し可能モータおよび／またはセンサモジュールまたはサブアセンブリ１４００を示す。後述しない限り、サブアセンブリは、図１６〜図２２ｆのサブアセンブリに関連して記載した特徴および機能を有し、同様の参照数字は、各参照数字に１０００を加算して同様の部分を示す。
【０３６７】
上述したように、モータおよび／またはセンサモジュールまたはサブアセンブリ１４００は、個々のかつ封止された構成要素として設計されていた。破られるいかなるシールも、酸素等のガスが、装置の電子回路内ではなく周囲環境に漏れるようにする。モジュール１４００は、装置内にわずかに中心を外れて配置されており、それにより、フィルタおよび酸素マニホールドを取り付け、装置の空気／酸素入口機構３５０に近接して位置する。モジュール１４００は、交換可能であるように構成されており、そのため、センサが故障した場合、モジュール全体を交換することができる。モジュールは、検知に関する電子回路のみを含むことができる。
【０３６８】
モータおよび／またはセンサモジュール１４００は、３つの主な構成要素、すなわち、サブアセンブリ１４００の基部１４０３（その上に、ブロワを形成するインペラを備えたモータ１４０２が配置される）と、基部１４０３の上方に配置された出口ガス流路および検知層１４２０と、カバー層１４４０との積層配置を備える。カバー層１４４０ならびに出口ガス流路および検知層１４２０は、典型的には、使用時に組み立てられて検知層を形成する。ガスは、実質的に図１６〜図２２ｆに関して上述したように、モジュール１４００を通って移動する。ブロワ１４０２と出口ガス流路および検知層１４２０との間に形成された開口部が、モジュール内へのガス入口を提供し、入ってくるガスの温度が測定されるのを可能にする。
【０３６９】
基部１４０３は、ガスブロワモータ１４０２を受け入れる領域１４０３Ａを備える。領域１４０３Ａは、凹状であり得る。凹状領域の直径は、モータ１４０２の本体１４０８の下側の形状に一致するように選択される。領域１４０３Ａは、ブロワにガス流を案内する。基部１４０３の下側のリブは、領域に剛性を与え、凹状領域の形状と組み合わせて騒音を低減させる。代替構成では、領域１４０３Ａは、異なる形状、たとえば非凹状形状であり得る。
【０３７０】
図７９に示すように、基部１４０３は、複数の可撓性マウント１４１１を備えている。可撓性マウントは、振動隔離構造体として作用する。係合プレート１４１１Ａが、モータ／ブロワ本体１４０８の上部ケーシングによって保持され、マウントが摺動することができるスロットを提供する。任意の好適な数の可撓性マウント１４１１を設けることができる。マウントの上端は、出口ガス流路および検知層１４２０の本体１４２２のカップ等、相補的な受入れ部分に受け入れられる。
【０３７１】
図７８〜図８２、図８４、図８５および図８８に示すように、出口ガス流路および検知層１４２０の基部１４０３および本体１４２２に、本体１４２２を基部１４０３に固定する相補的な固定機構１４０５、１４２５が設けられている。基部１４０３は、基部の周縁部に間隔を空けた位置に配置された複数の直立クリップ１４０５を備える。クリップの上端部は頭部１４０５Ａを備え、頭部１４０５Ａは、それらの上端部に向かってテーパ状になっている。頭部には、プラスチックが迅速に冷めるのを可能にするように、プラスチックに実質的に一定の断面積を提供する凹部または切取部が設けられている。
【０３７２】
本体１４２２は、本体の周縁部の間隔を空けて配置された位置に、対応する複数の受入部材１４２５を備える。受入部材は、それらの下端部に向かう開口部１４２５Ａを備え、開口部１４２５Ａは、クリップのテーパ状頭部１４０５Ａを受け入れるようにサイズが決められかつ構成されている。本体１４２２は、本体および基部を互いに向かって移動させることにより基部１４０３に固定することができ、それにより、クリップ頭部１４０５Ａは、開口部１４２５Ａに受け入れられる。頭部１４０５Ａを横方向に移動させて開口部１４２５Ａを通過するようにし、その後、基部から本体を移動させることにより、基部から本体を分離することができる。
【０３７３】
クリップ１４０５および受入部材１４２５は、基部１４０３および本体１４２２の外縁にまたはそれに近接して配置することができる。好適には、少なくとも２つのクリップおよび受入部材があるが、３つ以上のクリップおよび受入部材があり得る。図示する形態では、クリップ１４０５は、基部１４０３の両側に位置し、受入部材１４２５は、本体１４２２の両側に位置する。別法として、クリップを本体１４２２の一部とし、受入部材を基部１４０３の一部とすることができ、または、クリップおよび受入部材の組合せを、基部１４０３および本体１４２２の両方に取り付けることができる。
【０３７４】
クリップ１４０５および受入部材１４２５は、取外し可能モータおよび／またはセンサモジュールまたはサブアセンブリ１４００が単一部品としてハウジングから取り外されるのを可能にするのに十分強固であるように構成されているが、組み立てられると荷重を支持する必要はない。クリップおよび受入部材は、基部および本体を固定する唯一の方法として使用することができ、またはねじ等の他の締結具と組み合わせて使用することができる。別法として、異なる固定方法を用いることができる。
【０３７５】
基部１４０３および本体１４２２は、複数の垂直方向に延在する壁部材１４０７、１４２７を備える。壁部材は、互いに相補的であり、下壁部材１４０７の上端部は、基部１４０３が本体１４２２に固定されるときに上壁部材１４２７の下端部と係合して、本体１４２２が基部１４０３に対して揺動するのを防止する。本体および基部の周囲の間隔を空けて配置された位置に少なくとも２つの壁部材があるが、３つ以上の壁部材があり得る。壁部材は、クリップがより確実に係合するのに役立つように、クリップのいずれか側にも設けることができ、それにより、揺動する可能性がより低いより安定したアセンブリが提供される。壁部材の長さおよび／または形状は変更することができる。開口部１４２７Ａが、壁部材のうちの１つにまたは壁部材のうちの２つの間に配置されて、入ってくるガスの温度を求める温度センサを受け入れる。別法として、温度センサは別の場所に配置することができる。
【０３７６】
基部１４０３および／または本体１４２２はまた、結合中に基部および本体を合わせて案内する複数の位置決めピン１４１２も備える。好適には、回転位置決めおよび垂直位置決めを提供するように少なくとも２つの位置決めピン１４１２があるが、３つ以上のピン１４１２があり得る。
【０３７７】
基部１４０３の周縁部１４０３Ｂに、Ｏリングシール１４０３Ｃ等のソフトシールを受け入れる凹部が設けられている。シール１４０３Ｃは、装置のハウジングに対してモジュール１４００を封止し、フィルタを迂回する周囲空気の閉じ込めを防止する。特に、シール１４０３Ｃは、基部１４０３と装置ハウジングの凹部２５０の周壁との間を封止する。シール１４０３Ｃはまた、モジュール１４００と装置のハウジングとの間に、ハウジングからモジュール１４００を取り外すためには克服しなければならない力を提供する。
【０３７８】
図８３に示すように、基部１４０３の下側は、スカラップ状であり、構造的強度および安定性を提供するように複数の補強リブ１４０３Ｄが設けられている。リブは、半径方向配置で示されているが、任意の好適な構成であり得る。周縁部１４０３Ｂの１つの縁（図８３に示す下縁）は、装置の酸素入口マニホールドの形状に適応するように実質的に直線状である。周縁部の側部は、工具による仕上げ加工に役立つようにテーパ状とすることができる。たとえばねじ等の締結具を用いてモジュール１４００を装置のハウジングに締結することができるように、基部１４０３の突出部分に開口部１４０３Ｅが設けられている。
【０３７９】
ガスは、入口領域を介してモジュール１４００に入ると、基部１４０３の凹状部分１４０３Ａのブロワ１４０２の下に位置するブロワ入口まで移動する。モジュールに入るガスは、モータを冷却するように作用することができる。そして、ガスは、ブロワ１４０２を通って移動し、ブロワガス出口ポート１４０６を介して出る。ブロワガス出口ポート１４０６を出るガスは、ブロワガス出口ポート１４０６を出口ガス流路および検知層１４２０のガス入口ポート１４３０に結合する結合チューブまたはカフ１４０９に入る。カフは、ブロワ出口ポート１４０６に結合されているガス入口ポート１４０９Ａと、ガス入口ポート１４０９Ａから離れるようにガスを上方に向ける弓状本体部分１４０９Ｂと、出口ガス流路および検知層１４２０のガス入口ポート１４３０にガスを送達するガス出口ポート１４０９Ｃとを有する。カフの弓状本体は、圧力降下を最小限にしながら、ブロワ出口ポート１４０６からガス入口ポート１４３０まで約９０度の角度変化を通して、ただし、短い水平距離にわたってガスを向ける。一構成では、ブロワ出口ポート１４０６とガス流路１４２６、１４４６の中心との間の最大圧力降下は、最大２．５ｃｍＨ2Ｏである。
【０３８０】
カフは、必要な構成に応じて異なる角度を通してガスを向けるように構成することができることが理解されよう。カフ１４０９の入口ポート１４０９Ａおよび出口ポート１４０９Ｃは、好適な封止機構、たとえば、Ｏリングシール等のソフトシールを用いてブロワ出口ポート１４０６およびガス入口ポート１４３０に封止される。
【０３８１】
カフ１４０９は、カフを通過するガスの圧力降下を最小限にし、狭い空間制約においてユニットのケースからブロワ振動を隔離するように構成されている。カフは、軟質可撓性材料から作製され、ダイヤフラムとして作用しかつ振動隔離体としての役割を果たす局所領域を有する。カフのいくつかの領域を薄くして、いかなる振動も構造部品に伝達されるのを防止するかまたは最小限にするように隔離を提供することができる。これは、カフ内に相対的に薄い部分を成形することによって達成することができる。さらにまたは別法として、ハウジング内のモジュール１４００のより多くの移動を可能にしながら、ユニットのケースから振動を隔離するのに役立つように、カフに蛇腹部分（ｃｏｎｃｅｒｔｉｎａ）を設けることができる。
【０３８２】
基部１４０３は、基部の周縁部にまたはそれに隣接して上方に突出する直立カフ支持部材１４０７Ａを備える。カフ支持部材１４０７Ａは、上面図で観た場合に内向きに凹状の形状を有し、カフ１４０９の周縁部を受け入れかつ支持するように構成されている。たとえば図８２に示すように、カフのガス出口ポート１４０９Ｃ端部は、カフ支持部材１４０７Ａの上端部に載る拡大径を備える。カフ支持部材１４０７Ａは、可撓性カフ１４０９を所望の位置で保持し、加圧流下でカフが入口１４３０から吹き飛ばされるのを防止するのに役立つ。カフの中心は、カフのいずれの側部よりも可撓性があり得る。カフは、クリープを低減させ、かつカフの首部がポートにわたってかつポートの上に伸張して適所に堅く保持されるのを可能にする、低圧縮永久歪材料から製造することができる。カフに、組立プロセスに役立つように１つまたは複数のグラブタブを設けることができる。グラブタブは、カフの任意の好適な領域に設けることができる。しかしながら、グラフタブは、概して、空気および／または酸素または他の気体がモータおよび／またはセンサモジュール１４００に入る領域においてガス流を遮断／干渉しないように配置される。一例では、グラブタブは、カフの上縁の近くに配置することができる。別の例では、グラブタブは、カフの別の場所に配置することができる。
【０３８３】
グラブタブの代替形態として、カフを適所に置くのに役立つように、カフの縁を面取りすることができる。
【０３８４】
ガス流路および検知層１４２０は、１つまたは複数のセンサを有するガス流路を備え、ガス流路は、ハウジングの出口ポートにガスを送達するように配置される。
【０３８５】
ガス流路および検知層１４２０の本体１４２２が、検知およびガス流路の下部１４２６を画定する。カバー層１４４０は、検知およびガス流路の上部１４４６を画定する本体１４４２を有し、上部１４２６および下部１４４６の形状は、実質的に互いに対応する。したがって、図８４および図８５は、検知およびガス流路の上部１４４６を概略的に示すが、それは、図９３〜図９５に示すカバー層から明らかとなるように、カバー層１４４０が本体１４４２に結合されるときにのみ存在する。
【０３８６】
図８８および図８９に示すように、検知およびガス流路は、弓状の細長いガス流部分１４２８、１４４８を備える。凹部１４３３、１４５３、１４３４、１４５４は、検知およびガス流路の弓状の細長い部分の両端部に隣接して設けることができる。
【０３８７】
図示する形態では、弓状の細長いガス流部分１４２８、１４４８は湾曲している。図示する形態では、弓状の細長いガス流部分は、約８５ｍｍの長さを有する。図示する形態では、ガス流路の端部は、中心より弓状であり（すなわち、より狭い半径を有し）、中心は、依然として弓状であるがより直線状である。ガス流路は、ガスがそれに沿って移動する際に、ガスの圧力降下を最小限にし、さらに、ガスが数回急に曲がる必要があるモジュールを通してガスを向けるように湾曲している。湾曲は、ガスがモジュールを通して移動する際に、急な曲がり目を平滑にするのに役立つ。ガスは、カフ１４０９を離れた直後に／離れる際に弓状ガス流路に入る。
【０３８８】
ガス流路の中間部分１４２８Ａ、１４４８Ａは、中間部分の両端の部分より小さい直径を有する。したがって、ガス流路は、再び広がる前にわずかに内向きにテーパ状になって、流路を通る流れの速度を上昇させる。
【０３８９】
ガス流出口ポート１４５２は、カバー層１４４０の本体１４４２を通って垂直に延在し、入口ポート１４３０とは反対側の弓状の細長いガス流部分１４２８、１４４８の端部にまたはそれに隣接して位置する。
【０３９０】
検知およびガス流路は湾曲形状を有する。ガス流は、入口ポート１４３０に入り、湾曲した検知およびガス流路に沿って流れ、出口ポート１４５２において検知およびガス流路の反対側から出る。いくつかの構成では、入口および出口は、垂直方向に反対の方向に配置することができ、ガス流は、垂直方向上向きの方向に流路に入り、その後、水平方向に曲がり、その後、再度垂直方上向きの方向に曲がる。いくつかの構成では、検知およびガス流路は、急な曲がり目を有していない。いくつかの構成では、検知およびガス流路は、よりまっすぐな中間セクションとともに湾曲端部を有する。いくつかの構成では、検知およびガス流路は、流路の長さを通して一定の断面形状を維持する。いくつかの構成では、検知およびガス流路は、検知およびガス流路の第１端部からわずかに内向きにテーパ状となり、検知およびガス流路の第２端部まで再度広がり、それによって流れの速度を上昇させることができる。いくつかの構成では、検知およびガス流路の表面は、検知およびガス流路内の摩擦を低減させるように表面改質剤／潤滑剤で裏打ちされている。湾曲流路形状により、ガス流の圧力降下を低減させることができる。複数の異なる流路構成を用いることができる。
【０３９１】
検知およびガス流路１４２６、１４４６は、約１０ｍｍ〜約１０００ｍｍ、約４０ｍｍ〜約２００ｍｍ、約５０ｍｍ〜約１５０ｍｍ、約７０ｍｍ〜約１２０ｍｍ、約８０ｍｍ〜約１００ｍｍ、または上述した値のうちの任意のものの間、または約９５ｍｍの、弓状の細長いガス流部分１４２８、１４４８の両端部の間の（凹部１４３３、１４５３、１４３４、１４５４の最も近接する部分の間の）総距離を有する。
【０３９２】
検知およびガス流路１４２６、１４４６は、約２ｍｍを超え約１００ｍｍ未満である、約５ｍｍ〜約５０ｍｍ、約１０ｍｍ〜約３０ｍｍ、約１５ｍｍ〜約２５ｍｍ、上述した値のうちの任意のものの間、または約１６ｍｍの直径を有することができる。流路の直径を低減させることにより、ガス速度が有用な速度を超える高流量で増大する可能性があり、圧力降下に至る可能性がある。流路の直径を増大させることにより、システム内により多くの空間をとることができる。したがって、上述した範囲にしたがって、最適なバランスを得ることができる。異なる流れ構成を有する装置により、等価な範囲を用いることができる。
【０３９３】
ワイヤをブロワ１４０２から検知プリント回路基板（ＰＣＢ）１４５６に渡すために、本体１４２２にスロット１４２２Ｃが設けられている。ＰＣＢの少なくとも一部は、ガス流路および検知層１４２０を通るガス流路と重なる。ＰＣＢ１４５６は、ガス流路検知層１４２０とカバー層１４４０との間に挟挿されている。温度センサが、ガス流路内にあるかまたはガス流路と重なるＰＣＢの部分に配置される。図１００に示すように、ＰＣＢ１４５６は、弓状の細長いガス流部分１４２８、１４４８の外縁の湾曲に対して相補的な形状である弓状部分１４５７Ａを有する凹部１４５７を備える。ＰＣＢの突出部分１４５６Ａが、ＰＣＢの電子回路を支持し、流路の外側に配置されるように構成されている。
【０３９４】
図８８および図８９に示すように、層１４２０の本体１４２２の上側に、ＰＣＢ１４５６の下側に対して封止するＯリング１４２３Ａ等のソフトシールを受け入れる溝１４２３が設けられている。カバー層１４４０の本体１４４２の下側に、ＰＣＢ１４５６の上側に対して封止するＯリング１４４３Ａ等のソフトシールを受け入れる溝１４４３が設けられている。溝１４２３、１４４３には、有利には、Ｏリングシールを溝内の適所に維持するのに役立つ内向きの突起１４２３Ｂ、１４４３Ｂ（図９９により明確に示す）が設けられている。
【０３９５】
ガス流路を通過するガスがブロワによって加圧されているため、ソフトシール１４２３Ａ、１４４３Ａは、モジュールの高圧力領域を封止する。シール１４２３Ａ、１４４３Ａは、ガスが漏れて装置の電子回路に向かって移動するのを防止する。ソフトシールは、別法として、本体１４２２および１４４２とコモールドすることができ、軟質層がより剛性の本体の上にコモールドされる。
【０３９６】
図９２に示すように、本体１４２２の下面に、歪みを低減させる、任意の好適な構成の複数の補強リブ１４２２Ｂが設けられる。
【０３９７】
構成に関して上述したように、装置の電子回路は、電子回路に液体または酸素が侵入する可能性を低減させる蛇行経路をもたらすように、ハウジングの低圧力領域に配置されている。電子部品を備えるＰＣＢ１４５６Ａの部分は、Ｏリングの「外側に」配置される。センサを備えるＰＣＢ１４５６の部分は、流路の内側にあり、ＰＣＢ１４５６を堅く押圧するＯリング１４２３Ａ、１４４３Ａによって外側から封止される。したがって、液体または酸素の侵入は、少なくとも実質的に防止することができる。
【０３９８】
カバー層１４４０は、ねじ等の締結具を用いてガス流路および検知層１４２０に結合することができる。締結具は、２つの部分を挟挿して結合し、ＰＣＢ基板１４５６に対してソフトシール１４２３Ａ、１４４３Ａを封止する圧縮力を提供する。ねじを受け入れるために、任意の好適な数の開口部１４２２Ａ、１４４２Ａ（図８８および図８９）を設けることができる。ねじの下側にワッシャを用いることができる。ねじの周囲の低圧力領域への漏れの可能性（性能に影響を与える可能性がある）を最小限にするために、挿入されたねじの頭部が上に位置するボスに、隆起部を追加することができる。別法として、ねじが挿入されると、接着剤または充填剤を用いて、任意のあり得る開口部を封止することができる。別法として、カバー層１４４０は、力が加えられると層の間を封止するようにガス流路および検知層１４２０と結合するクリップまたは接着機構を備えることができる。
【０３９９】
図９３および図９４に示すように、カバー層１４４０の上面に、歪みを低減させる、任意の好適な構成の複数の補強リブ１４４２Ｂが設けられている。カバー層１４４０に、ＰＣＢの電子回路を保護する、ＰＣＢの突出部分１４５６Ａを覆う突出部分１４４１Ａが設けられている。カバー層１４４０はまた、ＰＣＢへの電気接続部を覆いかつ保護する保護部分１４４１Ｂも有する。
【０４００】
カバー層１４４０には、突出部分１４４１Ａに、ＰＣＢ１４５６のエッジカード／コネクタ等の電気部品を受け入れるようにシュラウド１４４１Ｃが設けられている。エッジカード／コネクタは、ＰＣＢ１４５６に直接接続することができ、またはワイヤによって接続することができる。エッジカード／コネクタを用いて、ブロワモータを主装置の電子回路に電気的に結合することができる。シュラウドは、図９３〜図９５にもっとも明確に示されており、電気部品を少なくとも部分的に包囲しかつ保護するように構成されており、シュラウドは、電気部品を支持するが、シュラウド内で少なくとも１つの次元において電気部品の移動を可能にするように構成することができる。図示する形態では、シュラウド１４４１Ｃの上部は開放している。
【０４０１】
シュラウド１４４１Ｃは、長尺寸法１４４１Ｄおよび短尺寸法１４４１Ｅを有する細長い本体を備える。エッジカード／ＰＣＢの端部を受け入れるように、本体の各端部に隣接してスロット１４４１Ｆが設けられている。本体の側部は、エッジカード／コネクタの対向する面を支持する２つの弾性支持体１４４１Ｇによって提供される。
【０４０２】
いくつかの構成では、シュラウド１４４１Ｃは、１つの次元においてエッジカード／コネクタの移動を可能にするように構成されている。たとえば、エッジカード／コネクタの長さが、スロット１４４１Ｆの端部の間の距離より短い場合、シュラウド１４４１Ｃは、弾性支持体１４４１Ｇにより、横方向の（シュラウドの短尺寸法１４４１Ｅにおける）エッジカード／コネクタの移動を可能にするように構成することができ、または、シュラウドの長尺寸法１４４１Ｄにおけるエッジカード／コネクタの移動を可能にするように構成することができる。ＰＣＢ／エッジカードは、別法として、スロットの間の長尺距離１４４１Ｄと同じ長さとすることができ、したがってそれほど自由に移動することができない。
【０４０３】
いくつかの構成では、シュラウド１４４１Ｃは、２つの次元において電気部品の移動を可能にするように構成される。たとえば、エッジカード／コネクタの長さが、スロット１４４１Ｆの端部の間の距離より短い場合、シュラウドは、弾性支持体１４４１Ｇにより、横方向の（シュラウドの短尺寸法１４４１Ｅにおける）エッジカード／コネクタの移動を可能にするように構成することができ、かつ、シュラウドの長尺寸法１４４１Ｄにおけるエッジカード／コネクタの移動を可能にするように構成することができる。ＰＣＢ／エッジカードは、別法として、スロットの間の長尺距離１４４１Ｄと同じ長さとすることができ、したがってそれほど自由に移動することができない。
【０４０４】
この応用では、シュラウドは、エッジカード／コネクタの垂直移動を可能にしない。代替構成では、シュラウド１４４１Ｃは、３つの次元において電気部品の移動を可能にするように構成される。たとえば、エッジカード／コネクタの長さが、スロット１４４１Ｆの端部の間の距離より短い場合、シュラウドは、弾性支持体１４４１Ｇにより、エッジカード／コネクタの横方向の（シュラウドの短尺寸法１４４１Ｅにおける）移動を可能にするように構成することができ、シュラウドの長尺寸法１４４１Ｄにおけるエッジカード／コネクタの移動を可能にするように構成することができ、かつエッジカード／コネクタの垂直移動を可能にするように構成することができる。ＰＣＢ／エッジカードは、別法として、スロットの間の長尺距離１４４１Ｄと同じ長さとすることができ、したがってそれほど自由に移動することができない。
【０４０５】
シュラウドは、少なくとも１つの次元においてエッジカード／コネクタの限られた移動を可能にするように構成することができ、限られた移動は、部品における許容位置ずれに適応するのに十分である。
【０４０６】
ガスは、ガス流路および検知層１４２０を通過すると、ガス流入口エルボ３２４と結合するガス流出口ポート１４５２を介してモジュール１４００から出る。モジュール１４００のガス流出口ポート１４５２を封止するように、Ｏリングシール１４５２Ａ等のソフトシールを設けることができる。図９６に示すように、ソフトシール１４５２Ａは、ハウジングの下方外側伸長チューブまたは導管１３３の内壁、またはハウジングの別の部分に対して封止する。エルボ３２４とハウジングの下方伸長チューブ１３３の内壁、またはハウジングの別の部分との間を封止するように、Ｏリングシール３２４Ａ等のソフトシールを設けることができる。ソフトシールは、モジュール１４００を封止された状態で維持し、加圧ガスが装置のハウジングに流れ込む可能性を低減させるように、機能する。ソフトシールは、ガス流出口ポート１４５２およびガス流入口エルボ３２４の環状溝に設けることができる。別法として、それらの構成要素の両方のうちの１つに、ソフトシールのための載置面を提供するように、外向きの肩状部を設けることができる。たとえば、図９６に示すように、シール１４５２Ａは、ガス流出口ポート１４５２の肩部１４５２Ｂの上部に位置することができ、ソフトシール３２４Ａは、ガス流入口エルボ３２４の肩部３２４Ｂの下に位置することができる。
【０４０７】
別の構成では、ガス流出口ポート１４５２、ガス流入口エルボ３２４および／または外部伸長チューブ／ハウジング１３３の間を封止するために、異なるタイプのシールを設けることができる。たとえば、Ｏリングを使用するのではなく、面シール、フォームまたはベローズシールを使用することができ、それにより、シールを破ることなく、構成要素を通るガス流方向に対して横向きの方向における構成要素の幾分かの相対移動が可能になる。その移動を可能にするシールは、下部シャシの適所にあるときのモジュール１４００を過度に拘束しないが、ガス流出口ポート１４５２の上面と入口エルボ３２４の底面との間の封止を可能にする一方で、モジュール１４００のガス流出口ポート１４５２と入口エルボ３２４との間の幾分かの横方向の移動を可能にする。ガス流出口ポート１４５２と入口エルボ３２４との間を封止するためにベローズシールが用いられる場合、それは、モジュール１４００のガス流出口ポート１４５２と入口エルボ３２４との間の幾分かの横方向の移動および幾分かの軸方向の移動の両方を可能にする。
【０４０８】
ガス流出口ポート１４５２とガス流入口エルボ３２４との間の接続部は、この接続部から発生するいかなる漏れも装置のハウジングの外側に向けられるように、モータおよび／またはセンサモジュール１４００の外側に形成されている。下部シャシが入口エルボ３２４の外側の周囲まで延在し、漏れがある場合に凹部２５０およびガス流チューブ２６４を画定する壁および天井を含む単一一体部品として形成されているため、ガスは、抵抗が最低の経路をたどり、漏れ領域の外側で集まって、入口エルボ３２４の外側を介して周囲空気に出る。ガスが、ハウジング内に、蛇行経路を介して装置の電子回路に流れる可能性は非常に低い。
【０４０９】
ＰＣＢおよびモジュール１４００の他の構成要素に、構成要素を取り付けるのに役立つようにまたは他の隣接する構成要素に対して逃し部を提供するために、さまざまな図に示すような逃し部または凹部を設けることができる。
【０４１０】
ガスがモジュールに入ると、モジュール１４００を通るガスの全体的な流れは、図９７に示す矢印によって表される。圧力降下が、ＱがＬｍｉｎ-1での流量であり、ＰがＰａでの圧力であり、ｋが圧力降下係数である場合に、式Ｐ＝ｋＱ2であると想定される場合、ブロワ出口ポート１４０６からモジュールのガス流出口ポート１４５２までの圧力降下係数は、約５ｍＰａ（Ｌｍｉｎ-1）-2〜約５０ｍＰａ（Ｌｍｉｎ-1）-2、一構成では約１０ｍＰａ（Ｌｍｉｎ-1）-2〜約２０ｍＰａ（Ｌｍｉｎ-1）-2、一構成では約１５ｍＰａ（Ｌｍｉｎ-1）-2となる。等価的に、１００Ｌｍｉｎ-1での圧力降下は、約５０Ｐａ〜約５００Ｐａ、一構成では約１００Ｐａ〜約２００Ｐａ、別の構成では約１５０Ｐａとなる。モジュール／ブロワへの入口は、小さい圧力降下を追加する可能性があるが、その小さい降下はわずかである可能性がある。
【０４１１】
モジュール１４００は、モジュール４００に対して上述した代替構成のうちの任意のものを有することができることが理解されよう。
【０４１２】
８．代替構成
図１０１〜図１７９は、代替構成の流量治療装置３０１０’の特徴を示す。流量治療装置３０１０’は、他の構成に関連して本明細書に記載した特徴および／または機能のうちの任意のものを有することができ、それらの特徴については簡単のためにここでは繰り返さない。概して、同様の数字を用いて、各参照数字に３０００を加算して、図２〜図５４または図５５〜図６４の構成と同様の部分を示す。同様に、この代替構成の装置３０１０’の特徴および／または機能は、本明細書に記載する他の装置で使用することができる。
【０４１３】
図１０１〜図１１７は、流量治療装置３０１０’のハンドル機構の詳細を示し、ハンドル機構は、代替構成のハンドル／レバー４５００を有する。これらの図に示す特徴に対して、同様の数字は、各参照数字に３０００を加算して、図５５〜図６４と同様の部分を示す。
【０４１４】
図５５〜図６４の構成と同様に、ハンドル／レバー４５００は、片側構成である。すなわち、ハンドル／レバー４５００の一方の側のみが流量治療装置３０１０’の主ハウジングに対して移動可能に接続されており、ハンドル／レバー４５００の他方の側の主ハウジングへのピボット接続はない。図示する形態では、ハンドル／レバー４５００の左側は、主ハウジングに対して枢動可能に接続されている。しかしながら、代替構成では、右側のみを主ハウジングに枢動可能に接続することができる。この構成は、ハンドルが、主ハウジングに枢動可能かつ並進可能に接続されており、それにより、ハンドルが主ハウジングに対してさまざまな半径を有する経路を移動するという点で、図５５〜図６４の構成とは異なる。ハンドル／レバー４５００および主ハウジングは、その枢動可能かつ並進可能な接続を提供するために、上述したものから変更される。
【０４１５】
ハンドル／レバー４５００は、上部シャシ３１０２’の左内側壁３１１２’に対して枢動可能にかつ並進可能に取り付けられる左側アーム４５０２を有する。左側アーム４５０２は、ハンドル４５００が図１０１の下降または閉鎖位置にあるとき、相互接続壁３１１４’と実質的に同一平面にあるように構成されている。ハンドル／レバーは、右側アームではなく、左側アーム４５０２より短く、かつ上部シャシ３１０２’の右内側壁３１１８’に枢動可能に取り付けられていない、右側部材４５０４をさらに備える。右側部材４５０４は、ハンドル４５００が図１０１の下降または閉鎖位置にあるとき、相互接続壁３１２０’と実質的に同一平面であるように構成されている。主ハウジングに、左側アーム４５０２および右側部材４５０４が相互接続壁と実質的に同一平面であるのを可能にする凹部が設けられている。図示する形態では、左側部材４５０２は、右側部材４５０４より長く、そのため、スペーサ部材３１２０’’が上部シャシ３１０２’’に取り付けられ、ハンドル４５００が下降または閉鎖位置にあるとき、相互接続壁３１２０’および右側部材４５０４と実質的に同一平面に位置する。スペーサ部材３１２０’’は、装置および／またはその使用者を表す情報を含むラベルまたは他の表示を有することができる。
【０４１６】
ハンドルの末端部は、左側アーム４５０２および右側部材４５０４の前端部を相互接続し、使用者の指が把持するための係合領域を形成する、横材ハンドル部分４５０６を有する。ハンドル４５００が、たとえば図１１１に示すように上昇位置にあるとき、横材４５０６は、装置３０１０’用の運搬用ハンドルとして作用することができる。図示する構成により、ハンドルが完全上昇位置にあるとき、横材４５０６は、（液体チャンバを含む）装置の重心の概して上方にかつ重心と概して整列して配置される。一構成では、横材４５０６は、装置の重心の実質的に真上にかつ実質的に一直線に整列して配置することができる。ハンドル／レバー４５００が上昇しているとき、（たとえば、図５５に示す）液体チャンバ３００’をチャンバ区画３１０８’内に挿入するかまたはチャンバ区画３１０８’から取り外すことができる。ハンドル／レバー４５００が下降位置にあるとき、それは、チャンバ３００’のチャンバ区画３１０８’からの取外しを阻止または防止する。
【０４１７】
ハンドル／レバー４５００は、右側部材４５０４を有するのではなく、横材４５０６の右側で終端することができる。しかしながら、後向きの部材４５０４を有することが好ましく、それは、それによって、装置３０１０’が支持されている間に落とされる可能性が低減するためである。
【０４１８】
図１０１に示すハンドル／レバー４５００の閉鎖または完全下降位置では、横材４５０６は、主ハウジングの正面で凹部３２４２’内に位置し、チャンバ区画の一部を囲む。主ハウジングは、上部シャシ部３１０２’および下部シャシ部３２０２’で形成することができ、凹部３２４２’は、適切なシャシ部に形成される。図示する形態では、両シャシ部が対応する凹部を有する。ハンドル／レバー４５００および／または凹部３２４２’は、ハンドル／レバー４５００を下降または閉鎖位置で押込み式に係合させるように、上述したもののうちの１つ等の押込み式係合機構を有することができる。ハンドル／レバー４５００が下降または閉鎖位置にある状態では、横材４５０６の一部は、チャンバ区画３１０８’の床の上方にかつ液体チャンバ３００’のフランジ３１０’の上方に、液体チャンバ３００’が前方に摺動して液体チャンバ区画３１０８’から取り外されるのを防止するのに十分突出する。液体チャンバ区画３１０８’は、ハンドル／レバー４５００が下降または閉鎖位置にあるときに、液体チャンバ３００’が液体チャンバ区画３１０８’から持ち上げられ垂直に取り外されるのを防止する、ガイドレール３１４４、３１４６を備える。
【０４１９】
ガイドレール３１４４、３１４６は、液体チャンバ３００’を液体チャンバ区画３１０８’に入れるのに役立つように、湾曲形状および／または上方角度付き先行部分３１４４ａを有することができる。別法としてまたはさらに、ガイドレール３１４４、３１４６は、チャンバ区画３１０８’の基部に対して、それによりヒータプレートに対して非平行であるように向けることができる。特に、ガイドレールの長さの主部が、その主部の前部がその主部の後部より液体チャンバ３１０８’の基部から遠くに配置されるように向けられるように、ガイドレールを向けることができる。すなわち、その主部の前部は、その主部の後部より高く、それにより、液体チャンバがチャンバ区画３１０８’に挿入される際、液体チャンバ３００’の基部をヒータプレートとより密に係合するように案内する。これは、ガイドレールの上方角度付き先行部分３１４４ａの代わりであるかまたは追加であり得る。ガイドレールは、液体チャンバ３００’を液体チャンバ区画３１０８’内に挿入する間に使用者を案内するため、装置の有用性に役立つ。
【０４２０】
図１０２〜図１１４は、ハンドル／レバー４５００のピボット機構の詳細を示す。左側アーム４５０２の後方部分が、ピボットアーム４５０２ｄに接続されている。ピボットアーム４５０２ｄは、ハンドルが下降または閉鎖位置にあるときに左側アーム４５０２から下方にかつ後方に延在する前方弓状部分４５０２ｅを備える。その前方弓状部分４５０２ｅの後方部は、ハンドルが下降または閉鎖位置にあるときにそこから上方にかつ前方に延在する本体部分４５０２ｆに接続されている。本体部分４５０２ｆは、テーパ状形態を有し、本体部分の基部は相対的に小さく、本体部分の上部末端部分は相対的に大きい。本体部分４５０２ｆは、上昇位置にあるハンドルを安定させかつその位置でのハンドルの左右移動を低減させるのに役立つ追加の質量を提供するように、比較的大きい。
【０４２１】
ピボットアーム４５０２ｄの大部分と本体部分４５０２ｆとの間に、間隔が設けられている。本体部分４５０２ｆの上端は、２つのピボット突起、すなわち、後部の外向きの第１ピボット突起４５０２ｂ’と、前方の内向きのピボット突起４５０２ｂ’’とを備える。
【０４２２】
後部ピボット突起４５０２ｂ’は、第１ピボット穴４５０２ｃ’に受け入れられる。第１ピボット穴４５０２ｃ’は、スロットまたはチャネルを備え、実質的に垂直に延在するピボット穴である。ハンドルが下降位置と上昇位置との間で移動する際に、後部ピボット突起４５０２ｂ’が実質的に直線状の経路をたどるように、第１ピボット穴は概してまっすぐである。後部ピボット突起４５０２ｂ’は、第１ピボット穴４５０２ｃ’内に保持されるが、そのピボット穴の長さに沿って実質的に自由に移動するように構成されている。
【０４２３】
前部ピボット突起４５０２ｂ’’は、第２ピボット穴４５０２’’に受け入れられる。第２ピボット穴は、スロットまたはチャネルを備え、実質的に装置の前後方向に延在する、比較的水平なピボット穴である。ハンドルが下降位置と上昇位置との間で移動する際に、前部ピボット突起４５０２ｂ’’が実質的に弓状の経路ＡＰをたどるように、第２ピボット穴は概して弓状である。図示する形態では、第２部ピボット突起４５０２ｃ’’は、実質的に左側相互接続壁３１１４’の湾曲をたどり、ピボット穴の上方の位置に対して凸状湾曲を有する。前部ピボット突起４５０２ｂ’’は、第２ピボット穴４５０２ｃ’’内に保持されるが、そのピボット穴の長さに沿って実質的に自由に移動するように構成されている。
【０４２４】
図１０６に示す形態では、第１ピボット穴４５０２ｃ’の上端部は、第２ピボット穴４５０２ｃ’’の対応する部分より高い高さに位置し、２つのピボット穴は側面において重なる（図１０６においてＸによって表す）。Ｘによって表す位置を、本明細書では原点と呼ぶ。
【０４２５】
後部ピボット突起４５０２ｂ’および前部ピボット突起４５０２ｂ’’は、ハンドルの本体部分４５０２ｆの対応する開口部に受け入れられるピンを備えることができる。別法として、ピボット突起は、本体部分４５０２ｆと一体的に形成することができる。
【０４２６】
装置は、図１０２、図１０３および図１０４に最も明確に示すハンドル保持部４４９８を備える。ハンドル保持部は、相互接続壁３１１４’の下側に形状が実質的に対応する上縁４４９８ａを有する、実質的中空体を備える。しかしながら、ハンドル保持部４４９８は、ハンドル保持部４４９８の開口部４４９８ｂが相互接続壁３１１４’の正面に配置されるように、相互接続壁３１１４’の前縁よりさらに前方に突出する。開口部４４９８の形状は、ピボットアームの前方弓状部分４５０２ｅの形状に実質的に対応する。開口部４４９８ｂは、ピボットアームの前方弓状部分４５０２ｅのサイズよりわずかにのみ大きいようなサイズであり、それにより、ハンドルが上昇したときに異物が開口部内に入る空間がない。図１１５、図１１６および図１１７に、ハンドル４５００のその開口部４４９８ｂに対する位置決めを示す。
【０４２７】
ハンドル保持部４４９８は、ハウジングの側部から下方に延在する液体排出チャネル４４９８内に通じる基礎壁を備える。液体排出チャネル４４９８ｃは、（図１１５および図１１６に示すように）主ハウジングの基部の空洞と連通することができ、それにより、ハンドル機構にはいるいかなる液体も、液体排出チャネル４４９８ｃを通って排出され、主ハウジングの基部を通って出ることができる。ハンドル保持部は、液体／ガスを取り除くための拡散ベースの機構を提供する。さらに、ハンドル保持部／ハンドルを受け入れるためのシャシ部の孔は、小さくかつ独立しており、装置のケース内へのガス漏れの可能性を低減させるように、ガス源から間隔を空けて配置されている。ハンドルピボットを受け入れるために、シャシ部の壁に開口部を打ち抜く必要はない。
【０４２８】
ハンドル保持部４４９８は、ハンドル保持部の領域において上部シャシ３１０２’と下部シャシ３２０２’との間を封止する。代替構成では、ハンドル保持部４４９８は、液体／ガスがケースまたはハンドル保持部に入るのを防止するように、上部シャシ３１０２’および／またはハンドル４５００に対して封止することができる。たとえば、面シール、回旋経路シールおよび／またはさねはぎ機構を設けることができる。
【０４２９】
図１０４に示すように、ハンドル保持部４４９８の左側壁の内側部分は、第１ピボット穴４５０２ｃ’の基部４４９８ｄ’を形成するチャネルを備える。図１０３に示すように、上部シャシ部３１０２’の外壁部分の下側４４９８ｄ’’は、第１ピボット穴４５０２ｃ’の上縁を形成する。
【０４３０】
図１０４に示すように、ハンドル保持部の右側壁の内側部分は、第２ピボット穴４５０２ｃ’’の基部を形成する棚状突起４４９８ｅ’を備える。図１０３に示すように、上部シャシ部３１０２’の内壁部分の下側４４９８ｅ’’は、第２ピボット穴４５０２ｃ’’の上縁を形成する。
【０４３１】
装置にハンドル４５００を取り付けるために、第２ピボット突起４５０２ｂ’’が棚状突起４４９８ｅ’の上に配置されるように、かつ第１ピボット突起４５０２ｂ’がチャネル４４９８ｄ’内に配置されるように、ハンドル保持部４４９８内にハンドル４５００が配置される。そして、ハンドルおよびハンドル保持部を上部シャシ部３１０２’と係合するように移動させて、ハンドル保持部の開口部４４９８ｆ’が上部シャシ部３１０２’の開口部４４９８ｆ’’と位置合わせされるようにすることができ、ねじ等の締結具を用いて、構成要素が合わせて締結される。したがって、ハンドル保持部４４９８は、上部シャシ部に固定されると装置の主ハウジングの一部となる。
【０４３２】
ピボット突起４５０２ｂ’、４５０２ｂ’’およびハンドル４５００の移動は、いくつかの段階に分割することができる。それらの段階を図１０８〜図１１２に示し、図１１３においてグラフで表す。図１１３を参照すると、装置ハウジングに対するハンドルの末端部４５０６の移動の経路は、曲線ＴＥＰによって示されている。その経路は、ハンドルの末端部の完全下降位置から完全上昇位置までの移動の変化する半径を有する。図示する形態では、経路は概して楕円形であり、すなわち、それは、楕円形の一部の形状をたどる。図示する形態では、経路は、楕円形のわずかに１／４を越える部分に対応する。半径方向の線は、１つの段階から別の段階への全体的な遷移点を表すか、またはハンドルの端部の位置に対する段階の開始および終了を示す。
【０４３３】
図１０８は、完全下降位置から移動したハンドルを示す。この移動の第１段階Ｐ１中、第２ピボット突起４５０２ｂ’’は、第２ピボット穴４５０２ｃ’’の末端前方端部にあり続ける。第１ピボット突起４５０２ｂ’は、原点Ｘに向かって下方に並進することになる。これにより、ハンドルの端部４５０６は下降／閉鎖位置から離れるように前方にかつ上方に付勢される。第１ピボット突起４５０２ｂ’は最初に原点Ｘの上方に配置されているため、ハンドル４５００の末端部の初期移動は、ハンドルがいずれの端部においてもハウジングと衝突しないように、ハウジングから離れている。
【０４３４】
図１０９は、閉鎖位置からさらに離れるように移動したハンドルを示す。この移動の第２段階Ｐ２中、第１ピボット突起４５０２ｂ’は、ハウジングに対して第１ピボット穴４５０２ｃ’内をさらに下方に、第１ピボット穴４５０２ｃ’の下方末端部に向かって並進している。第２ピボット突起４５０２ｂ’’は、第２ピボット穴４５０２ｃ’’に沿って後方に並進し始めている。これにより、ハウジングに対してハンドルの末端部４５０６が比較的急峻に上方にかつ後方に移動することになる。
【０４３５】
図１１０は、閉鎖位置からさらに離れて移動したハンドルを示す。この移動の第３段階Ｐ３中、第１ピボット突起４５０２ｂ’は、第１ピボット穴４５０２ｃ’の下部末端部に達している。第２ピボット突起４５０２ｂ’’は、第２ピボット穴４５０２ｃ’’内をさらに後方に並進して、原点Ｘを通過している。これにより、ハウジングに対してハンドルの末端部４５０６が比較的平坦に上方にかつ後方に移動している。
【０４３６】
図１１１に示すように、移動の第３段階Ｐ３中、第２ピボット突起４５０２ｂ’’は、原点Ｘを通過した後、第２ピボット穴４５０２ｃ’’の後端部のまたはそれに隣接する係合機構４５０２ｅｆに達している。係合機構４５０２ｅｆの目的は、第２ピボット穴４５０２ｃ’’の後端部のまたはそれに隣接する適所に第２ピボット突起４５０２ｂ’’を保持することである。
【０４３７】
図１１２に、係合機構４５０２ｅｆをより詳細に示す。図示する形態では、係合機構は、第２ピボット穴４５０２ｃ’’の基部の段４５０２ｅｆ’とそれに続く深さ低減領域４５０２ｅｆ’’とを備える。ハンドル４５００がその完全上昇位置に達すると、第２ピボット突起４５０２ｂ’’は、段４５０２ｅｆ’を越えて移動して深さ低減領域４５０２ｅｆ’’と係合する。第２ピボット突起４５０２ｂ’’は、第２ピボット穴４５０２ｃ’’の長さの大部分にわたって実質的に自由に移動することができるが、深さ低減領域４５０２ｅｆ’’では隙間なく嵌合する。この配置構成により、ハンドルは、使用者が装置を運搬することができる完全上昇位置に、ハンドルが完全上昇位置から移動する恐れなしに付勢される。使用者が装置の移送を終了すると、ハンドルに対して装置の前方方向に力を加えて、深さ低減領域４５０２ｅｆ’’から第２ピボット突起４５０２ｂ’’を取り外すことができる。
【０４３８】
上述したことは、１つの例示的な係合機構４５０２ｅｆについて記載しており、他の機構を使用することができる。たとえば、ハンドルを完全上昇位置で係合させるために、ばね式保持部を設けることができる。さらにまたは別法として、使用者が第１ピボット突起を係合機構から離れるように付勢し、かつ／またはばね式保持部を解除することができるように、使用者作動式ボタン等のアクチュエータを設けることができる。別の例として、上述したもののうちの任意のもの等の係合機構を用いて、ハンドルを完全上昇位置で保持するのに加えてまたはその代わりに、ハンドルを完全下降位置で保持することができる。
【０４３９】
ハンドル４５００は、完全上昇位置にありかつ装置３０１０’を運搬するために使用されているとき、液体を収容する液体チャンバを含む装置の重心の概して上方に位置するように設計されている。これにより、装置が運搬されている際に装置の揺動が低減し、装置をより容易に運搬することができるようになり、液体が液体チャンバから装置に入る可能性が低減する。装置は、上昇したハンドルが、満杯の液体チャンバが挿入された状態で質量中心の上にまたは概して上にあるように構成することができる。装置は、満杯の液体チャンバがあるときが最も重量があり、それは、液体が装置内に戻るようにこぼれる可能性がもっとも高いときである。別法として、装置は、たとえば中身が半分の液体チャンバ等、部分的に満たされた液体チャンバが挿入されている装置の質量中心の上にまたは概して上にあるように構成することができる。
【０４４０】
完全上昇ハンドルが、装置の質量中心の真上に配置されているかまたはその位置に近接して配置されているかに応じて、装置の基部は、装置が運搬されている間は実質的に平坦に位置することができ、または別法として、装置が運搬されている間はわずかに傾斜することができる。装置を保持している使用者によって与えられる力は、質量中心から著しくずれていない。これはまた、液体チャンバ３００’内の液体が実質的に水平のままであり、ガス流路への液体の流れの危険が低減することも意味する。ハンドル４５００の概して楕円形の移動経路により、ハンドルは、完全下降位置から、質量中心の概して上方にかつ質量中心と概して整列して位置する完全上昇位置まで移動することができる。さらに、この移動経路により、ハンドルとハウジングの上部との間、少なくともハンドルの半分上昇位置（図１１７）と完全上昇位置（図１１６）との間に実質的に一定の間隔があり、ハンドルとハウジングとの間のあり得る挟み箇所が最小限になる。
【０４４１】
ハンドルは、ハンドルが完全下降位置にあるかまたは完全上昇位置にあるときに、ピボット突起４５０２ｂ’、４５０２ｂ’’が装置荷重を支持しないように設計される。ハンドルが完全下降位置にあるとき、荷重は、ハンドルの前方弓状部分４５０２ｅの下縁と係合する、ハンドル保持部の前壁４４９８ｇによって支持される。ハンドルが完全上昇位置にあるとき、荷重は、ハンドルの前方弓状部分４５０２ｅの反対側の縁と係合する、相互接続壁３１１４’の上縁３１１４ａ’によって支持される。さらにまたは別法として、ハンドルが完全上昇位置にあるとき、荷重は、相互接続壁３１１４’の下側によって支持することができ、それは、図１１６において相互接続壁３１１４’の下側と接触しているように示されているハンドルの本体部分４５０２ｆの下面と接触している。ハンドル機構は、液体を収容する液体チャンバ３００’を含む完全装置荷重を支持するように構成されている。ハンドルは、ハンドルを強化し補強するハニカムもしくはリブ機構または繊維補強材を備えることができる。ハンドルは、好適な堅固かつ強固な材料から作製することができる。たとえば、材料は、ポリカーボネート等のプラスチック材料であり得る。
【０４４２】
ハンドルが完全上昇位置にあるとき、第２ピボット突起４５０２ｂ’’は、第２ピボット穴４５０２ｃ’’の上部後端部に位置する。ハンドルは、第２ピボット穴４５０２ｃ’’の角度によりその位置に保持される。ハンドルが完全上昇位置にあるとき、第２ピボット突起４５０２ｂ’’は上方に移動しようと試み、第２ピボット穴４５０２ｃ’’の上壁は、装置のシャシと相互作用する。ハンドルを下降位置まで移動させるためには、ハンドルを、その完全上昇位置から解除するように水平方向にかつ下方に移動させる。
【０４４３】
その必要な移動は、深さ低減領域４５０２ｅｆ’’の形状および位置によって促進される。別法として、深さ低減領域は設けられない場合がある。別の代替形態として、必要な移動は、部分４５０２ｅｆ’’の上壁および下壁が第２ピボット穴の隣接部分のそれぞれの上壁および下壁より高く配置されるように、第２ピボット穴４５０２ｃ’’の隣接部分に対して部分４５０２ｅ’’をさらに上昇させることによって、促進することができる。図１１４にこうした構成を示す。段が設けられるのではなく、部分４５０２ｅｆ’は、後方部分４５０２ｅｆ’’と第２ピボット穴４５０２ｃ’’の隣接部分との間に傾斜面を形成する。図１１４には第１ピボット穴４５０２ｃ’を図示しないが、第１ピボット穴が設けられることが理解されよう。
【０４４４】
図示する形態では、第１ピボット突起４５０２ｂ’および第１ピボット穴４５０２ｃ’は、装置の外側部分に向かって位置し、第２ピボット突起４５０２ｂ’’および第２ピボット穴４５０２ｃ’’は、装置に中心に向かって位置している。代替構成では、側を反転させることができる。ハンドルの両側にピボット突起およびピボット穴を有することにより、ハンドル機構は、ハンドル４５００の移動中、段４５０２ｅｆ’に隣接して、特に、第１ピボット穴４５０２ｃ’と第２ピボット穴４５０２ｃ’’との間の交差部において、固まる可能性が低くなる。別法として、ピボット突起４５０２ｂ’、４５０２ｂ’’およびピボット穴４５０２ｃ’、４５０２ｃ’’は、装置の一方の側（中心かまたは外側のいずれかに向かって）に設けることができ、固まる可能性を低減させるように、第１ピボット穴と第２ピボット穴との間の交差部に、より丸みのある縁が設けられる。
【０４４５】
ハンドル４５００の表面が、ハンドルの完全下降位置から完全上昇位置までのハンドルの移動を通してハンドル保持部４４９８の表面に当接して、ハンドルを支持しかつハンドルが揺れないようにする。たとえば、ハンドルの本体部分４５０２ｆの左側面が、その移動を通してハンドル保持部の左側壁に当接することができる。別法として、ハンドルの部分４５０２ｅ、４５０２ｆの右側面が、その移動を通してハンドル保持部の右側壁と当接することができる。互いに当接する面は、耐荷重であり、かつハンドルの移動を通して耐荷重であり続ける。
【０４４６】
本体部分４５０２ｅおよび弓状部分４５０２ｆは、片側ハンドルを通る曲げモーメントを扱うために幅が広い。（ピボット突起４５０２ｂ’、４５０２ｂ’’の間のかつそれを越えて延在する）ハンドルの基部の長さは、ハンドルの揺れを低減させるように可能な限り長くすることができる。
【０４４７】
図１０１に示すように、ハンドル４５００が完全下降位置にあるとき、ハンドルは、ハウジングの上部と同一平面にある。すなわち、ハンドル４５００を含むハウジングの上部シャシ３１０２’の上面、前部および後部の周囲に、実質的に連続した面が形成される。
【０４４８】
ハンドル４５００を完全情報位置から下降させるために前方／下方の力がハンドル４５００に加えられるとき、その力は、上部シャシまたは下部シャシに直接ではなくハンドルを介してハンドル保持部４４９８に加えられる。その力は、ピボット穴内のピボット突起によって支持されない。
【０４４９】
いくつかの構成では、主ハウジングおよび／またはハンドル４５００に、ハンドルを完全下降位置および／または完全上昇位置で保持する１つまたは複数の磁石を設けることができる。たとえば、ハンドルは磁石を備えることができ、ハウジングは、磁石または磁石によって引き寄せられる導電性構成要素を備えることができ、その逆も可能である。図１０３は、横材４５０６の上のまたはそれに隣接するハンドル４５００の下側の凹部４５０６’を示し、図１０４は、ハウジングの上部シャシ部３１０２’における対応する凹部４５０６’を示す。各凹部は、好適な磁石または導電性構成要素を備えることができる。装置は、ハンドルが下降位置にあるか上昇位置にあるかを判断するために、ホール効果センサ等、１つまたは複数のセンサを備えることができる。
【０４５０】
磁石は、完全上昇位置および／または完全下降位置でのハンドルの係合の触覚および／または可聴表示を提供することができる。磁石を用いる場合、機械的ラッチの場合はあり得るような、チャンバへの液体供給チューブが圧縮されて液体流を停止させる可能性（それにより、液体供給チューブは、ハンドルと主ハウジングとの間に捕捉され、水流が中断されかつ／またはチューブが破損する可能性がある）は低い。磁石はまた、機械的係合機構と比較して摩耗が低減するという利益もある。
【０４５１】
片側ハンドル／レバー４５００により、ハンドル／レバー４５００が上昇位置にあるとき、液体チャンバ３００’に液体バッグを接続するチューブを、ハンドル／レバー４５００の右側部材４５０４と主ハウジングとの間の空間を通して送ることができる。
【０４５２】
ピボット穴４５０２ｃ’、４５０２ｃ’’がハウジングの上部シャシ部とハンドル保持部４４９８との間に設けられる代わりに、ピボット穴は、代わりに、上部シャシ部３１０２’に、またはハウジングの上部シャシ部３１０２’と下部シャシ部３２０２’との間に設けることができ、ハンドル保持部４４９８は使用されない。
【０４５３】
主ハウジングの上部は、前方角度付き面３１２４’を備える。面３１２４’は、ディスプレイおよびユーザインタフェースモジュール１４を受け入れるように構成されている。図１０１、図１０２および図１０４に示すように、面３１２４’は、装置の前方／後方方向に延在する細長い排出チャネル３１２４ａ’、３１２４ａ’’を有する。チャネルは、それぞれの直立壁３１２４ｂ’、３１２４ｂ’’の外側に設けられている。壁３１２４ｂ’、３１２４ｂ’’は、後部横方向直立壁配置構成３１２４ｃによってそれらの後端部に、かつ前部横方向直立壁配置構成３１２４ｄによってそれらの前端部に接続されている。前部横方向直立壁配置構成３１２４ｄは、壁３１３４’の湾曲に対応する弓状の形状を有する。直立壁３１２４ｂ’、３１２４ｂ’’、３１２４ｃ、３１２４ｄは、連続した壁を形成し、装置の上部に落ちるいかなる液体も、ガス流路または電気部品もしくは電子部品がある装置の領域内ではなく、チャンバ区画３１０８’の基部に向かってかつ開口部を通って装置の基部から出て排出されるようにするように構成されている。液体の侵入を最小限にするために、ディスプレイ１４と面３１２４’との間に接着剤を設けることができる。
【０４５４】
この構成はまた、図５５〜図６４の構成に関して考察したように、可撓性液体バッグから充填される液体チャンバ３００’とともに使用されるのにも好適である。
【０４５５】
ハンドル／レバー４５００は、液体チューブを上方から液体チャンバ内に案内するために、たとえば図５２に示すような開口部５０２ａ、５０４ａ等、１つまたは複数の特徴を備えることができる。チューブは、液体チャンバに結合される。液体チャンバは、チューブから液体チャンバ内への液体の流れを制御するフロート弁を備えることができる。
【０４５６】
ハンドル／レバー４５００に、液体チャンバ３００’のチャンバ区画３１０８’内の挿入、保持および／またはチャンバ区画３１０８’からの取外しに役立つ１つまたは複数の特徴が設けられる。それらの特徴は、構成に関連して上述した特徴のうちの任意の１つまたは複数であり得る。
【０４５７】
液体チャンバ３００’のチャンバ区画内の挿入、保持および／またはチャンバ区画からの取外しに役立つハンドル／レバー４５００を設けることにより、使用者は、依然として、望ましい場合にチャンバ区画から液体チャンバを容易に取り外すことができる一方で、液体チャンバ３００’がチャンバ区画３１０８’に完全に挿入されるのを容易に確実にすることができる。これは、運動制限のある使用者に対して特に有利である。ハンドル／レバーはまた、別個のフィンガガードの使用もなくす。チャンバ区画は、他の構成に関連して上述したもの等、チャンバ区画内の液体チャンバの挿入および／または保持に役立つように戻り止めを有することができる。それらの詳細により、使用者は、液体チャンバがチャンバ区画内に完全に挿入されていることを容易に確実にすることができる。液体チャンバとガス流路の一部を形成する他の構成要素との間に十分なシールが得られかつ維持されるのを確実にするために、完全なまたは正確な挿入および／または保持が必要である場合がある。ハンドル／レバーは、レバーが閉鎖または完全下降位置にあるときにチャンバ区画の一部を囲むため、ハンドル／レバーが完全上昇位置にあるとき、ハンドル／レバーの横材と装置のハウジングとの間に、チャンバ区画の正面のかつ液体チャンバの周囲の大きい開口部を含む広い空間が形成され、それにより、使用者の指がハウジング壁と液体チャンバとの間に容易に適合することができるため、容易な液体チャンバのチャンバ区画への挿入およびチャンバ区画からの取外しが可能になる。
【０４５８】
ハンドル／レバー４５００は、ハンドル／レバーが上昇位置にあるときに液体チャンバ３００’をチャンバ区画３１０８’内に挿入することができるように、構成することができる。ハンドル／レバー４５００が下降位置にあるとき、ハンドル／レバーは、チャンバ区画３１０８’からの液体チャンバ３００’の取外しを防止するとともに、液体チャンバの基部のヒータプレートに使用者が接触するのを防止する、チャンバガードとして作用する。
【０４５９】
チャンバ区画３１０８’からの液体チャンバ３００’の取外しは、２段階手順である。第１に、使用者は、ハンドル４５００を完全上昇位置まで持ち上げる。第２に、使用者は、チャンバ区画３１０８’から液体チャンバ３００’を取り外す。これらのステップの各々は、片手で行うことができ、それらのステップの各々を行うために必要な力は小さい。これにより、装置は、体調不良の使用者による家庭での使用に対して特に好適なものとなる。
【０４６０】
図１１８および図１１９は、取外し可能ガス流チューブまたはエルボ１３４２を装置内の適所に保持する、代替構成の取外し可能保持カバー４１５０ａを示す。装置は、図６６〜図７７の取外し可能ガス流チューブまたはエルボ構成を有するが、たとえば図２５〜図３３の構成等、他の任意の好適な構成を有することができる。
【０４６１】
図２５〜図２６ｂの構成と同様に、上部シャシ３１０２’から取外し可能保持カバー４１５０ａが取り外された状態で、エルボ保持部２１６０からエルボ１３４２を取り外すことができる。取外し可能保持カバー４１５０ａが上部シャシ３１０２’に接続された状態で、エルボ保持部２１６０からエルボ１３４２を取り外すことはできない。
【０４６２】
保持カバー４１５０ａは、湾曲形態の上部天井部分４１５１と、２つの実質的に垂直な側壁部分４１５２とを有する。天井部分４１５１は、取外し可能エルボ１３４２の患者出口ポートを受け入れる凹部４１５３を備える。
【０４６３】
保持カバー４１５０ａは、エルボ１３４２の取外しおよび挿入方向に対して横切る方向に移動させることによってのみ、ハウジングの上部シャシ３１０２’から取り外すことができるように構成されている。その目的で、各側壁部分は、その基部に少なくとも１つのガイド凹部４１５６ａを備えている。図示する形態では、２つの間隔を空けて配置されたガイド凹部４１５６ａは、各側壁部分４１５２の基部に設けられている。ガイド凹部は、正方形または矩形であるものとして示されているが、任意の好適な形状であり得る。上部シャシ３１０２’の前方角度付き面３１２４’は、ガイド凹部４１５６ａと係合するようにサイズが決められかつ構成されている相補的なガイド突出部３１２５ａを備える。
【０４６４】
取外し可能保持カバー４１５０ａの各側壁部分もまた、ガイド凹部４１５６ａの間に配置されたガイド突出部４１５６ｂを有する。上部シャシ３１０２’の前方角度付き面３１２４’は、ガイド突出部４１５６ｂと係合するようにサイズが決められかつ構成されている相補的なガイド凹部３１２５ｂを備える。取外し可能保持カバーのガイド突出部４１５６ｂは、取外し可能保持カバーが装置のハウジングと係合するときにガイド凹部３１２５ｂのリップの下に係合して、それらの構成要素の押込み式係合を提供するように、拡大部分またはかえし４１５６ｂ’を有する。
【０４６５】
ガイド凹部およびガイド突出部の構成により、取外し可能保持カバー４１５０ａは、取外し可能エルボ１３４２のエルボ保持部２１６０への挿入およびエルボ保持部２１６０から取外し方向に対して横切る、主シャシに対する取外し可能保持カバーの実質的に垂直な移動によってのみ、上部シャシ３１０２’と係合しかつそこから分離することができる。別法として、保持カバーは、取外し可能エルボのエルボ保持部への挿入およびエルボ保持部からの取外し方向に対して横切る、横方向における移動によって、上部シャシに係合しかつ上部シャシから分離されるように構成することができる。
【０４６６】
ガス流入口エルボ３２４の上部に、取外し可能保持カバーを上部シャシの適所に配置するのに役立つように、取外し可能保持カバー４１５０ａの下側の相補的な係合機構４１５６ｃと係合する係合機構３２４ａが設けられている。図示する形態では、係合機構３２４ａは十字状突起を備え、係合機構４１５６ｃは相補的な十字状凹部を備える。しかしながら、任意の好適な形状を用いることができる。
【０４６７】
保持カバー４１５０ａが上部シャシ３１０２’の適所にあり、エルボ１３４２がエルボ保持部２１６０の適所にある場合、カバー４１５０と上部シャシ３１０２’との間の係合により、エルボ１３４２を前方に引っ張ろうとすることはうまくいかない。取外し可能エルボ１３４２とエルボ保持部２１６０および関連する受電部との間の電気接続はまた、取外し可能エルボとハウジングとの間の何らかの構造的結合も提供する。
【０４６８】
シリコンコード等の可撓性テザー（図示せず）が、ハウジングに保持カバー４１５０ａを結合して、それが失われる可能性を最小限にすることができる。
【０４６９】
代替構成では、取外し可能保持カバーは、取外し可能ガス流チューブまたはエルボ１３４２がエルボ保持部２１６０内に挿入されかつそこから取り外される際に、実質的に同じ平面において上部シャシ部の上をかつそこを外れて摺動するように配置することができる。図１２０および図１２１は、その構成を有する１つの代替的な取外し可能保持カバー４１５０ｂを示す。装置は、図６６〜図７７の取外し可能エルボ１３４２構成を有することができるが、たとえば図２５〜図３３の構成等、他の任意の好適な構成を有することができる。
【０４７０】
保持カバー４１５０ｂは、湾曲形態の上部天井部分４１５１と、２つの実質的に垂直な側壁部分４１５２とを有する。天井部分４１５１は、取外し可能エルボ１３４２の患者出口ポートを受け入れる凹部４１５３を備える。
【０４７１】
この構成では、上部シャシ３１０２’は、実質的に装置の前方方向および後方方向に延在するチャネルの形態で細長いガイド凹部３１２５ａを備える。保持カバー４１５０ｂの側壁部分４１５２は、側壁部分４１５２から外向きに突出し、かつガイド凹部３１２５ａと摺動可能に係合するようにサイズが決められかつ構成されている、細長いレールの形態の相補的な突出部４１５２ａを有する。別の構成では、側壁部分４１５２に凹部を設けることができ、上部シャシ３１０２’にレールを設けることができる。別法として、レールおよび凹部を別の場所に設けることができる。たとえば、前方角度付き面３１２４’の基部にレールを設けることができ、側壁部分４１５２に凹部を設けることができ、その逆も可能である。ハンドル／レバー４５００（図１２０および図１２１には示さず）は、ハンドル／レバー４５００が上昇位置にあるときに保持カバー４１５０ｂを挿入し／取り外すことができるように、わずかにテーパ状になっている。
【０４７２】
ハウジング内に取外し可能エルボ１３４２および保持カバー４１５０ｂを挿入するために、保持カバー４１５０ｂの開口部４１５３を通してエルボを挿入することができる。そして、エルボ１３４２がエルボ保持部２１６０に受け入れられ、かつ保持カバー４１５０ｂがガイドレール３１２５ａ’と係合するように、エルボ１３４２およびカバー４１５０ｂを１つのユニットとして主ハウジング内に摺動させることができる。これにより、一自由度の移動でエルボおよび保持カバーのハウジングへのより容易な組立が可能になる。
【０４７３】
上述したように、エルボ１３４２のＰＣＢコネクタ１３６６は、取外し可能エルボのマニホールドガス入口ポート１３４０の長手方向軸１３４０Ａに対して好適な非平行かつ非同軸角度で向けることができる。ガイドレール３１２５ａ’およびＰＣＢコネクタ１３６６は、保持カバー４１５０ｂおよびエルボ１３４２を１回の移動で合わせて挿入することができるように、実質的に同じ平面にあることになる。ガイドレール３１２５ａ’およびＰＣＢコネクタは、保持カバーおよびエルボをうまく係合するように案内するように作用することができる。
【０４７４】
エルボ１３４２および保持カバー４１５０ｂのハウジング内への挿入角度と、チャンバ３００’のチャンバ区画３１０８’内への挿入角度との相違は、チャンバ区画３１０８’からのチャンバ３００’の取外しにより、エルボ１３４２または保持カバー４１５０ｂが上部シャシから取り外されないことを意味する。
【０４７５】
保持カバー４１５０ｂおよび／または取外し可能エルボ１３４２は、取外し可能エルボ１３４２を保持カバーと係合した状態で維持するのに役立つ１つまたは複数の特徴を有することができる。それらの特徴は、保持カバー４１５０ｂおよびエルボ１３４２を互いに位置合わせするのに役立つことができ、そのため、それらは、装置に挿入されるために正確に位置合わせされる。それらの特徴は、たとえば、突起および／もしくは凹部、または保持カバー４１５０ｂとエルボ１３４２との間の締まり嵌めを含むことができる。
【０４７６】
ハンドル／レバー４５００は、ハンドルが完全下降位置にあるときに装置ハウジングからの取外し可能保持カバー４１５０ａ、４１５０ｂの取外しを防止するが、ハンドルが完全上昇位置にあるときは装置ハウジングからの保持カバー４１５０ａ、４１５０ｂの取外しを可能にする特徴を備えることができる。別法として、いくつかの構成では、ハンドル４５００が任意の位置にあるときに、保持カバー４１５０ａ、４１５０ｂを装置ハウジングに挿入するかまたは装置ハウジングから取り外すことができる。
【０４７７】
取外し可能保持カバー４１５０ａ、４１５０ｂは、それらの前端部において実質的に開放しているものとして示されている。いずれかの保持カバー４１５０ａ、４１５０ｂの後端部は、装置ディスプレイの正面の上方に間隔を空けて配置される後向きの露出領域を提供するように配置することができる。開放前端部および／または露出領域は、装置３０１０’を運搬するのに役立つ追加のハンドルとして使用することができる。
【０４７８】
図１２２〜図１２５は、装置３０１０’の主ハウジングの下部シャシ３２０２’の底部後コーナに設けられる電気コネクタ３２７６を示す。電気コネクタ３２７６は、電子回路基板２７２および他の電気部品等、装置３０１０’の構成要素に商用電源またはバッテリ電力を提供するように配置されている。
【０４７９】
電気コネクタ３２７６は、電源コード３２７７のプラグを受け入れるように配置されている受電用ソケット３２７６ａを備える。受電用ソケット３２７６ａおよび電気コネクタの他の構成要素は、主ハウジング内で、装置の基部と同一平面であるかまたは平行である平面において、すなわち水平移動により電気コネクタ３２７６内に電源コードを挿入することができるように、向けられている。
【０４８０】
電気コネクタ３２７６は、電源コード３２７７をソケット３２７６ａと係合した状態で維持する保持部３２７６ｂを備える。図１２５に示すように、保持部３２７６ｂは、電源コード３２７７のプラグの下側を受け入れる略Ｕ字型体を備える。保持部の入口端部３２７６ｃは、電源コードのプラグの凹部と係合するように突起を形成する少なくとも１つの垂直部３２７６ｃ’を備える。図示する形態では、保持部は、電源コードのプラグの首状部分３２７７ａを受け入れるように構成されかつサイズが決められている一対の垂直部を備える。電源コード３２７７のプラグがソケット３２７６ａに挿入され、保持部３２７６がプラグと係合すると、突起３２７６ｃ’は、電源コードが引っ張られた場合に電源コードの首状領域３２７７ａに隣接する広がった面と係合することにより、電源コードのプラグのソケットからの取外しを防止する。
【０４８１】
ねじ等の好適な締結具によって保持部が下部シャシ部３２０２’に取り付けられるのを可能にするように、保持部３２７６ａの基部に締結具開口部３２７６ｄが設けられている。
【０４８２】
支持面上での滑りの可能性を最小限にするように、保持部の底部から取付足部３２７６ｅが延出している。
【０４８３】
保持部３２７６ｂは、少なくとも１つの突出ウィング３２７６ｆを備え、図示する形態では、２つの突出ウィングを有する。突出ウィングは、電源コード３２７７のプラグの電気コネクタ３２７６内への挿入方向に対して横切る方向に延在している。ウィング３２７６ｆは、保持部３２７６ｂの水平方向移動を防止するように、下部シャシの相補的な凹部と相互作用する。
【０４８４】
電源コードを装置内に挿入するために、電源コード３２７７のプラグは、水平挿入方向（図１２５の方向１）において電気コネクタ３２７６内に挿入される。電源コードのプラグがソケット３２７６ａ内に挿入されると、保持部３２７６ｂは、挿入方向２において下部シャシ部３２０２’の基部内に垂直に挿入される。保持部のウィング３２７６ｆは、下部シャシの凹部内に係合し、保持部の突出部は、電源コードの首状部分３２７７ａと係合し、それにより、電気コネクタから電源コードを取り外すことができなくなる。そして、締結具を用いて、下部シャシに保持部が締結される。電源コードを電気コネクタから取り外すためには、プロセスを逆に行う必要がある。
【０４８５】
水平方向に入れる電気コネクタにより、装置内に電源コードを保持し、挿入された電源コードの大部分を隠すことがより容易になる。水平方向に入れることによってまた、ワイヤが商用電源インレットにより近く配置され、電気コネクタが装置内の小さい空間のみを占めることが可能になる。
【０４８６】
水平向きにあるのではなく、装置の主ハウジングに対して非水平かつ非垂直である角度付きの向きで、記載した電気コネクタ３２７６の特徴を使用することができる。角度付きの向きにより、液体侵入の可能性を低減させることができ、電源コードが装置からそれほど突出しなくなる可能性があり、それは、装置が棒に取り付けられる場合に利益を有する。電源コードは、上述したものと同様の保持機構により適所に保持されるエルボプラグを有することができる。
【０４８７】
上述した電源コード保持部３２７６ｂに加えて、装置３０１０’は、図１２６〜図１３０に示す電源ハーネスガイド４２７６を有することができる。電源ハーネスガイド４２７６は、好適にはプラスチック材料から作製され、受電用ソケット３２７６ａの内側部分と接続するワイヤまたは電源ハーネスを位置決めするために使用される。
【０４８８】
電源ハーネスガイド４２７６は、受電用ソケット３２７６ａの本体を受け入れる凹部４２７６ａを画定する逆さの逆Ｃ字型基礎部分４２７６ａを備える。基礎部分４２７６ａは、受電用ソケット３２７６ａが基礎部分４２７６ａ内に配置されたときに、受電用ソケット３２７６ａの真下に配置される一対の内向きのフランジ４２７６ａ’’を有する。支持アーム４２７６ｂが、基礎部分４２７６ａから延出し、略Ｌ字型断面を有する。支持アーム４２７６ｂは、基礎部分に隣接する略直線状部分４２７６ｐ’と、基礎部分から遠い略弓状部分４２７６ｐ’’とを有する。支持アーム４２７６ｂに沿って、ワイヤまたはケーブルを受け入れかつ保持する複数のホルダ４２７６ｂ’が設けられている。２つのホルダが示されているが、任意の好適な数のホルダを設けることができる。
【０４８９】
基礎部分４２７６ａから遠い支持アーム４２７６ｂの部分に、通路４２７６ｂ’’が位置し、それにより、ワイヤまたはケーブルを支持アーム４２７６ｂから引き出し、ＰＣＢ２７２等、電力が供給されるべき装置の部分に接続することができる。通路に隣接するアームの部分４２７６ｔｐはテーパ状であって、ワイヤまたはケーブルを支持アームから引き出すために平滑面を提供する。
【０４９０】
電源ハーネスガイド４２７６を位置決めしＰＣＢ２７２に結合するために、基礎部分の反対側の支持アーム４２７６ｂの端部に、ロケータ／カプラ４２７６ｄが位置する。略直線状部分４２７６ｐ’は、使用時にＰＣＢ２７２の平面に対して実質的に平行であるように向けられる。
【０４９１】
電源ハーネスガイド４２７６は、受電用ソケット３２７６ａからＰＣＢ２７２にワイヤまたはケーブルを結合し、ワイヤまたはケーブルの位置を制御し、ＰＣＢ２７２アセンブリを１回の移動で主ハウジング内に挿入することができるため、装置の組立てやすさを可能にする。
【０４９２】
図１２９および図１３０は、電気コネクタ３２７６が位置する領域における下部シャシ３２０２’の詳細を示す。下部シャシ３２０２’は、開口部３８００を画定し、そこを通して、電源コードプラグ３２７７を受電用ソケット３２７６ａ内に挿入することができる。外部基礎部に、電源コードプラグ３２７７を受け入れる湾曲空洞３８０２が設けられている。横方向凹部３８０４が、保持部３２７６ｂの突出ウィング３２７６ｆを受け入れるように空洞３８０２のいずれかの側に設けられている。凹部は、締結具を受け入れるねじ切り開口部を有する。
【０４９３】
図１３０に示すように、下部シャシに、いずれかの端部にチャネル３８０８を有する垂直部３８０６が設けられている。垂直部は、受電用ソケット３２７６ａの高さよりわずかに高い高さを有する。チャネルは、受電用ソケット３２７６ａの前フランジ３２７６ａ’に対して相補的であり、そのため、垂直部３８０６に受電用ソケット３２７６ａを上方から挿入することができる。液体が受電用ソケット３２７６ａの下に入らないように、受電用ソケット３２７６ａの前フランジの後方に係合するように、基礎リブ３８１０が設けられている。液体が、フランジの下で装置の主ハウジング内に逃げるのではなく前フランジ３２７６ａ’の底部から滴下するように、リブ３８１０のいずれかの側に凹部３８１２が設けられている。液体が空洞３８０２から受電用ソケット３２７６ａにかからないように、下部シャシにおいて湾曲空洞３８０２と開口部３８００との間にチャネル３８１４が設けられている。
【０４９４】
図１４６および図１４７は、電気コネクタ３２７６で使用される代替的な保持部３２７６ｂ’を示す。後述しない限り、特徴および機能は上述した通りであり、同様の参照数字は同様の部分を示す。保持部３２７６ｂ’の形状は、下部シャシのハウジングの外側形状に一致するように変更されている。保持部３２８６ｂ’は２つの締結具開口部３２７６ｄ、すなわち保持部の各側に１つを有する。それにより、保持部を通してより対称的な荷重が提供されるが、別法として単一の開口部を設けることができる。
【０４９５】
図１４５は、電気コネクタ３２７６が位置する領域における下部シャシ３２０２’’の代替構成を示す。後述しない限り、特徴および機能は、図１２９および図１３０を参照して上述した通りであり、同様の参照数字は同様の部分を示す。空洞３８０２は、電源コードプラグを受け入れかつ保持部３２７６ｂ’を受け入れるような形状である。保持部３２７６ｂ’の内向きに、下部シャシ３２０２’’の基部を通して排出開口部３８０９が設けられている。排出開口部は、電源コードプラグが電気コネクタに挿入されるときに電源コードプラグの真下に配置される。排出開口部３８０９は、何らかの液体が下部シャシに入る場合、液体が下部シャシからハウジングの外部に排出されるのを可能にするように構成されている。開口部は、水がケースの内側から外側に、またはその逆にたどるのを防止するのに役立つように、壁に破断をもたらす。
【０４９６】
図１３１および図１３２は、下部シャシ３２０２’の後壁の上部における通信コネクタ機構３２７４の詳細を示す。コネクタ機構３２７４は、電子回路基板２７２と電気通信する。
【０４９７】
図示する形態では、コネクタ機構３２７４は、３つのＵＳＢポートを備える。３つのポートが示されているが、任意の好適な数のポートを用いることができる。ポートは、異なるタイプの通信ポートであり得る。
【０４９８】
装置の垂直軸に対して任意の好適な角度でポートを配置することができる。プラグのコネクタ内の挿入角度は、垂直軸に対して０度〜９０度であり得る。角度は、挿入されたプラグがぶつけられる可能性を低減させるように非水平とすることができ、液体の侵入の可能性を低減させるように非水平かつ非垂直とすることができ、すなわち、コネクタ内へのプラグの挿入角度が少なくとも部分的に上向きであるように、ポートは少なくとも部分的に下方に面することができる。角度付きのＵＳＢ接続の別の利益は、ＰＣＢをより大きくすることができるということである。図示する構成では、プラグは、ＰＣＢに対して垂直な角度でコネクタ内に挿入され、したがって、構成が角度付きである場合、ＰＣＢは、ハウジング内の空間をより十分に利用することができる。一形態では、ポートは、垂直軸に対して約５度〜約３０度の角度であり得る。一形態では、ポートは、垂直軸に対して約１０度〜約２０度の角度であり得る。一形態では、角度は、ＵＳＢプラグがポートへの挿入時にＰＣＢ２７２に対して９０度の角度であり得るように、装置の垂直軸に対して約１５度である。図１３２に示すように、下部シャシ部は、挿入されたプラグに対して支持を提供するように、コネクタへのプラグの挿入角度で垂直面に対して角度が付けられた壁２３７４ｄを備える凹部を有することができる。水がポート内に侵入する可能性を低減させるように、各ポートにリップを設けることができる。
【０４９９】
図１３１に示すように、コネクタ機構３２７４の各コネクタは、好ましくは、ＵＳＢプラグ３２７４ｃのポート３２７４ａへの挿入に役立つように、ＵＳＢポート３２７４ａへの入口の上方および下方に配置された面取りされた引込みリブ３２７４ｂを有する。引込みリブ３２７４ｂは、ＵＳＢポートの上方および下方に、ならびに／またはいずれかの側に配置することができる。
【０５００】
通信コネクタ機構３２７４の凹部の上部外側水平縁３２７４ｅが、鋭利な縁または液体デフレクタを備え、液体を、凹部内に進むのではなく鋭利な縁または液体デフレクタから滴下するように促進することにより、液体がコネクタ機構のコネクタ内に染み出る可能性を最小限にすることができる。たとえば、鋭利な縁は、コネクタに向かうかまたはコネクタの下方に延在し、たとえば直交角度等、鋭角度で下部シャシの後壁部分３２２２と交差する、内向きの壁部分によって提供することができる。別法として、後壁部分３２２２を下方にコネクタを越えて延在させることにより、または液体を液体からそらすように、コネクタの上に張り出すルーバまたは傾斜面を設けることにより、液体デフレクタを設けることができる。
【０５０１】
図１３２に示すように、装置３０１０は、停電の場合に装置に電力を提供するバッテリ３２２２ａを有することができる。バッテリは交換可能であり得る。
【０５０２】
図示する形態では、バッテリは、装置の後壁の外側に結合される。これにより、バッテリを冷却するための広い表面積が提供され、バッテリから装置に入る熱の量が低減する。さらに、この構成により、特にバッテリが充電されているとき、装置の構成要素によって生成されている熱のバッテリに対する影響が低減する。代替構成では、主ハウジングの内部にバッテリを取り付けることができる。
【０５０３】
後壁は、バッテリ端子と接続する凹部および／または電気コネクタを備えることができ、電気コネクタは、ＰＣＢ２７２と電気通信する。電気接続部の周囲に壁を設けて、その領域における液体の侵入を低減させることができる。
【０５０４】
図１３３および図１３４に示すように、装置３０１０’は、装置をスタンドまたは棒３７０１に取り付けるためのマウント３７００を有することができる。これにより、ベッドサイドテーブルの水平保管空間をとることなく、装置を高い位置で使用することができる。
【０５０５】
マウント３７００は、装置の主ハウジングの一部に一体的に形成することができる。図示する形態では、マウント３７００は、ハウジングの下部シャシ３２０２’の左側壁３２１０’と一体的に形成されている。マウントは、代わりに、後壁、右側壁または他の壁等、ハウジングの他の壁のうちの任意のものと一体的に形成することができる。
【０５０６】
装置の側部は凹部３７０２を備える。下方に突出する舌状部３７０４が、壁と一体的に形成された上端部を有し、凹部内に配置されている。舌状部３７０４の自由下端部に、突出する出っ張り３７０６が設けられている。出っ張りは、舌状部の残りの部分より大きい距離外側に突出している。
【０５０７】
マウント３７００を用いてスタンドに装置が取り付けられるとき、図１３４に概略的に示すように、出っ張り３７０６により、装置はスタンドに向かって傾く。出っ張りがなければ、使用者は、（装置の基部がスタンドに向かって揺動するため）装置がスタンドから離れるように傾いていると知覚し、装置が確実に保持されていないと気がかりである可能性がある。したがって、出っ張り３７０６は、装置がスタンドに向かって内向きに傾くように装置を位置決めし、それにより、使用者は、スタンドと装置との間の結合に関して気がかりである可能性が低い。
【０５０８】
マウント３７００は、出っ張りが存在してもしなくても、可能性のある使用事例（たとえば、使用者が装置によりかかる、装置の偶発的なぶつかり）を通して装置を保持するに妥当な緩衝強度で確実に保持されるのに十分となる。出っ張りは、視覚的外観および使用者によるケースの知覚に対処する。
【０５０９】
出っ張り３７０６は、ユニット装置を任意の好適な角度によってスタンド３７０１に向かって傾けるように構成することができる。たとえば、角度θ1は、およそ１°〜１５°、またはおよそ１°〜１０°、またはおよそ１°〜７°、またはおよそ１°〜５°、またはおよそ１°〜２°であり得る。したがって、θ2は≧０°である。
【０５１０】
装置の主ハウジングは、マウント３７００が一体的に形成されるのを可能にする任意の好適な材料から形成することができる。たとえば、ケースはポリカーボネートから形成することができる。
【０５１１】
一体的なマウント３７００は、追加のねじ込み部品と比較して大きい衝撃強度を有する。マウント３７００の強化はまた、たとえば、壁厚さの変更、リブ取付けまたは内部形状の変更によって行うことも可能である。
【０５１２】
装置は、図１０２〜図１０４および図１１７に示すもの等のＣクランプ３７０７によって棒またはスタンドに取り付けることができる。Ｃクランプ３７０７は、好適な棒またはスタンド３７０１にスナップフィットするように構成されている弓状頭部３７０７ａを有する。Ｃクランプの側部は、舌状部３７０４を受け入れるように構成された２つの内向きのフランジを有する係合領域３７０７ｂを備える。舌状部の底部の出っ張り３７０６は、係合領域３７０７ｂの基部で出っ張り３７０７ｃと係合することができる。これらの特徴は、図１０２および図１０４に示す。
【０５１３】
装置を棒またはスタンド３７０１に取り付けるために、棒またはスタンドを弓状凹部３７０７ａに挿入することによって、Ｃクランプ３７０７は好適な高さで棒またはスタンドに固定される。そして、装置３０１０’は、出っ張り３７０６、３７０７ｃが係合するまで舌状部３７０４をＣクランプの係合領域３７０７ｂ内に挿入することによって、Ｃクランプ３７０７、それにより棒またはスタンド３７０１に取り付けられる。Ｃクランプ３７０７は、２つの装置３０１０’が１つのＣクランプによって支持されるのを可能にする２つの係合領域３７０７ｂを有することができる。装置３０１０’は、Ｃクランプおよびスタンドまたは棒から分離するためにＣクランプ３７０７に対して垂直に持ち上げることができる。
【０５１４】
別法として、たとえば壁、棚または棒等、任意の好適な支持体に装置３０１０’を取り付けることができるように、一体的なマウント３７０７が任意の相補的な構造と結合することができる。
【０５１５】
図１３５および図１３６は、装置３０１０’で使用することができる電気接続機構３７２２を示す。電気接続は、ＰＣＢと装置の構成要素との間で行われる。
【０５１６】
各電気接続を形成するために、ＰＣＢ３７２２ａが提供される。そして、好適なプラスチック材料から作製される略環状カラー３７２２ｂが、ＰＣＢ３７２２ａの上にオーバーモールドされる。図１３５に示すように、オーバーモールドプロセス中にカラー材料がＰＣＢを通って流れることができるように、ＰＣＢに好適な開口部３７２２ｃが設けられ、カラー３７２２ｂとＰＣＢ３７２２ａとの間に強固な接続が提供される。
【０５１７】
そして、主ハウジングの一部の上に、たとえば主ハウジングの壁または床の上に、カラー３７２２ｂおよびＰＣＢ３７２２ａアセンブリがオーバーモールドされて、ＰＣＢ３７２２ａと装置の主ハウジングとの間の構造的接続部を形成し、それらの間を封止する。
【０５１８】
カラーは、任意の好適なプラスチック材料から形成することができる。一例では、カラーは、ポリカーボネートから形成される。形成されたカラーは実質的に剛性があり、それは、使用者によって押し通すことができる可能性がある軟質グロメットとは対照的に、ＰＣＢ３７２２ａが、ハウジングから取り外されるためにカラー３７２２ｂからスナップ式に外される必要があることを意味する。カラーは、引き裂かれるかまたは損傷が与えられる可能性がある軟質グロメットより優れたシールを提供する。
【０５１９】
ＰＣＢ３７２２は、オーバーモールドされたカラー３７２２ｂとＰＣＢ３７２２ａとの間の結合に役立つようにプラズマ処理することができる。それはまた、電気部品および／または電子部品を収容するハウジングの領域内への酸素の漏れに対する封止にも役立つことができる。
【０５２０】
ＰＣＢ３７２２ａの露出部分は、好適な電気コネクタに結合される。
【０５２１】
図１３６は、装置の下部シャシ３２０２’におけるＰＣＢおよびカラーアセンブリ３７２２、３７２２’に対する２つの例示的な位置を示す。代替位置が可能である。
【０５２２】
図１４８〜図１５０は、モータおよび／またはセンサモジュール１４００の出口ポート１４５２から流量治療装置の液体チャンバの液体チャンバガス入口ポート３０６にガスを送達するための代替構成のガス流入口エルボ１３２４を示す。後述しない限り、ガス流入口エルボ１３２４は、エルボ３２４に対して上述した特徴および機能を有し、同様の数字は、各数字１０００を加算して同様の部分を示す。
【０５２３】
入口エルボ１３２４は、第１本体構成要素１３２４’および第２本体構成要素１３２４’’を備える。第１本体構成要素および第２本体構成要素は、射出成形されたプラスチック構成要素である。第１本体構成要素は、マニホールドガス出口ポート１３２２および第１インタフェース部分１３２４Ａを形成するチューブを備える。
【０５２４】
第１インタフェース部分１３２４Ａは、マニホールドガス出口ポート１３２２の基部に設けられ、たとえば３０度〜６０度、または４５度等、ガス出口ポートの長手方向軸１３２２Ａに対して任意の好適な角度で向けられる上部角度付きセクション１３２４Ａ１および下部角度付きセクション１３２４Ａ２を備える、段状構成を備える。第１インタフェースセクションはまた、上部角度付きセクションの基部から前方に延在するセクション１３２４Ａ３、下部角度付きセクションの頂部から上方に延在するセクション１３２４Ａ４、およびセクション１３２４Ａ３、１３２４Ａ４の間の角度付き遷移セクション１３２４Ａ５も含む。
【０５２５】
第２本体構成要素１３２４’’は、ガス流入口ポート１３２５において第２インタフェース部分１３２４Ａ’を備える。第２インタフェース部分は、たとえば３０度〜６０度、または４５度等、ガス出口ポートの長手方向軸１３２２Ａに対して任意の好適な角度で向けられる上部角度付きセクション１３２４Ａ１’および下部角度付きセクション１３２４Ａ２’を備える、段状配置を備える。第２インタフェース部分はまた、上部角度付きセクションの基部から前方に延在するセクション１３２４Ａ３’、下部角度付きセクションの頂部から上方に延在するセクション１３２４Ａ４’、およびセクション１３２４Ａ３’、１３２４Ａ４’の間の角度付き遷移セクション１３２４Ａ５’も含む。第１インタフェース部分および第２インタフェース部分は、互いに嵌合することができるように、相補的である。第１インタフェース部と第２インタフェース部との間に、Ｏリングシール等の好適なソフトシールが設けられる。クリップ、またはたとえばねじ等好適な締結具１３２４Ｆにより、第１インタフェース部および第２インタフェース部を互いに締結することができる。
【０５２６】
第１インタフェース部分１３２４Ａおよび第２インタフェース部分１３２４Ａ’は、ハウジングに対する入口エルボ１３２４の回転を防止しかつ／またはエルボがハウジングから引き出されるのを防止するために、装置の主ハウジングに締結具または位置決め突起を受け入れる凹部１３２４Ｒを備える。入口エルボ１３２４は、ハウジングの上部シャシおよび／または下部シャシに取り付けられるように構成することができる。別法として、入口エルボ１３２４は、前方角度付き面１２４、１２４’、３１２４’および／または装置のディスプレイキャリアに取り付けられるように構成することができる。
【０５２７】
マニホールドガス出口ポート１３２２チューブとガス流入口ポート１３２５チューブとの間のインタフェースにまたはそれに隣接して、エルボ１３２４の内部に一方向弁１３２６が取り付けられている。図示する形態では、非戻り弁１３２６は、ガスが入口ポート１３２５から出口ポート１３２２への方向に流れるのを可能にするが逆方向は可能にしないように、エルボに移動可能に取り付けられたプレートを備える。非戻り弁は、ガス流がない場合は閉鎖位置に付勢することができ、または、ガスが出口ポート１３２２から入口ポート１３２５への方向に流れようと試みる場合、圧力下で閉鎖するように構成することができる。弁は、液体がエルボを通って後方にハウジングに流れ込むのを防止するように構成されている。
【０５２８】
出口ポート１３２２に、本明細書に記載するようなＴシールまたはＬシールを受け入れる凹部１３２２Ｒが設けられ、入口ポート１３２５に、Ｏリング等の好適なソフトシールを受け入れる凹部１３２５Ｒが設けられている。
【０５２９】
入口エルボ１３２４のより平滑な外側形状により、入口エルボ３２４より容易に洗浄することができる可能性がある。
【０５３０】
図１０１の装置は、有利には、ユニット内への水および酸素の侵入を低減させるように、装置の構成要素の間にさねはぎ機構を有する。図１５１〜図１６０に示すように、装置は、有利には、下部シャシ３２０２’の後外壁３２２２’の頂部と上部シャシ３１０２’の後外壁３１２２’の底部との間、下部シャシの左側外壁３２１０’の頂部と上部シャシの左側外壁３１１０’の底部との間、下部シャシの右側外壁３２１６’と上部シャシの右側外壁３１１６の底部との間、および下部シャシの前リップ３２４２’の頂部と上部シャシの前リップ３１４２の底部との間に、さねはぎ機構を有する。
【０５３１】
さねはぎ機構は、上部シャシ部３１０２’および下部シャシ部３２０２’の周縁部に実質的に連続的な液体／ガス流抵抗継手を提供する。図示する形態では、下部シャシ３２０２’に溝３２１０Ｇ、３２２２Ｇ、３２１６Ｇ、３２４２Ｇが設けられ、上部シャシ３１０２’に、上部シャシ部および下部シャシ部が合わせて組み立てられるときにそれぞれの溝に少なくとも部分的に受け入れられるように構成されている、相補的なさね３１１０Ｔ、３１２２Ｔ、３１１６Ｔ、３１４２Ｔが設けられている。連続的な継手は、有利には、図示するように、シャシ部の前部、側部、および後部の少なくとも大部分（それらの面の間の任意のコーナの周囲も含む）に沿って延在している。有利には、さねはぎ機構はまた、図１６０を参照して後述するように、通信結合部分３２７４の周囲にも設けられている。
【０５３２】
図１５６は、下部シャシ３２０２’の後外壁３２２２’の頂部と上部シャシ３１０２’の後外壁３１２２’の底部との間のさねはぎ機構の詳細を示す。後外壁３２２２’の頂部に溝３２２２Ｇが設けられ、後外壁３１２２’の底部に、溝に受け入れられるようにサイズが決められかつ構成されているさね３１２２Ｔが設けられている。上部シャシ３１０２’の後外壁３１２２’の底部には、バッテリをハウジングに取り付けるためにバッテリのさね３２２２ａＴを受け入れる溝３２２２Ｇも設けることができる。
【０５３３】
下部シャシ３２０２’の側壁３２１０’、３２１６’の頂部にはまた、溝３２１０Ｇ、３２１６Ｇが設けられ、上部シャシ３１０２’の側壁３１１０、３１１６の底部には、溝に受け入れられるようにサイズが決められかつ構成されているさね３１１０Ｔ、３１１６Ｔが設けられている。
【０５３４】
図１５９に示すように、下部シャシの前リップ３２４２’の頂部に溝３２４２Ｇが設けられ、上部シャシの前リップ３１４２’の底部に、溝３２４２Ｇに受け入れられるようにサイズが決められかつ構成されているさね３１４２Ｔが設けられている。
【０５３５】
（ヒータ機構を受け入れるように凹部３１３８を画定する）チャンバ区画の床部分３１３６の正面の上部シャシ３１０２’の部分が、下向きの横方向に延在する溝３１３６Ｇを備え、下部シャシ３２０２’の底壁３２３０が、溝３１３６Ｇに受け入れられるようにサイズが決められかつ構成されている上方に延在するさね３２３０Ｔを備えている。
【０５３６】
ヒータ機構受入れ領域の側部および後部もまた、さねはぎ機構を備える。図１５１〜図１５４に示すように、上部シャシ３１０２’は、ヒータ機構受入れ領域の側部および後部の周囲に延在する下方に延在するさね３１３６Ｔを備える。さね３１３６Ｔの端部は、溝３１３６Ｇの端部と接する。下部シャシ３２０２’は、ヒータ機構受入れ領域の側部および後部の周囲に延在する上向きの溝３２３０Ｇを備える。溝３２３０Ｇの端部は、さね３２３０Ｔの端部と接する。したがって、チャンバ区画の実質的に周縁部全体に連続したさねはぎ機構がある。
【０５３７】
図１５８は、ヒータ機構受入れ領域の後部における上部シャシ部と下部シャシ部との間のさねはぎ機構の代替構成を示す。この構成では、下部シャシ部は上方に延在するさね３２３０Ｔ’を備え、上部シャシ部は、壁３１３４の基部に下向きの溝３１３４Ｇを備え、さね３２３０Ｔ’は、溝３１３４Ｇに受け入れられるようにサイズが決められかつ構成されている。
【０５３８】
一構成では、上部シャシ部および下部シャシ部は、ハウジングの後部に下方に突出するさねおよび上方に突出する溝を有することができ、この構成は、ハウジングの前部では、たとえば、およそ図１１７においてハンドル機構が上部シャシと接合する領域から、反転させることができる。
【０５３９】
図１５１、図１５２および図１６０は、通信結合部分３２７４と上部シャシ部および下部シャシ部との間のさねはぎ機構の詳細を示す。上部シャシの後外壁部３１２２の底部に下方に延在するさね３１２２Ｔが設けられ、通信結合部分３２７４の外壁の頂部は、さね３１２２Ｔを受け入れるようにサイズが決められかつ構成されている上向きの溝３２７４Ｇを備える。下部シャシの後外壁部３２２２の頂部に上方に延在するさね３２２２Ｔが設けられ、通信結合部分３２７４の外壁の底部は、さね３２２２Ｔを受け入れるようにサイズが決められかつ構成されている下向きの溝３２７４Ｇ’を備える。２つの面（たとえば、Ｔ２ＢおよびＧ２Ｂ）は、上部シャシおよび下部シャシを合わせて封止するように接するように構成されている。別法としてまたはこれに加えて、他の面を接するように構成することができる。溝３２７４Ｇ’の内壁は、有利には溝の外壁より短く、通信結合部分が下部シャシの適所にスナップフィットするのを可能にする。さねはぎ機構は、好ましくは、通信結合部分３２７４の周縁部全体に延在する。たとえば、下部シャシ部は、基部に沿って通信結合部分３２７４の側部まで延在する溝３２７４Ｇ’に受け入れられるようにサイズが決められかつ構成されているさね３２２２Ｔを備えることができる。
【０５４０】
図１５７に示すように、さねはぎ機構は、上部シャシ３１０２’の外側伸長チューブまたは導管３１３３と下部シャシ３２０２’のガス流路チューブ３２６４との間にも設けられる。ガス流路チューブ３２６４の外壁部分は、ガス流路チューブ３２６４の上端部から間隔を空けて配置される上向きの環状溝３２６４Ｇを備え、モータおよび／またはセンササブアセンブリ凹部３２５０の天井３２６２に近接して配置されている。上部シャシの伸長チューブ３１３３の底縁は、溝３２６４Ｇに受け入れられるようにサイズが決められかつ構成されている下方に延在する環状さね３１３３Ｔを備える。図１５７から、ガス流路チューブ３２６４が、伸長チューブ３１３３を通して少なくとも伸長チューブの上縁まで、図示する形態では、伸長チューブの上縁を越えてかつ角度付き面３１２４’を越えて延在することが分かる。
【０５４１】
ガス流路チューブ３２６４は、伸長チューブ３１３３を通って入口エルボ３２４、１３２４の外側の周囲まで延在し、凹部３２５０を画定する壁３２５６および天井３２６２を含む単一の連続した切れ目のない一体部品として形成されるため、漏れがある場合に、ガスは、抵抗が最も低い経路をたどり、それにより、漏れ領域の外側で集まり、入口エルボ３２４、１３２４の外側を介して周囲環境に出る。ガスは、ハウジング内にかつ蛇行経路を介して装置の電子回路まで流れる可能性は非常に低い。
【０５４２】
さねはぎ機構はまた、下部シャシ３２０２’のフィルタハウジング３３５４の上縁と上部シャシ３１０２’の対応する開口部３３５４Ａとの間にも設けられる。さねはぎ機構は、ガスがフィルタハウジングの内部からフィルタハウジングの外側にかつ装置の主ハウジング内に漏れるのを防止するように、フィルタハウジング３３５４および開口部３３５４Ａの周縁部全体に延在することができる。フィルタハウジング３３５４および開口部３３５４Ａの周囲の壁のうちの一方が溝を有し、フィルタハウジングおよび開口部の周囲の壁のうちの他方が、溝に受け入れられるようにサイズが決められかつ構成されているさねを有する。
【０５４３】
さねはぎ機構のうちの任意の１つまたは複数は、図１６１に示す構成を有することができ、そこでは、溝Ｇ１は、基部Ｇ１Ｂと実質的に平行な側壁Ｇ１ＳＷとを有し、さねＴ１は、先端または縁Ｔ１Ｅと実質的に平行な側壁Ｔ１ＳＷとを有する。別法としてまたはさらに、さねはぎ機構のうちの１つまたは複数は、図１６２に示す構成を有することができ、そこでは、溝Ｇ２は、基部Ｇ２Ｂと、基部から直交して延在する第１側壁Ｇ２ＳＷ１と、最初は基部から直交して延在し、後に面取り部Ｇ２Ｃまたは角度付き面において終端する第２側壁Ｇ２ＳＷ２とを有することができる。面取り部は、Ｇ２Ｃ／Ｇ２ＳＷ１とＴ２ＳＷとの間でいかなる液体粒子も閉じ込めるのに役立つ。別法として、角度付き面または面取り部Ｇ２Ｃは、基部Ｇ２Ｂまでずっと延在することができる。角度付き面または面取り部Ｇ２Ｃは、さねＴ２のそれぞれの側壁とともに、液体の角度付き面または面取り部を越える逃げを最小限にするかまたは防止するように構成されている。溝Ｇ２は、典型的には、面取り面Ｇ２Ｃが、液体を遠ざけるべきである装置の部分に対応する溝の側に配置されるように、向けられている。たとえば、下部シャシ３２０２’の少なくとも側壁３２１０’、３２１６’の溝３２１０Ｇ、３２１６Ｇは、液体が側壁の内部に逃げるのを防止するために、それらの内縁に面取り面Ｇ２Ｃを有することができる。溝の非面取り外側壁Ｇ２ＳＷ１により、さねはぎに入るいかなる水分も装置の外部に向かって外向きの方向に逃げることができる。
【０５４４】
別法としてまたはさらに、逃げを低減させるかまたは防止するために、さねＴ１、Ｔ２の少なくとも１つの面と溝Ｇ１、Ｇ２のそれぞれの面との間に、拡大した空間を設けることができる。
【０５４５】
さねＴ１、Ｔ２および溝Ｇ１、Ｇ２は、図１６１および図１６２に示す向きを有することができる。
【０５４６】
記載し図示した構成および向きは単に例であり、装置において、さねはぎ機構の任意の好適な組み合わせおよび／またはさねはぎ機構の向きを使用することができる。
【０５４７】
装置の主ハウジングは、少数の部品を備える。前方角度付き面３１２４’とチャンバ区画の大部分を包囲する湾曲壁部分３１３４とを含む上部シャシ３１０２’は、（たとえば、射出成形により）単一部品として一体的に形成され、それは、壁部分３１３４の後方の上部シャシ部の内部からチャンバ区画を封止し、液体／ガスがチャンバ区画から壁部分３１３４の後方の領域内に侵入する可能性を低減させる。同様に、モータおよび／またはセンサモジュールを受け入れる凹部３２５０を画定する壁および天井とガス流路チューブ３２６４とを含む下部シャシ３２０２’は、（たとえば、射出成形により）連続的な切れ目のない単一部品として一体的に形成され、それは、下部シャシの上部領域から凹部３２５０の内部を封止し、凹部３２５０から下部シャシの上部領域内にかつ上部シャシと下部シャシとの間に形成された主ハウジングの部分内に、ガスが侵入する可能性を低減させる。
【０５４８】
図示する形態では、上部シャシ３１０２’および下部シャシ３２０２’は、少数の締結具を用いて互いに締結することができる。締結具は、ねじ、または他の任意の好適な締結具であり得る。締結具は、単に、上部シャシ部および下部シャシ部を互いに結合するように作用する。上部シャシ部と下部シャシ部との間のさねはぎシールの特徴により、締結具は、適切な封止を提供するために、ソフトシールが使用された場合は必要である上部シャシ部と下部シャシ部との間の連続的な圧縮を提供する必要がない。代替構成では、上部シャシ部および下部シャシ部は、クリップまたは他の何らかの好適な機構を用いて互いに結合することができる。
【０５４９】
図１６３および図１６４は、図１５６を参照して上述したように、装置の後壁の外側に結合される変更されたバッテリ３２２２ａを示す。バッテリは、装置に電力を供給することによって装置に機能を提供する。図１６３および図１６４に示すバッテリは、図１３２に示すバッテリより大きく、より高い容量を有する。さらに、このバッテリ３２２２ａは、バッテリの基部に、モータおよび／またはセンサモジュール４００、１４００をハウジングの凹部３２５０の適所に維持するためにモータおよび／またはセンサモジュール４００、１４００の一部と重なるように構成されている保持機構を有する、という点で異なる。
【０５５０】
図示する形態では、バッテリの保持機構は、下部シャシ３２０２’の底壁３２３０の一部の下に延在しかつそれと接触する基部フランジ３２２２ａ’を備える。基部フランジ３２２２ａ’はまた、モータおよび／またはセンサモジュール１４００の基部１４０３の一部の下に延在しかつそれと接触するようにサイズが決められかつ構成されている。モータおよび／またはセンサモジュール１４００が凹部３２５０内に配置され、バッテリ３２２２ａが装置のハウジングに固定されているとき、基部フランジ３２２２ａ’とモータおよび／またはセンサモジュールとの間の重なりにより、凹部からモータおよび／またはセンサモジュールを取り外すことができない。
【０５５１】
ハウジングにバッテリ３２２２ａを組み付けるために、モータおよび／またはセンサモジュール１４００は、凹部３２５０に挿入される。モジュールを下部シャシ３２０２’に締結するために、モータおよび／またはセンサモジュールの基部１４０３のタブの開口部１４０３Ｅを通して、締結具を挿入することができる。図１５６を参照して上述したように、バッテリ３２２２ａの上端は、さね３２２２ａＴを溝３２２２Ｇ’に挿入することにより、下部シャシ部に結合される。そして、基礎フランジ３２２２ａ’がモータおよび／またはセンサモジュールの基部１４０３と接触しかつそれと重なるように、バッテリの下部を前方に傾斜させることができる。そして、基礎フランジ３２２２ａ’を下部シャシ３２０２’に締結するように、基部フランジの開口部３２２２ａ’’を通して締結具が挿入される。ハウジングからバッテリ３２２２ａならびにモータおよび／またはセンサモジュール１４００を取り外すためには、プロセスを逆に行うことができる。
【０５５２】
バッテリ３２２２ａの全幅に延在する基礎フランジ３２２２ａ’ではなく、保持機構は、他の任意の好適な形態を有することができる。たとえば、バッテリは、単一のより短いフランジ、複数のより短いフランジ、またはモータおよび／またはセンサモジュールをハウジングの凹部３２５０の適所に保持するためにモータおよび／またはセンサモジュール１４００の基部１４０３と重なることができる１つもしくは複数の他の突出部を有することができる。こうした保持機構は、たとえば図１３２に示すもの等のより小型のバッテリに組み込むことができる。別の代替形態として、基礎フランジ３２２２ａ’または他の保持機構を、装置に機能を提供する異なる取外し可能な構成要素に設けることができ、その取外し可能な機能的構成要素の保持機構は、取外し可能構成要素がハウジングに固定されたときにハウジングの凹部３２５０内の適所にモータおよび／またはセンサモジュール１４００を保持するように、モータおよび／またはセンサモジュール１４００の一部と重なりかつ接触する。バッテリまたは他の機能的構成要素は、モジュール１４００をハウジングに締結するようにのみ作用するのではなく、装置に他の機能をさらに提供することが理解されよう。
【０５５３】
これらの図に示す通信コネクタ機構３２７４は、バッテリのサイズが増大することにより２つのＵＳＢポートのみを備えるという点で、図１３１および図１３２とのものとは異なる。しかしながら、２つのポートが示されているが、任意の好適な数のポートを使用することができる。ポートは、異なるタイプの通信ポートであり得る。
【０５５４】
図１６５および図１６６は、流量治療装置で使用される代替的な取外し可能エルボ３３４２を示し、このエルボは、図１６７および図１６８に示すＰＣＢコネクタ３３６６を有する。後述しない限り、エルボは、図７４の取外し可能エルボと同じ特徴および機能を有し、ＰＣＢコネクタは、図７５と同じ特徴および機能を有する。同様の参照数字は、各数字に１０００を加算して、同様の部品を示す。
【０５５５】
図７５のＰＣＢコネクタと比較して、図１６７および図１６８のＰＣＢコネクタ３３６６は、短くなった導電性コネクタ部分またはピン３３６６ｃを有する。コネクタ部分３３６６ｃの内端部に隣接して、ＰＣＢコネクタ３３６６の側部に、一対の対向する凹部３３６６ｈが設けられている。図示する形態では、凹部３３６６ｈは三角形切取部であるが、それらは任意の好適な形状を有することができる。
【０５５６】
エルボのプラスチック支持部分３３７４は、ＰＣＢコネクタ３３６６の凹部３３６６ｈを考慮する角度付き縁３３７４ａを有する。
【０５５７】
取外し可能エルボの水平枝部の内端部（マニホールドガス入口ポート３３４０に対応する）における基部は、工具による仕上げ加工に役立つようにエルボの曲がり部の前に上方湾曲領域３３４０ｃを有する。
【０５５８】
ＰＣＢ電気コネクタは、サーミスタ３３６６ｄまたは他の温度センサが、患者呼吸導管ヒータワイヤ、導電性トラック３３６６ｂおよびプラスチック基板３３６６ａならびに周囲温度によってそれほど影響を受けないように、変更することができる。これにより、温度センサがガス温度をより正確に測定することができるように、温度センサの壁効果またはステム効果が低減する。
【０５５９】
たとえば、図１７０に示すように、サーミスタ３３６６ｄ’または他の温度センサをコネクタ部分３３６６ｃに接続する導電性トラック３３６６ｂ’のうちの少なくとも１つの断面および長さは、図１６９に示すものと比較して、低減した断面および／または増大した長さを有することができる。たとえば、トラック３３６６ｂ’のうちの１つまたは複数は、それぞれのコネクタ部分３３６６ｃ’からそれぞれのサーミスタ３３６６ｄ’までのその長さの少なくとも一部に沿って蛇行経路を有することができる。トラックは、トラックの追加の長さを提供するように、図１６９に示すような曲がりくねった形態、段状もしくはぎざぎざのある形態、または他の任意の好適な形態を有することができる。
【０５６０】
別の例として、図１７１に示すように、プラスチック基板３３６６ａ’’の一部の形状を回旋状にすることができる。回旋状形態は、基板における１つまたは複数の開口部３３６６ｇ’’によって提供することができる。図示する形態では、基板は２つの開口部３３６６ｇ’’、すなわち、エルボの２つの枝部の間のインタフェースに近接する大きい開口部と、ＰＣＢのコネクタ部分３３６６ｃ’’に近接する小さい方の開口部とを有する。その構成は変更することができる。これにより、患者導管ヒータワイヤがサーミスタ測定に影響を与えるのを防止しステム効果を低減させるのに役立つように、プラスチックオーバーモールド部分とプラスチック基板３３６６ａ’との接合部における熱抵抗を使用することができる。
【０５６１】
別の例として、図１７２に示すように、導電性トラック３３６６ｂ’’’のうちの少なくとも１つに、相対的に大きい面積を有しかつサーミスタ３３６６ｄ’’’または他の温度センサの近くに位置する１つまたは複数の拡大導電性部分３３６６ｂｅ’’’を設けることができる。拡大導電性部分３３６６ｂｅ’’’は、トラックの幅広部分、トラックに結合される別個の導電性材料片、または任意の好適な構成によって提供することができる。図示する形態では、ＰＣＢ電気コネクタ３３６６は、実質的に矩形または正方形である１つの拡大導電性部分を有するが、任意の好適な数および／または形状の導電性部分を設けることができる。拡大導電性部分３３６６ｂｅ’’’により、オーバーモールドされたプラスチックからサーミスタの領域における基板３３６６ａ’’’への熱伝達が増大し、ステム効果が低減する。
【０５６２】
図１７０〜図１７２を参照して記載し図示した特徴は、単独でまたは任意の組合せで使用することができる。
【０５６３】
図１７３は、流量治療装置におけるディスプレイおよびユーザインタフェースモジュールのためのキャリア３１０２を示す。後述しない限り、特徴および機能は、図７６および図７７のキャリア２１０２と同じであり、同様の参照数字は、各数字に１０００を加算して同様の部分を示す。キャリア３１０２は、図１７５の取外し可能保持カバー５１５０ａと使用されるように構成されている。後述しない限り、取外し可能保持カバーの特徴および機能は、図１１８および図１１９のカバー４１５０ａに対するものと同じであり、同様の参照数字は、各数字に１０００を加算して同様の部分を示す。
【０５６４】
取外し可能保持カバー５１５０ａの各側壁５１５２は、ガイド凹部５１５６ａを有し、それは、凹部のいずれかの端部において上向き／下向きのガイド突出部５１５６ｂによって画定される。キャリア３１０２の各側部は、カバーの凹部５１５６ａに適合するようにサイズが決められかつ構成されている突出隆起部３１０２ｐを有する。突出隆起部３１０２ｐのいずれの端部も、カバーガイド突出部５１５６ｂのそれぞれ１つを受け入れるようにサイズが決められかつ構成されているガイド凹部３１０２ｒにおいて終端する。
【０５６５】
取外し可能保持カバー５１５０ａの各側壁５１５２は、拡大部分またはかえし５１５６ｂ’を備えた少なくとも１つの下向きの舌状部を有し、拡大部分またはかえし５１５６ｂ’は、取外し可能保持カバーがキャリア３１０２と係合すると、キャリア３１０２のそれぞれの突出隆起部３１０２ｐの下に係合して、それらの構成要素の押込み式係合を提供する。各舌状部の両側にスロットが設けられて、取外し可能保持カバーがキャリア３１０２と係合しているかまたはキャリア３１０２から取り外されているときに、舌状部がかえし５１５６ｂ’に対してたわんでキャリアの突出隆起部３１０２ｐを通過するのを可能にする。カバー５１５０ａの両側壁に２つの舌状部が示されているが、カバーは、別法として、１つまたは３つ以上の舌状部を有することができる。
【０５６６】
代替構成では、キャリア３１０２が、舌状部およびかえしを有することができ、カバー５１５０ａが隆起部を有することができる。別の代替構成では、取外し可能エルボおよび／または保持カバー５１５０ａは、カバーに追加の拘束力を与えるように押込み式係合機構を有することができる。
【０５６７】
キャリア３１０２は、ねじ等の締結具を用いることにより、キャリア３１０２へのディスプレイおよびユーザインタフェースモジュール１４の取付を可能にする、複数の第１開口部３１０２Ａ１を備える。キャリア３１０２は、ねじなどの締結具を用いることにより、キャリア３１０２の上部シャシ３１０２’への取付を可能にするように、複数の第２開口部３１０２Ａ２を有する。
【０５６８】
取外し可能保持カバー５１５０ａは、図１７６に示す可撓性テザー６０００によって、キャリア３１０２に、それにより主ハウジングに結合される。テザーは、細長い本体６００２と、テザーの第１端部におけるまたはそれに向かう開口部６００４と、テザーの反対側の第２端部におけるまたはそれに向かう拡大頭部６００６とを備える。テザー６０００は、取外し可能保持カバーのスロット（図示せず）に拡大頭部６００６を挿入することにより、取外し可能保持カバー５１５０ａに結合される。拡大頭部は、テザーが取外し可能保持カバーから取り外されるのを阻止する。テザー６０００は、キャリア３１０２と上部シャシ３１０２’との間にテザーの第１端部を挿入することにより、キャリア３１０２に結合され、そのため、その開口部６００４は、それぞれの開口部３１０２Ａ２に位置合わせされ、キャリア３１０２を上部シャシ３１０２’に締結するために使用される締結具によって適所に維持される。テザーは、たとえばＴＰＵ等、好適な弾性かつ頑強な材料から製造することができる。
【０５６９】
図１７７〜図１８３は、流量治療装置の流れ発生器として使用することができる、代替構成の取外し可能モータおよび／またはセンサモジュールまたはサブアセンブリ２４００を示す。後述しない限り、サブアセンブリは、図７８〜図９５のサブアセンブリに関連して記載した特徴および機能を有し、同様の参照数字は、各参照数字に１０００を加算して同様の部分を示す。サブアセンブリは、図７８〜図９５のサブアセンブリからのわずかな変更のみを含む。
【０５７０】
図１７７を参照すると、モータおよび／またはセンサモジュールの基部２４０３は、図１６４に示すバッテリ３２２２ａの基礎フランジ３２２２ａ’を受け入れるように、基部２４０３の端部に第１凹部または切取部２４０３Ｒ１を備える。フランジ３２２２ａ’は、凹部２４０３Ｒ１内に延在して、モータおよび／またはセンサモジュールを装置の下部シャシ３２０２’の適所に保持する。他の取外し可能構成要素が下部シャシに固定される場合、モータおよび／またはセンサモジュールを装置の下部シャシ３２０２’の適所に保持するために、別の取外し可能構成要素のフランジを使用することができるように、基部２４０３の一面に、第２凹部または切取部２４０３Ｒ２が設けられる。凹部２４０３Ｒ１、２４０３Ｒ２の間に示される突起は存在しない場合もある。
【０５７１】
開口部１４２７Ａを備えた構成要素１４０７を有するのではなく、基部２４０３は直立ポスト２４０７を有する。
【０５７２】
図１７８を参照すると、基部２４０３に対し、モータ／ブロワユニット２４０２を受け入れる領域２４０３Ａに複数の機械的止め具２４０３Ｓが設けられている。機械的止め具２４０３Ｓは、その領域の周囲に角度的に間隔を空けて配置され、モータ／ブロワユニット２４０２がそのマウントから落ちるのを防止するように配置されている。図示する形態では、機械的止め具は垂直部を備える。しかしながら、それらは、任意の好適な形態であり得る。垂直部は、ケースのわずかな量の移動を可能にするように、モータ／ブロワケースから離れて位置するようにサイズが決められている。たとえば、垂直部は、ブロワケースから約３ｍｍ離れて位置するようなサイズとすることができる。
【０５７３】
基部は、３つ以上の機械的止め具を有することができ、図示する形態では、６つの機械的止め具が設けられている。機械的止め具は、矢印２４０３Ｒによって表す半径方向領域の任意の場所に設けることができるが、外側に配置されるほど、より多くの止め具があり、モータ／ブロワユニットの可能性のある揺動が小さくなる。層２４２０の下側もまた、モータ／ブロワユニットの頂部に対して作用するように、図１８０に示すような機械的止め具２４２０Ｓを備えることができる。
【０５７４】
突起２４１１Ｐは、装置が落とされるかまたはぶつけられる場合にモータ／ブロワマウントをより確実に保持するように、図７８〜図９５の構成に示すものより長い。
【０５７５】
図１７９を参照すると、電気コネクタ２４５６ＥＣが検知プリント回路基板２４５６に接続されて、検知ＰＣＢを他の電気部品に電気的に結合する。図１８２を参照すると、カバー層２４４０に開口部２４４０Ａ１、２４４０Ａ２が設けられている。開口部２４４０Ａ１、２４４０Ａ２により、電子部品または検知部品と流れモジュールとの間のクリアランスが容易になる。
【０５７６】
本明細書に記載する装置は、有利には、以下を含む取外し可能かつ交換可能構成要素を有する。すなわち、酸素弁アセンブリ、モータおよび／またはセンサモジュール、フィルタ、ディスプレイおよびインタフェースＰＣＢを含むスクリーンキャリアモジュール、取外し可能ガス流チューブまたはエルボ、保持カバー、電源コードおよび保持部、ならびにＰＣＢである。取外し可能ガス流チューブもしくはエルボ、ならびに／または入口ガス流チューブおよび／もしくはエルボのＴシールは、取外し可能であり得る。別法として、チューブおよび／またはエルボにシールを固定することができ、それらの構成要素は、１つの要素として取外し可能／交換可能である。上部シャシ部および下部シャシ部ならびに他のハウジング部もまた交換可能であり得る。
【０５７７】
本明細書に記載する装置の取外し可能ガス流チューブまたはエルボにかつ入口ガス流チューブまたはエルボに、流体チャンバと結合するためにＴシールまたはＬシールを用いることができる。ＴシールまたはＬシールは、Ｏリングまたはソフトカプラと比較して、液体チャンバに挿入するための挿入力が低減する。ＴシールまたはＬシールの作用力は、そのリブの幅によって決まる。軟質な材料ほど力が低減する。液体チャンバは、ＴシールまたはＬシールの曲がった枝部に対して封止する。ＴシールまたはＬシールの使用により、チャンバは挿入より取外しがわずかに困難になるが、Ｏリングまたはソフトカプラが使用された場合より取外しは容易になる。
【０５７８】
図１３７〜図１４１のＴシール２３４２Ｔ、２３４２Ｔ’または図１４２および図１４３のＬシール２３４２Ｔ’’は、上述したものに対する代替装置に設けることができる。図１８４〜図１８６は、こうしたＴシール２３４２Ｔを組み込む患者呼吸導管機構を示す。患者呼吸導管機構７０００は、患者呼吸導管７００２を備える。患者呼吸導管７００２の周縁部に沿ったらせん状凹部７００４が、呼吸導管を通過しているガス流を加熱するヒータワイヤを有する。患者呼吸導管７００２の一方の端部は、コネクタ７００６に結合される。コネクタ７００６は、たとえば、マニホールドおよび鼻プロングを備えた鼻カニューレ、および／またはフェイスマスク、および／または鼻ピローマスク、および／または鼻マスク、および／または気管切開インタフェース等の患者インタフェースに結合されるように配置されている。
【０５７９】
患者呼吸導管７００２の反対側の端部は、たとえば、流量治療装置のガス流出口ポート等の別の装置、または加湿装置の出口に結合するためのコネクタ７０１０に結合される。コネクタ７０１０は、外側ハウジング部７０１２と、外側ハウジング部に少なくとも部分的に受け入れられる内側部７０１４とを備える。
【０５８０】
内側部は、図１８５に詳細に示されており、患者呼吸導管にガスを送達するために患者呼吸導管７００２の端部に受け入れられるテーパ状チューブ７０１６を備える。テーパ状チューブ７０１６の外端部に向かう外面は、Ｔシール２３４２ＴまたはＬシールを受け入れる凹部７０１８を備える。別法として、テーパ状チューブ７０１６の上にＴシールまたはＬシールをオーバーモールドすることができる。内側部はまた、ヒータワイヤに電力を提供し、かつ／または患者インタフェースと患者呼吸導管機構が接続される装置との間の通信を可能にする、電気コネクタ７０２０も備える。
【０５８１】
患者呼吸導管構成７０００のコネクタ７０１０は、チューブ７０１６の外側部を流量治療装置のガス流出口ポート、または加湿装置の出口に挿入することにより、流量治療装置等の別の装置、または加湿装置の出口に接続することができる。
【０５８２】
内側チューブ７０１６は、流量治療装置または加湿装置の出口と空気連通を形成する。内側チューブ７０１６は、流量治療装置もしくは加湿装置出口に挿入することができ、または出口の周囲に係合して空気通路を形成することができる。電気コネクタ７０２０は、流量治療装置または加湿装置の出口にまたは隣接してまたはその周囲に配置される対応する電気コネクタに接続する。一例では、コネクタ７０１０は、流量治療装置または加湿装置の一部である加湿チャンバの出口に接続する。
【０５８３】
Ｔシール２３４２ＴまたはＬシールは、ガス流出口ポートの内部に対して封止し、かつ電気コネクタ７０２０は、装置の相補的な電気コネクタに接続する。Ｔシール２３４２ＴまたはＬシールは、図１３７〜図１４４を参照して上述したパラメータ、寸法および／または変更を有することができる。ＴシールまたはＬシールは、Ｏリングタイプ要素に対して改善されたシールを提供する。さらに、ＴシールまたはＬシールは軸に沿ってより容易にたわむ／曲がるため、ＴシールまたはＬシールにより、加湿装置の出口にコネクタを係合させるための力もまた低減する。ＴシールまたはＬシールは、コネクタを流量治療装置または加湿装置の出口に接続する使用者から加えられる力に応じて偏向し、すべての面に沿った圧縮と比較して、使用者に対して出口へのコネクタの取付がより容易になる。
【０５８４】
本開示は、いくつかの実施形態に関して記載しているが、当業者には明らかな他の実施形態もまた本開示の範囲内にある。したがって、本開示の趣旨および範囲から逸脱することなく、さまざまな変形および変更を行うことができる。たとえば、さまざまな構成要素を要求通りに再配置することができる。記載した実施形態のうちの任意のものからの特徴を互いに結合することができ、かつ／または、装置は、上述した実施形態の特徴のうちの１つ、複数またはすべてを含むことができる。さらに、本開示を実施するために、特徴、態様および利点のすべてが必ずしも必要ではない。したがって、本開示の範囲は、以下の特許請求の範囲によってのみ定義されるように意図されている。
【０５８５】
記載したさまざまな構成は、単に例示的な構成である。たとえば、モータおよび／またはセンササブアセンブリの凹部は、主ハウジングの下側にあるものとして記載しているが、それは、別法として、ハウジングの後部、側部、前部または頂部にあり得る。こうした変形により、空気および／または酸素入口もまた、要求通りに異なるように配置することができる。
【０５８６】
別の例として、液体チャンバおよびチャンバ区画が、液体チャンバがハウジングの前部からチャンバ区画内に挿入されかつチャンバ区画から取り外されるように構成されるのではなく、構成は、液体チャンバがハウジングの側部、後部または頂部からチャンバ区画内に挿入されかつチャンバ区画から取り外されるようなものであり得る。
【０５８７】
患者または使用者に加熱かつ加湿空気を送達することができる流量治療装置に関して、特徴を記載している。本装置は、慢性閉塞性肺疾患（ＣＯＰＤ）を治療するのに好適であり得る。本装置は、高流量で患者インタフェースにガスを送達するように構成することができる（ハイフローセラピー）。
【０５８８】
別法として、特徴のうちの１つ、いくつかまたはすべてを異なる目的で装置に設けることができる。装置は、ハイフローセラピー装置であり得るか、または低流量療法装置であり得る。たとえば、より低流量で（加湿または他の）ガスを送達することができる、持続的気道陽圧（ＣＰＡＰ）を提供する装置に設けることができる。
【０５８９】
特徴のうちの１つまたはいくつかを、別法として、加湿器が不要であり、したがって、液体チャンバ３００またはチャンバ区画１０８の特徴が不要である装置に設けることができる。たとえば、電気部品および電子部品からモータおよびガス流路を隔離する構成は、他のタイプのガス送達装置において広く応用されることが理解されよう。
【０５９０】
「流量治療装置」という文言は、こうしたすべての変形を包含するように意図されている。
【０５９１】
本明細書におけるいかなる先行技術に対する言及も、その先行技術が、世界中のいかなる国においても努力傾注分野において共通の一般知識の一部を形成するという承認またはいかなる形態の示唆でもなく、そのように解釈されるべきではない。
【０５９２】
本明細書において「上」、「下」、「前」、「後」、「水平」、「垂直」等の方向を示す用語に言及する場合、それらの用語は、装置が典型的な使用中の位置にあるときを指し、相対的な方向または向きを示しかつ／または記載するために用いられている。
【図１】
2018518297.tif 000003
【図２】
2018518297.tif 000004
【図３】
2018518297.tif 000005
【図４】
2018518297.tif 000006
【図５】
2018518297.tif 000007
【図６】
2018518297.tif 000008
【図７】
2018518297.tif 000009
【図８】
2018518297.tif 000010
【図９】
2018518297.tif 000011
【図１０】
2018518297.tif 000012
【図１１】
2018518297.tif 000013
【図１２】
2018518297.tif 000014
【図１３】
2018518297.tif 000015
【図１４】
2018518297.tif 000016
【図１５】
2018518297.tif 000017
【図１６】
2018518297.tif 000018
【図１７ａ】
2018518297.tif 000019
【図１７ｂ】
2018518297.tif 000020
【図１８】
2018518297.tif 000021
【図１９】
2018518297.tif 000022
【図２０】
2018518297.tif 000023
【図２１】
2018518297.tif 000024
【図２２ａ】
2018518297.tif 000025
【図２２ｂ】
2018518297.tif 000026
【図２２ｃ】
2018518297.tif 000027
【図２２ｄ】
2018518297.tif 000028
【図２２ｅ】
2018518297.tif 000029
【図２２ｆ】
2018518297.tif 000030
【図２３】
2018518297.tif 000031
【図２４】
2018518297.tif 000032
【図２５】
2018518297.tif 000033
【図２６ａ】
2018518297.tif 000034
【図２６ｂ】
2018518297.tif 000035
【図２７】
2018518297.tif 000036
【図２８】
2018518297.tif 000037
【図２９】
2018518297.tif 000038
【図３０】
2018518297.tif 000039
【図３１】
2018518297.tif 000040
【図３２】
2018518297.tif 000041
【図３３】
2018518297.tif 000042
【図３４】
2018518297.tif 000043
【図３５】
2018518297.tif 000044
【図３６】
2018518297.tif 000045
【図３７】
2018518297.tif 000046
【図３８】
2018518297.tif 000047
【図３９】
2018518297.tif 000048
【図４０】
2018518297.tif 000049
【図４１】
2018518297.tif 000050
【図４２】
2018518297.tif 000051
【図４３】
2018518297.tif 000052
【図４４】
2018518297.tif 000053
【図４５】
2018518297.tif 000054
【図４６】
2018518297.tif 000055
【図４７】
2018518297.tif 000056
【図４８】
2018518297.tif 000057
【図４９】
2018518297.tif 000058
【図５０】
2018518297.tif 000059
【図５１】
2018518297.tif 000060
【図５２】
2018518297.tif 000061
【図５３】
2018518297.tif 000062
【図５４】
2018518297.tif 000063
【図５５】
2018518297.tif 000064
【図５６】
2018518297.tif 000065
【図５７】
2018518297.tif 000066
【図５８】
2018518297.tif 000067
【図５９】
2018518297.tif 000068
【図６０】
2018518297.tif 000069
【図６１】
2018518297.tif 000070
【図６２】
2018518297.tif 000071
【図６３】
2018518297.tif 000072
【図６４】
2018518297.tif 000073
【図６５】
2018518297.tif 000074
【図６６】
2018518297.tif 000075
【図６７】
2018518297.tif 000076
【図６８】
2018518297.tif 000077
【図６９】
2018518297.tif 000078
【図７０】
2018518297.tif 000079
【図７１】
2018518297.tif 000080
【図７２】
2018518297.tif 000081
【図７３】
2018518297.tif 000082
【図７４】
2018518297.tif 000083
【図７５】
2018518297.tif 000084
【図７６】
2018518297.tif 000085
【図７７】
2018518297.tif 000086
【図７８】
2018518297.tif 000087
【図７９】
2018518297.tif 000088
【図８０】
2018518297.tif 000089
【図８１】
2018518297.tif 000090
【図８２】
2018518297.tif 000091
【図８３】
2018518297.tif 000092
【図８４】
2018518297.tif 000093
【図８５】
2018518297.tif 000094
【図８６】
2018518297.tif 000095
【図８７】
2018518297.tif 000096
【図８８】
2018518297.tif 000097
【図８９】
2018518297.tif 000098
【図９０】
2018518297.tif 000099
【図９１】
2018518297.tif 000100
【図９２】
2018518297.tif 000101
【図９３】
2018518297.tif 000102
【図９４】
2018518297.tif 000103
【図９５】
2018518297.tif 000104
【図９６】
2018518297.tif 000105
【図９７】
2018518297.tif 000106
【図９８】
2018518297.tif 000107
【図９９】
2018518297.tif 000108
【図１００】
2018518297.tif 000109
【図１０１】
2018518297.tif 000110
【図１０２】
2018518297.tif 000111
【図１０３】
2018518297.tif 000112
【図１０４】
2018518297.tif 000113
【図１０５】
2018518297.tif 000114
【図１０６】
2018518297.tif 000115
【図１０７】
2018518297.tif 000116
【図１０８】
2018518297.tif 000117
【図１０９】
2018518297.tif 000118
【図１１０】
2018518297.tif 000119
【図１１１】
2018518297.tif 000120
【図１１２】
2018518297.tif 000121
【図１１３】
2018518297.tif 000122
【図１１４】
2018518297.tif 000123
【図１１５】
2018518297.tif 000124
【図１１６】
2018518297.tif 000125
【図１１７】
2018518297.tif 000126
【図１１８】
2018518297.tif 000127
【図１１９】
2018518297.tif 000128
【図１２０】
2018518297.tif 000129
【図１２１】
2018518297.tif 000130
【図１２２】
2018518297.tif 000131
【図１２３】
2018518297.tif 000132
【図１２４】
2018518297.tif 000133
【図１２５】
2018518297.tif 000134
【図１２６】
2018518297.tif 000135
【図１２７】
2018518297.tif 000136
【図１２８】
2018518297.tif 000137
【図１２９】
2018518297.tif 000138
【図１３０】
2018518297.tif 000139
【図１３１】
2018518297.tif 000140
【図１３２】
2018518297.tif 000141
【図１３３】
2018518297.tif 000142
【図１３４】
2018518297.tif 000143
【図１３５】
2018518297.tif 000144
【図１３６】
2018518297.tif 000145
【図１３７】
2018518297.tif 000146
【図１３８】
2018518297.tif 000147
【図１３９】
2018518297.tif 000148
【図１４０】
2018518297.tif 000149
【図１４１】
2018518297.tif 000150
【図１４２】
2018518297.tif 000151
【図１４３】
2018518297.tif 000152
【図１４４】
2018518297.tif 000153
【図１４５】
2018518297.tif 000154
【図１４６】
2018518297.tif 000155
【図１４７】
2018518297.tif 000156
【図１４８】
2018518297.tif 000157
【図１４９】
2018518297.tif 000158
【図１５０】
2018518297.tif 000159
【図１５１】
2018518297.tif 000160
【図１５２】
2018518297.tif 000161
【図１５３】
2018518297.tif 000162
【図１５４】
2018518297.tif 000163
【図１５５】
2018518297.tif 000164
【図１５６】
2018518297.tif 000165
【図１５７】
2018518297.tif 000166
【図１５８】
2018518297.tif 000167
【図１５９】
2018518297.tif 000168
【図１６０】
2018518297.tif 000169
【図１６１】
2018518297.tif 000170
【図１６２】
2018518297.tif 000171
【図１６３】
2018518297.tif 000172
【図１６４】
2018518297.tif 000173
【図１６５】
2018518297.tif 000174
【図１６６】
2018518297.tif 000175
【図１６７】
2018518297.tif 000176
【図１６８】
2018518297.tif 000177
【図１６９】
2018518297.tif 000178
【図１７０】
2018518297.tif 000179
【図１７１】
2018518297.tif 000180
【図１７２】
2018518297.tif 000181
【図１７３】
2018518297.tif 000182
【図１７４】
2018518297.tif 000183
【図１７５】
2018518297.tif 000184
【図１７６】
2018518297.tif 000185
【図１７７】
2018518297.tif 000186
【図１７８】
2018518297.tif 000187
【図１７９】
2018518297.tif 000188
【図１８０】
2018518297.tif 000189
【図１８１】
2018518297.tif 000190
【図１８２】
2018518297.tif 000191
【図１８３】
2018518297.tif 000192
【図１８４】
2018518297.tif 000193
【図１８５】
2018518297.tif 000194
【図１８６】
2018518297.tif 000195
【国際調査報告】
2018518297.tif 000196
2018518297.tif 000197
2018518297.tif 000198
2018518297.tif 000199
2018518297.tif 000200
2018518297.tif 000201
2018518297.tif 000202